(57)【要約】  セミパーシステントスケジューリング方法、ネットワークデバイス、及び端末デバイスが提供される。当該方法は、ネットワークデバイスにより、セミパーシステントスケジューリング（ＳＰＳ）構成パラメータを決定するステップであり、ＳＰＳ構成パラメータはＳＰＳ周期長、シンボル情報、及びＳＰＳアクティブ化コマンドを含み、ＳＰＳアクティブ化コマンドは、ＳＰＳデータを送信又は受信するために利用可能な第１の時間周波数リソースのシステムフレーム番号及びサブフレーム番号を示すために使用され、シンボル情報は、サブフレーム内にあり且つ第１の時間周波数リソースにより占有されるシンボルの位置を示すために使用される、ステップと、ネットワークデバイスにより、ＳＰＳ周期長、シンボル情報、及びＳＰＳアクティブ化コマンドに基づいて、ＳＰＳデータを送信又は受信するために利用可能な時間周波数リソースのリソース位置を決定するステップと、ネットワークデバイスにより、ＳＰＳ構成パラメータを端末デバイスに送信するステップと、を含む。本願の実施形態における技術的解決策によれば、セミパーシステントスケジューリングのリソース利用が改善でき、ＳＰＳデータの伝送遅延が低減できる。
2020507984.tif 000002
【特許請求の範囲】
【請求項１】
セミパーシステントスケジューリング方法であって、
ネットワークデバイスにより、セミパーシステントスケジューリングＳＰＳ構成パラメータを決定するステップであり、前記ＳＰＳ構成パラメータはＳＰＳ周期長、シンボル情報、及びＳＰＳアクティブ化コマンドを含み、前記ＳＰＳアクティブ化コマンドは、ＳＰＳデータを送信又は受信するために利用可能な第１の時間周波数リソースのシステムフレーム番号及びサブフレーム番号を示すために使用され、前記シンボル情報は、サブフレーム内にあり且つ前記ＳＰＳデータを送信又は受信するための前記時間周波数リソースにより占有されるシンボルの位置を示すために使用される、ステップと、
前記ネットワークデバイスにより、前記ＳＰＳ周期長、前記シンボル情報、及び前記ＳＰＳアクティブ化コマンドに基づいて、前記ＳＰＳデータを送信又は受信するために利用可能な時間周波数リソースのリソース位置を決定するステップと、
前記ネットワークデバイスにより、前記ＳＰＳ構成パラメータを端末デバイスに送信するステップと、
を含む方法。
【請求項２】
前記ネットワークデバイスにより、前記ＳＰＳ周期長、前記シンボル情報、及び前記ＳＰＳアクティブ化コマンドに基づいて、前記ＳＰＳデータを送信又は受信するための時間周波数リソースのリソース位置を決定するステップは、
前記ネットワークデバイスにより、前記シンボル情報及び前記ＳＰＳアクティブ化コマンドに基づいて、前記ＳＰＳデータを送信又は受信するために利用可能な前記第１の時間周波数リソースのリソース位置を決定するステップと、
前記ネットワークデバイスにより、前記ＳＰＳ周期長と、前記ＳＰＳデータを送信又は受信するために利用可能な前記第１の時間周波数リソースの前記リソース位置とに基づいて、前記ＳＰＳデータを送信又は受信するために利用可能な後の時間周波数リソースのリソース位置を決定するステップと、
を含む、請求項１に記載の方法。
【請求項３】
前記シンボル情報は開始シンボル位置及びシンボル数を含み、あるいはショートサブフレーム数情報及びショートサブフレーム番号を含み、前記ショートサブフレーム数情報は、各サブフレーム内のショートサブフレーム数を示すために使用される、請求項１に記載の方法。
【請求項４】
当該方法は、
前記ネットワークデバイスにより、前記ＳＰＳデータを送信又は受信するために利用可能な前記時間周波数リソース上で前記ＳＰＳデータを送信又は受信するステップ
をさらに含む請求項１乃至３のうちいずれか１項に記載の方法。
【請求項５】
前記ＳＰＳ構成パラメータは第１のオフセットをさらに含み、当該方法は、
前記ＳＰＳデータを送信又は受信するために利用可能な前記時間周波数リソースが部分的又は完全に占有されているとき、前記ネットワークデバイスにより、前記第１のオフセットに基づいてオフセット時間周波数リソースを算出し、前記オフセット時間周波数リソース上で前記ＳＰＳデータを受信又は送信するステップ
をさらに含む請求項１乃至３のうちいずれか１項に記載の方法。
【請求項６】
当該方法は、
前記ＳＰＳデータを送信又は受信するために利用可能な前記時間周波数リソースが部分的に占有されているとき、前記ネットワークデバイスにより、前記ＳＰＳデータを送信又は受信するために利用可能な占有されていない時間周波数リソース上で前記ＳＰＳデータを送信又は受信するステップ
をさらに含む請求項４に記載の方法。
【請求項７】
前記ＳＰＳ構成パラメータはＳＰＳ優先度情報をさらに含み、当該方法は、
前記ＳＰＳデータを送信又は受信するために利用可能な前記時間周波数リソースが別のＳＰＳ時間周波数リソースに部分的又は完全に重なるとき、前記ネットワークデバイスにより、前記ＳＰＳ優先度情報に基づいて、前記ＳＰＳデータを送信又は受信する挙動を決定するステップ
をさらに含む請求項１乃至６のうちいずれか１項に記載の方法。
【請求項８】
セミパーシステントスケジューリング方法であって、
端末デバイスにより、ネットワークデバイスにより送信されたセミパーシステントスケジューリングＳＰＳ構成パラメータを受信するステップであり、前記ＳＰＳ構成パラメータはＳＰＳ周期長、シンボル情報、及びＳＰＳアクティブ化コマンドを含み、前記ＳＰＳアクティブ化コマンドは、ＳＰＳデータを送信又は受信するために利用可能な第１の時間周波数リソースのシステムフレーム番号及びサブフレーム番号を示すために使用され、前記シンボル情報は、サブフレーム内にあり且つ前記ＳＰＳデータを送信又は受信するための前記時間周波数リソースにより占有されるシンボルの位置を示すために使用される、ステップと、
前記端末デバイスにより、前記ＳＰＳ周期長、前記シンボル情報、及び前記ＳＰＳアクティブ化コマンドに基づいて、前記ＳＰＳデータを送信又は受信するために利用可能な時間周波数リソースのリソース位置を決定するステップと、
を含む方法。
【請求項９】
前記端末デバイスにより、前記ＳＰＳ周期長、前記シンボル情報、及び前記ＳＰＳアクティブ化コマンドに基づいて、前記ＳＰＳデータを送信又は受信するために利用可能な時間周波数リソースのリソース位置を決定するステップは、
前記端末デバイスにより、前記シンボル情報及び前記ＳＰＳアクティブ化コマンドに基づいて、前記ＳＰＳデータを送信又は受信するために利用可能な前記第１の時間周波数リソースのリソース位置を決定するステップと、
前記端末デバイスにより、前記ＳＰＳ周期長と、前記ＳＰＳデータを送信又は受信するために利用可能な前記第１の時間周波数リソースの前記リソース位置とに基づいて、前記ＳＰＳデータを送信又は受信するために利用可能な後の時間周波数リソースのリソース位置を決定するステップと、
を含む、請求項８に記載の方法。
【請求項１０】
前記シンボル情報は開始シンボル位置及びシンボル数を含み、あるいはショートサブフレーム数情報及びショートサブフレーム番号を含み、前記ショートサブフレーム数情報は、各サブフレーム内のショートサブフレーム数を示すために使用される、請求項８に記載の方法。
【請求項１１】
当該方法は、
前記端末デバイスにより、前記ＳＰＳデータを送信又は受信するために利用可能な前記時間周波数リソース上で前記ＳＰＳデータを送信又は受信するステップ
をさらに含む請求項８乃至１０のうちいずれか１項に記載の方法。
【請求項１２】
前記ＳＰＳ構成パラメータは第１のオフセットをさらに含み、当該方法は、
前記ＳＰＳデータを送信又は受信するために利用可能な前記時間周波数リソースが部分的又は完全に占有されているとき、前記端末デバイスにより、前記第１のオフセットに基づいてオフセット時間周波数リソースを算出し、前記オフセット時間周波数リソース上で前記ＳＰＳデータを受信又は送信するステップ
をさらに含む請求項８乃至１０のうちいずれか１項に記載の方法。
【請求項１３】
当該方法は、
前記ＳＰＳデータを送信又は受信するために利用可能な前記時間周波数リソースが部分的に占有されているとき、前記端末デバイスにより、前記ＳＰＳデータを送信又は受信するために利用可能な占有されていない時間周波数リソース上で前記ＳＰＳデータを送信又は受信するステップ
をさらに含む請求項１１に記載の方法。
【請求項１４】
前記ＳＰＳ構成パラメータはＳＰＳ優先度情報をさらに含み、当該方法は、
前記ＳＰＳデータを送信又は受信するために利用可能な前記時間周波数リソースが別のＳＰＳ時間周波数リソースに部分的又は完全に重なるとき、前記端末デバイスにより、前記ＳＰＳ優先度情報に基づいて、前記ＳＰＳデータを送信又は受信する挙動を決定するステップ
をさらに含む請求項８乃至１３のうちいずれか１項に記載の方法。
【請求項１５】
ネットワークデバイスであって、
セミパーシステントスケジューリングＳＰＳ構成パラメータを決定することであり、前記ＳＰＳ構成パラメータはＳＰＳ周期長、シンボル情報、及びＳＰＳアクティブ化コマンドを含み、前記ＳＰＳアクティブ化コマンドは、ＳＰＳデータを送信又は受信するために利用可能な第１の時間周波数リソースのシステムフレーム番号及びサブフレーム番号を示すために使用され、前記シンボル情報は、サブフレーム内にあり且つ前記ＳＰＳデータを送信又は受信するための前記時間周波数リソースにより占有されるシンボルの位置を示すために使用され；前記ＳＰＳ周期長、前記シンボル情報、及び前記ＳＰＳアクティブ化コマンドに基づいて、前記ＳＰＳデータを送信又は受信するために利用可能な時間周波数リソースのリソース位置を決定するように構成された処理モジュールと、
前記ＳＰＳ構成パラメータを端末デバイスに送信するように構成された送受信機モジュールと、
を含むネットワークデバイス。
【請求項１６】
前記処理モジュールは具体的に、前記シンボル情報及び前記ＳＰＳアクティブ化コマンドに基づいて、前記ＳＰＳデータを送信又は受信するために利用可能な前記第１の時間周波数リソースのリソース位置を決定し、前記ＳＰＳ周期長と、前記ＳＰＳデータを送信又は受信するために利用可能な前記第１の時間周波数リソースの前記リソース位置とに基づいて、前記ＳＰＳデータを送信又は受信するために利用可能な後の時間周波数リソースのリソース位置を決定するように構成される、請求項１５に記載のネットワークデバイス。
【請求項１７】
前記シンボル情報は開始シンボル位置及びシンボル数を含み、あるいはショートサブフレーム数情報及びショートサブフレーム番号を含み、前記ショートサブフレーム数情報は、各サブフレーム内のショートサブフレーム数を示すために使用される、請求項１５に記載のネットワークデバイス。
【請求項１８】
前記送受信機モジュールは、当該ネットワークデバイスにより、前記ＳＰＳデータを送信又は受信するために利用可能な前記時間周波数リソース上で前記ＳＰＳデータを送信又は受信するようにさらに構成される、請求項１５乃至１７のうちいずれか１項に記載のネットワークデバイス。
【請求項１９】
前記ＳＰＳ構成パラメータは第１のオフセットをさらに含み、前記処理モジュールは、前記ＳＰＳデータを送信又は受信するために利用可能な前記時間周波数リソースが部分的又は完全に占有されているとき、前記第１のオフセットに基づいてオフセット時間周波数リソースを算出するようにさらに構成され、前記送受信機モジュールは、前記オフセット時間周波数リソース上で前記ＳＰＳデータを受信又は送信するようにさらに構成される、請求項１５乃至１７のうちいずれか１項に記載のネットワークデバイス。
【請求項２０】
前記送受信機モジュールは、前記ＳＰＳデータを送信又は受信するために利用可能な前記時間周波数リソースが部分的に占有されているとき、前記ＳＰＳデータを送信又は受信するために利用可能な占有されていない時間周波数リソース上で前記ＳＰＳデータを送信又は受信するようにさらに構成される、請求項１８に記載のネットワークデバイス。
【請求項２１】
前記ＳＰＳ構成パラメータはＳＰＳ優先度情報をさらに含み、前記処理モジュールは、前記ＳＰＳデータを送信又は受信するために利用可能な前記時間周波数リソースが別のＳＰＳ時間周波数リソースに部分的又は完全に重なるとき、前記ＳＰＳ優先度情報に基づいて、前記ＳＰＳデータを送信又は受信する挙動を決定するようにさらに構成される、請求項１５乃至２０のうちいずれか１項に記載のネットワークデバイス。
【請求項２２】
端末デバイスであって、
ネットワークデバイスにより送信されたセミパーシステントスケジューリングＳＰＳ構成パラメータを受信することであり、前記ＳＰＳ構成パラメータはＳＰＳ周期長、シンボル情報、及びＳＰＳアクティブ化コマンドを含み、前記ＳＰＳアクティブ化コマンドは、ＳＰＳデータを送信又は受信するために利用可能な第１の時間周波数リソースのシステムフレーム番号及びサブフレーム番号を示すために使用され、前記シンボル情報は、サブフレーム内にあり且つ前記ＳＰＳデータを送信又は受信するための前記時間周波数リソースにより占有されるシンボルの位置を示すために使用される、ように構成された送受信機モジュールと、
前記ＳＰＳ周期長、前記シンボル情報、及びＳＰＳアクティブ化コマンドに基づいて、前記ＳＰＳデータを送信又は受信するために利用可能な時間周波数リソースのリソース位置を決定するように構成された処理モジュールと、
を含む端末デバイス。
【請求項２３】
前記処理モジュールは具体的に、前記シンボル情報及び前記ＳＰＳアクティブ化コマンドに基づいて、前記ＳＰＳデータを送信又は受信するために利用可能な前記第１の時間周波数リソースのリソース位置を決定し、前記ＳＰＳ周期長と、前記ＳＰＳデータを送信又は受信するために利用可能な前記第１の時間周波数リソースの前記リソース位置とに基づいて、前記ＳＰＳデータを送信又は受信するために利用可能な後の時間周波数リソースのリソース位置を決定するように構成される、請求項２２に記載の端末デバイス。
【請求項２４】
前記シンボル情報は開始シンボル位置及びシンボル数を含み、あるいはショートサブフレーム数情報及びショートサブフレーム番号を含み、前記ショートサブフレーム数情報は、各サブフレーム内のショートサブフレーム数を示すために使用される、請求項２２に記載の端末デバイス。
【請求項２５】
前記送受信機モジュールは、前記ＳＰＳデータを送信又は受信するために利用可能な前記時間周波数リソース上で前記ＳＰＳデータを送信又は受信するようにさらに構成される、請求項２２乃至２４のうちいずれか１項に記載の端末デバイス。
【請求項２６】
前記ＳＰＳ構成パラメータは第１のオフセットをさらに含み、前記処理モジュールは、前記ＳＰＳデータを送信又は受信するために利用可能な前記時間周波数リソースが部分的又は完全に占有されているとき、前記第１のオフセットに基づいてオフセット時間周波数リソースを算出するようにさらに構成され、前記送受信機モジュールは、前記オフセット時間周波数リソース上で前記ＳＰＳデータを受信又は送信するようにさらに構成される、請求項２２乃至２４のうちいずれか１項に記載の端末デバイス。
【請求項２７】
前記送受信機モジュールは、前記ＳＰＳデータを送信又は受信するために利用可能な前記時間周波数リソースが部分的に占有されているとき、前記ＳＰＳデータを送信又は受信するために利用可能な占有されていない時間周波数リソース上で前記ＳＰＳデータを送信又は受信するようにさらに構成される、請求項２５に記載の端末デバイス。
【請求項２８】
前記ＳＰＳ構成パラメータはＳＰＳ優先度情報をさらに含み、前記処理モジュールは、前記ＳＰＳデータを送信又は受信するために利用可能な前記時間周波数リソースが別のＳＰＳ時間周波数リソースに部分的又は完全に重なるとき、前記ＳＰＳ優先度情報に基づいて、前記ＳＰＳデータを送信又は受信する挙動を決定するようにさらに構成される、請求項２２乃至２７のうちいずれか１項に記載の端末デバイス。
【請求項２９】
命令を含むコンピュータ読取可能記憶媒体であって、前記命令がコンピュータ上で実行すると、前記コンピュータは請求項１乃至７のうちいずれか１項に記載の方法を実行することを可能にされ、あるいは前記コンピュータは請求項８乃至１４のうちいずれか１項に記載の方法を実行することを可能にされる、コンピュータ読取可能記憶媒体。
【請求項３０】
コンピュータプログラムプロダクトであって、コンピュータ上で実行すると、前記コンピュータは請求項１乃至７のうちいずれか１項に記載の方法を実行することを可能にされ、あるいは前記コンピュータは請求項８乃至１４のうちいずれか１項に記載の方法を実行することを可能にされる、コンピュータプログラムプロダクト。
【請求項３１】
メモリ、プロセッサ、及びコンピュータプログラムを含む通信デバイスであって、前記コンピュータプログラムは前記メモリに記憶され、前記プロセッサ上で実行でき、前記プロセッサは前記プログラムを実行すると、請求項１乃至７のうちいずれか１項に記載の方法を実現し、あるいは請求項８乃至１４のうちいずれか１項に記載の方法を実現する、通信デバイス。
【請求項３２】
プロセッサを含む装置であって、前記プロセッサは、メモリに結合され、前記メモリ内の命令を読み出し、前記命令に従って請求項１乃至１４のうちいずれか１項に記載の方法を実行するように構成される、装置。
【発明の詳細な説明】
【技術分野】
【０００１】
本願は、2017年2月4日に中国特許庁に出願され、「SEMI-PERSISTENT  SCHEDULING  METHOD,  NETWORK  DEVICE,  AND  TERMINAL  DEVICE」と題された中国特許出願第201710063990.7号に対する優先権を主張し、該出願はその全体を本明細書において参照により援用される。
【０００２】
本願は通信技術の分野に関し、特にセミパーシステントスケジューリング方法、ネットワークデバイス、及び端末デバイスに関する
【背景技術】
【０００３】
ロングタームエボリューション（Long  Term  Evolution、ＬＴＥ）システムにおいて、動的スケジューリングは非常に柔軟であり、無線帯域利用を改善し、ユーザに対するサービス品質（quality  of  service、ＱｏＳ）を保証し、システムキャパシティを増加させることができる。したがって、動的スケジューリングは、ＬＴＥシステムにおける最も基本的なスケジューリング方式である。動的スケジューリングでは、リソースは必要に応じて割り当てられ、スケジューリング信号は各スケジューリングの間に交換される必要がある。バースト特性が明らかでなく、リアルタイム性能が非常に高いサービスについて、ネットワークデバイスは、各送信時間間隔（transmission  time  interval、ＴＴＩ）に端末デバイスをスケジュールする必要があり、スケジューリング情報は、物理下りリンク制御チャネル（physical  downlink  control  channel、ＰＤＣＣＨ）上で伝送される。その結果、各ＴＴＩにスケジュールできる端末デバイスは、ＰＤＣＣＨのリソースにより制限される。
【０００４】
したがって、バースト特性が明らかでなく、リアルタイム性能が非常に高いサービスについて、セミパーシステントスケジューリング（semi-persistent  scheduling、ＳＰＳ）が使用されることが考えられる。具体的に、ネットワークデバイスは、ＴＴＩ内の端末デバイスに、サービスに使用される時間周波数リソース（これは、本明細書においてＳＰＳリソースと呼ばれる）を割り当てる。その後、端末デバイスは、各々の指定された期間の後にＳＰＳリソースを使用することによりデータを受信又は送信する。リソースは、ＳＰＳの間に１回割り当てられればよい。したがって、ＳＰＳモードはＰＤＣＣＨのリソースオーバヘッドを低減することができる。
【０００５】
関連技術では、ＳＰＳ方式でスケジューリングを実行するプロセスにおいて、各期間にスケジュールされたＳＰＳリソースは１つのサブフレームに対応し、該サブフレームはＳＰＳデータのみ伝送するために使用できる。しかし、実際の適用において、ＳＰＳデータがサブフレームの形式で伝送されるとき、通常、サブフレーム内に未使用リソースが存在し、関連技術においてＳＰＳの間に低いリソース利用率をもたらす。さらに、ＳＰＳデータが関連技術においてサブフレーム形式で伝送されるため、ＳＰＳデータの伝送遅延は１ｍｓに固定され、ＳＰＳデータの比較的大きい伝送遅延をもたらす。
【発明の概要】
【０００６】
本願の実施形態は、セミパーシステントスケジューリングの間のリソース利用を改善し、ＳＰＳデータの伝送遅延を低減するための、セミパーシステントスケジューリング方法、ネットワークデバイス、及び端末デバイスを提供する。
【０００７】
第１の態様によれば、本願の一実施形態はセミパーシステントスケジューリング方法を提供し、当該方法は、ネットワークデバイスにより、セミパーシステントスケジューリングＳＰＳ構成パラメータを決定するステップであり、ＳＰＳ構成パラメータはＳＰＳ周期長、シンボル情報、及びＳＰＳアクティブ化コマンドを含み、ＳＰＳアクティブ化コマンドは、ＳＰＳデータを送信又は受信するために利用可能な第１の時間周波数リソースのシステムフレーム番号及びサブフレーム番号を示すために使用され、シンボル情報は、サブフレーム内にあり且つＳＰＳデータを送信又は受信するための時間周波数リソースにより占有されるシンボルの位置を示すために使用される、ステップと、ネットワークデバイスにより、ＳＰＳ周期長、シンボル情報、及びＳＰＳアクティブ化コマンドに基づいて、ＳＰＳデータを送信又は受信するために利用可能な時間周波数リソースのリソース位置を決定するステップと、ネットワークデバイスにより、ＳＰＳ構成パラメータを端末デバイスに送信するステップと、を含む。
【０００８】
本願の本実施形態で提供されるセミパーシステントスケジューリング方法によれば、まず、ネットワークデバイスがセミパーシステントスケジューリングＳＰＳ構成パラメータを決定し、ＳＰＳ構成パラメータは、ＳＰＳ周期長、シンボル情報、及びＳＰＳアクティブ化コマンドを含み、ＳＰＳアクティブ化コマンドは、ＳＰＳデータを送信又は受信するために利用可能な第１の時間周波数リソースのシステムフレーム番号及びサブフレーム番号を示すために使用され、シンボル情報は、サブフレーム内にあり且つＳＰＳデータを送信又は受信するための時間周波数リソースにより占有されるシンボルの位置を示すために使用され、次いで、ネットワークデバイスは、ＳＰＳ周期長、シンボル情報、及びＳＰＳアクティブ化コマンドに基づいて、ＳＰＳデータを送信又は受信するために利用可能な時間周波数リソース位置を決定し、ＳＰＳ構成パラメータを端末デバイスに送信する。本願の本実施形態において、端末デバイス及びネットワークデバイスは、シンボル情報の指示に基づいて、サブフレーム内にあり且つＳＰＳデータを送信又は受信するために利用可能な時間周波数リソースにより占有されるシンボルの位置を決定してよい。したがって、ＳＰＳデータを送信又は受信するために利用可能な時間周波数リソースはサブフレーム内の１つ以上のシンボルに制限され、それにより、ネットワークデバイス及び端末デバイスは同じサブフレーム内の残りのシンボルリソース上で他のデータを伝送でき、それにより、セミパーシステントスケジューリングの間のリソース利用を改善する。さらに、本願の本実施形態において、ＳＰＳデータがネットワークデバイスと端末デバイスとの間で伝送されるとき、使用される時間周波数リソースはシンボルレベルである。したがって、本願の本実施形態における技術的解決策では、ＳＰＳデータの伝送遅延は１ｍｓ未満であり、それにより、ＳＰＳデータの伝送遅延が低減できる。
【０００９】
任意で、本願の本実施形態の具体的な実装において、ネットワークデバイスにより、ＳＰＳ周期長、シンボル情報、及びＳＰＳアクティブ化コマンドに基づいて、ＳＰＳデータを送信又は受信するための時間周波数リソースのリソース位置を決定するステップは、ネットワークデバイスにより、シンボル情報及びＳＰＳアクティブ化コマンドに基づいて、ＳＰＳデータを送信又は受信するために利用可能な第１の時間周波数リソースのリソース位置を決定するステップと、ネットワークデバイスにより、ＳＰＳ周期長と、ＳＰＳデータを送信又は受信するために利用可能な第１の時間周波数リソースのリソース位置とに基づいて、ＳＰＳデータを送信又は受信するために利用可能な後の時間周波数リソースのリソース位置を決定するステップと、を含む。
【００１０】
この具体的な実装において、ネットワークデバイスは、ＳＰＳアクティブ化コマンドの指示に基づいて、ＳＰＳデータを送信又は受信するために利用可能な第１の時間周波数リソースのシステムフレーム番号及びサブフレーム番号を決定してよい。次いで、ネットワークデバイスは、シンボル情報の指示に基づいて、サブフレーム番号内にあり且つＳＰＳデータを送信又は受信するために利用可能な第１の時間周波数リソースにより占有されるシンボルの位置（すなわち、ＳＰＳデータを送信又は受信するために利用可能な第１の時間周波数リソースのリソース位置）を決定してよい。これに基づき、ネットワークデバイスは、ＳＰＳデータを送信又は受信するために利用可能な後の時間周波数リソースのリソース位置として、ＳＰＳデータを送信又は受信するために利用可能な第１の時間周波数リソースのリソース位置への１つのＳＰＳ周期の各追加により決定されるリソース位置を使用する。
【００１１】
任意で、本願の本実施形態の具体的な実装において、シンボル情報は開始シンボル位置及びシンボル数を含み、あるいはショートサブフレーム数情報及びショートサブフレーム番号を含み、ショートサブフレーム数情報は、各サブフレーム内のショートサブフレーム数を示すために使用される。
【００１２】
この具体的な実装において、シンボル情報が開始シンボル位置及びシンボル数を含むとき、ネットワークデバイスは、開始シンボル位置に基づいて、ＳＰＳデータを送信又は受信するために利用可能な時間周波数リソースにより占有される第１のシンボルを決定してよい。これに基づき、ネットワークデバイスは、シンボル数に基づいて、ＳＰＳデータを送信又は受信するために利用可能な時間周波数リソースにより占有されるすべてのシンボルを決定してよく、シンボル数は１でもよく又は１より大きくてもよい。シンボル情報がショートサブフレーム数情報及びショートサブフレーム番号を含むとき、ネットワークデバイスは、ショートサブフレーム数情報に基づき、ＳＰＳデータを送信又は受信するために利用可能な時間周波数リソースにより占有される各サブフレーム内のショートサブフレーム数を決定してよく、ショートサブフレーム番号に基づいて、ＳＰＳデータを送信又は受信するために利用可能な時間周波数リソースにより占有されるショートサブフレームを決定してよく、各サブフレーム内のショートサブフレーム数は少なくとも２であり、各サブフレーム内のショートサブフレームは同じ長さ又は異なる長さを有してよい。
【００１３】
任意で、本願の本実施形態の具体的な実装において、当該方法は、ネットワークデバイスにより、ＳＰＳデータを送信又は受信するために利用可能な時間周波数リソース上でＳＰＳデータを送信又は受信するステップをさらに含む。
【００１４】
任意で、本願の本実施形態の具体的な実装において、ＳＰＳ構成パラメータは第１のオフセットをさらに含み、当該方法は、ＳＰＳデータを送信又は受信するために利用可能な時間周波数リソースが部分的又は完全に占有されているとき、ネットワークデバイスにより、第１のオフセットに基づいてオフセット時間周波数リソースを算出し、オフセット時間周波数リソース上でＳＰＳデータを受信又は送信するステップをさらに含む。
【００１５】
この具体的な実装において、ＳＰＳ構成パラメータは第１のオフセットをさらに含んでもよい。ＳＰＳデータを送信又は受信するために利用可能な時間周波数リソース上にＰＤＣＣＨが構成され、あるいはＳＰＳデータを送信又は受信するために利用可能な時間周波数リソース上で他のデータが伝送されており、あるいはネットワークデバイスと端末デバイスとの間に複数のＳＰＳが存在し、ＳＰＳデータを送信又は受信するために利用可能であり且つ本願の本実施形態におけるＳＰＳの間に決定される時間周波数リソースが１つ以上の他のＳＰＳの間に決定された時間周波数リソースと部分的又は完全に重なるとき、ＳＰＳデータを送信又は受信するために利用可能な時間周波数リソースは部分的又は完全に占有されている。この場合、ネットワークデバイスが、ＳＰＳデータを送信又は受信するために利用可能な時間周波数リソース上でＳＰＳデータを送信又は受信するとき、相互干渉が存在する。したがって、ネットワークデバイスは、ＳＰＳデータを送信又は受信するために利用可能な時間周波数リソースのリソース位置に対して第１のオフセットを追加してオフセット時間周波数リソースを算出し、次いで、ネットワークデバイスは、オフセット時間周波数リソース上でＳＰＳデータを受信又は送信し、それにより、ネットワークデバイスと端末デバイスとの間のＳＰＳデータの正常な伝送を保証する。
【００１６】
任意で、本願の本実施形態の具体的な実装において、当該方法は、ＳＰＳデータを送信又は受信するために利用可能な時間周波数リソースが部分的に占有されているとき、ネットワークデバイスにより、ＳＰＳデータを送信又は受信するために利用可能な占有されていない時間周波数リソース上でＳＰＳデータを送信又は受信するステップをさらに含む。
【００１７】
この具体的な実装において、ＳＰＳデータを送信又は受信するために利用可能な時間周波数リソースが部分的に占有されているとき、ネットワークデバイスは、ＳＰＳデータを送信又は受信するために利用可能な占有されていない時間周波数リソース上で時間周波数リソースを送信又は受信してよく、それにより、ＳＰＳデータを送信又は受信するために利用可能な時間周波数リソースの占有されていない部分が使用され、それによりリソース利用を改善する。
【００１８】
任意で、本願の本実施形態の具体的な実装において、ＳＰＳ構成パラメータはＳＰＳ優先度情報をさらに含む。当該方法は、ＳＰＳデータを送信又は受信するために利用可能な時間周波数リソースが別のＳＰＳ時間周波数リソースに部分的又は完全に重なるとき、ネットワークデバイスにより、ＳＰＳ優先度情報に基づいて、ＳＰＳデータを送信又は受信する挙動を決定するステップをさらに含む。
【００１９】
この具体的な実装において、ＳＰＳ構成パラメータはＳＰＳ優先度情報をさらに含んでもよく、ＳＰＳ優先度情報はＳＰＳデータの優先度を示すために使用される。この場合、ネットワークデバイスと端末デバイスとの間に複数のＳＰＳが存在するとき、ＳＰＳデータを送信又は受信するために利用可能であり且つ複数のＳＰＳの間に決定される時間周波数リソースが部分的又は完全に重なる場合に、ネットワークデバイスは、ＳＰＳ構成パラメータ内のＳＰＳ優先度情報に基づいてＳＰＳデータの優先度を決定してよい。次いで、ネットワークデバイスは、各ＳＰＳデータ片の優先度に基づいて、ＳＰＳデータ片を送信又は受信する挙動を決定してよい。具体的に、最も高い優先度を有するＳＰＳデータについて、ネットワークデバイスは、ＳＰＳデータを送信又は受信するために利用可能な時間周波数リソースを使用して、ＳＰＳデータを送信又は受信する。優先度が最も高くはないＳＰＳデータについて、ネットワークデバイスは、ＳＰＳデータを送信又は受信しなくてもよく、あるいは、ＳＰＳデータを送信又は受信するために利用可能な時間周波数リソースのリソース位置に対して１つ以上の第２のオフセットを追加してもよい。ここで、ＳＰＳデータのより低い優先度は、より多くの追加の第２のオフセットを示す。次いで、ネットワークデバイスは、オフセット時間周波数リソース上でＳＰＳデータを送信又は受信する。
【００２０】
任意で、本願の本実施形態の具体的な実装において、ＳＰＳ構成パラメータは、キャリア情報、ビーム情報、セル情報、セルグループ情報、又は論理チャネル情報をさらに含む。当該方法は、ネットワークデバイスにより、キャリア情報、ビーム情報、セル情報、セルグループ情報、又は論理チャネル情報に基づいて、ＳＰＳデータを送信又は受信するために使用されるキャリア、ビーム、セル、セルグループ、又は論理チャネルを決定するステップをさらに含む。
【００２１】
この具体的な実装において、ＳＰＳ構成パラメータは、キャリア情報、ビーム情報、セル情報、セルグループ情報、又は論理チャネル情報を含む。したがって、ネットワークデバイスは、キャリア情報、ビーム情報、セル情報、セルグループ情報、又は論理チャネル情報に基づいて、ＳＰＳデータを送信又は受信するために使用されるキャリア、ビーム、セル、セルグループ、又は論理チャネルを決定して、セミパーシステントスケジューリングが使用されるエリア範囲を決定してよい。
【００２２】
任意で、本願の本実施形態の具体的な実装において、ＳＰＳ構成パラメータはハイブリッド自動再送要求ＨＡＲＱ数をさらに含む。当該方法は、ネットワークデバイスにより、ＨＡＲＱ数とＳＰＳデータを送信するために利用可能な時間周波数リソースのリソース位置とに基づいて、ＨＡＲＱ  ＩＤを決定するステップをさらに含む。
【００２３】
この具体的な実装において、ＳＰＳ構成パラメータはＨＡＲＱ数をさらに含み、それにより、ＳＰＳデータの下りリンク伝送がネットワークデバイスと端末デバイスとの間で実行されるとき、ネットワークデバイスは、ＨＡＲＱ数とＳＰＳデータを送信するために利用可能な時間周波数リソースのリソース位置とに基づいてＨＡＲＱ  ＩＤを決定してよい。
【００２４】
任意で、本願の本実施形態の具体的な実装において、ＳＰＳ構成パラメータはＳＰＳ無線ネットワーク一時識別子をさらに含む。
【００２５】
この具体的な実装において、ネットワークデバイスは、ＳＰＳ無線ネットワーク一時識別子に基づいて異なるサービス情報を区別してよい。
【００２６】
第２の態様によれば、本願の一実施形態がセミパーシステントスケジューリング方法を提供し、当該方法は、端末デバイスにより、ネットワークデバイスにより送信されたセミパーシステントスケジューリングＳＰＳ構成パラメータを受信するステップであり、ＳＰＳ構成パラメータはＳＰＳ周期長、シンボル情報、及びＳＰＳアクティブ化コマンドを含み、ＳＰＳアクティブ化コマンドは、ＳＰＳデータを送信又は受信するために利用可能な第１の時間周波数リソースのシステムフレーム番号及びサブフレーム番号を示すために使用され、シンボル情報は、サブフレーム内にあり且つＳＰＳデータを送信又は受信するための時間周波数リソースにより占有されるシンボルの位置を示すために使用される、ステップと、端末デバイスにより、ＳＰＳ周期長、シンボル情報、及びＳＰＳアクティブ化コマンドに基づいて、ＳＰＳデータを送信又は受信するために利用可能な時間周波数リソースのリソース位置を決定するステップと、を含む。
【００２７】
本願の本実施形態で提供されるセミパーシステントスケジューリング方法によれば、まず、端末デバイスが、ネットワークデバイスにより送信されたセミパーシステントスケジューリングＳＰＳ構成パラメータを受信し、ＳＰＳ構成パラメータは、ＳＰＳ周期長、シンボル情報、及びＳＰＳアクティブ化コマンドを含み、ＳＰＳアクティブ化コマンドは、ＳＰＳデータを送信又は受信するために利用可能な第１の時間周波数リソースのシステムフレーム番号及びサブフレーム番号を示すために使用され、シンボル情報は、サブフレーム内にあり且つＳＰＳデータを送信又は受信するための時間周波数リソースにより占有されるシンボルの位置を示すために使用され、次いで、端末デバイスは、ＳＰＳ周期長、シンボル情報、及びＳＰＳアクティブ化コマンドに基づいて、ＳＰＳデータを送信又は受信するために利用可能な時間周波数リソースのリソース位置を決定する。本願の本実施形態において、端末デバイス及びネットワークデバイスは、シンボル情報の指示に基づいて、サブフレーム内にあり且つＳＰＳデータを送信又は受信するために利用可能な時間周波数リソースにより占有されるシンボルの位置を決定してよい。したがって、ＳＰＳデータを送信又は受信するために利用可能な時間周波数リソースはサブフレーム内の１つ以上のシンボルに制限され、それにより、ネットワークデバイス及び端末デバイスは同じサブフレーム内の残りのシンボルリソース上で他のデータを伝送でき、それにより、セミパーシステントスケジューリングの間のリソース利用を改善する。さらに、本願の本実施形態において、ＳＰＳデータがネットワークデバイスと端末デバイスとの間で伝送されるとき、使用される時間周波数リソースはシンボルレベルである。したがって、本願の本実施形態における技術的解決策では、ＳＰＳデータの伝送遅延は１ｍｓ未満であり、それにより、ＳＰＳデータの伝送遅延が低減できる。
【００２８】
任意で、本願の本実施形態の具体的な実装において、端末デバイスにより、ＳＰＳ周期長、シンボル情報、及びＳＰＳアクティブ化コマンドに基づいて、ＳＰＳデータを送信又は受信するための時間周波数リソースのリソース位置を決定するステップは、端末デバイスにより、シンボル情報及びＳＰＳアクティブ化コマンドに基づいて、ＳＰＳデータを送信又は受信するために利用可能な第１の時間周波数リソースのリソース位置を決定するステップと、端末デバイスにより、ＳＰＳ周期長と、ＳＰＳデータを送信又は受信するために利用可能な第１の時間周波数リソースのリソース位置とに基づいて、ＳＰＳデータを送信又は受信するために利用可能な後の時間周波数リソースのリソース位置を決定するステップと、を含む。
【００２９】
この具体的な実装において、端末デバイスは、ＳＰＳアクティブ化コマンドの指示に基づいて、ＳＰＳデータを送信又は受信するために利用可能な第１の時間周波数リソースのシステムフレーム番号及びサブフレーム番号を決定してよい。次いで、端末デバイスは、シンボル情報の指示に基づいて、サブフレーム番号内にあり且つＳＰＳデータを送信又は受信するために利用可能な第１の時間周波数リソースにより占有されるシンボルの位置（すなわち、ＳＰＳデータを送信又は受信するために利用可能な第１の時間周波数リソースのリソース位置）を決定してよい。これに基づき、端末デバイスは、ＳＰＳデータを送信又は受信するために利用可能な後の時間周波数リソースのリソース位置として、ＳＰＳデータを送信又は受信するために利用可能な第１の時間周波数リソースのリソース位置への１つのＳＰＳ周期の各追加により決定されるリソース位置を使用する。
【００３０】
任意で、本願の本実施形態の具体的な実装において、シンボル情報は開始シンボル位置及びシンボル数を含み、あるいはショートサブフレーム数情報及びショートサブフレーム番号を含み、ショートサブフレーム数情報は、各サブフレーム内のショートサブフレーム数を示すために使用される。
【００３１】
この具体的な実装において、シンボル情報が開始シンボル位置及びシンボル数を含むとき、端末デバイスは、開始シンボル位置に基づいて、ＳＰＳデータを送信又は受信するために利用可能な時間周波数リソースにより占有される第１のシンボルを決定してよい。これに基づき、端末デバイスは、シンボル数に基づいて、ＳＰＳデータを送信又は受信するために利用可能な時間周波数リソースにより占有されるすべてのシンボルを決定してよく、シンボル数は１でもよく又は１より大きくてもよい。シンボル情報がショートサブフレーム数情報及びショートサブフレーム番号を含むとき、端末デバイスは、ショートサブフレーム数情報に基づき、ＳＰＳデータを送信又は受信するために利用可能な時間周波数リソースにより占有される各サブフレーム内のショートサブフレーム数を決定してよく、ショートサブフレーム番号に基づいて、ＳＰＳデータを送信又は受信するために利用可能な時間周波数リソースにより占有されるショートサブフレームを決定してよく、各サブフレーム内のショートサブフレーム数は少なくとも２であり、各サブフレーム内のショートサブフレームは同じ長さ又は異なる長さを有してよい。
【００３２】
任意で、本願の本実施形態の具体的な実装において、当該方法は、端末デバイスにより、ＳＰＳデータを送信又は受信するために利用可能な時間周波数リソース上でＳＰＳデータを送信又は受信するステップをさらに含む。
【００３３】
任意で、本願の本実施形態の具体的な実装において、ＳＰＳ構成パラメータは第１のオフセットをさらに含み、当該方法は、ＳＰＳデータを送信又は受信するために利用可能な時間周波数リソースが部分的又は完全に占有されているとき、端末デバイスにより、第１のオフセットに基づいてオフセット時間周波数リソースを算出し、オフセット時間周波数リソース上でＳＰＳデータを受信又は送信するステップをさらに含む。
【００３４】
この具体的な実装において、ＳＰＳ構成パラメータは第１のオフセットをさらに含んでもよい。ＳＰＳデータを送信又は受信するために利用可能な時間周波数リソース上にＰＤＣＣＨが構成され、あるいはＳＰＳデータを送信又は受信するために利用可能な時間周波数リソース上で他のデータが伝送されており、あるいはネットワークデバイスと端末デバイスとの間に複数のＳＰＳが存在し、ＳＰＳデータを送信又は受信するために利用可能であり且つ本願の本実施形態におけるＳＰＳの間に決定される時間周波数リソースが１つ以上の他のＳＰＳの間に決定された時間周波数リソースと部分的又は完全に重なるとき、ＳＰＳデータを送信又は受信するために利用可能な時間周波数リソースは部分的又は完全に占有されている。この場合、ネットワークデバイスが、ＳＰＳデータを送信又は受信するために利用可能な時間周波数リソース上でＳＰＳデータを送信又は受信するとき、相互干渉が存在する。したがって、端末デバイスは、ＳＰＳデータを送信又は受信するために利用可能な時間周波数リソースのリソース位置に対して第１のオフセットを追加してオフセット時間周波数リソースを算出し、次いで、端末デバイスは、オフセット時間周波数リソース上でＳＰＳデータを受信又は送信し、それにより、ネットワークデバイスと端末デバイスとの間のＳＰＳデータの正常な伝送を保証する。
【００３５】
任意で、本願の本実施形態の具体的な実装において、当該方法は、ＳＰＳデータを送信又は受信するために利用可能な時間周波数リソースが部分的に占有されているとき、端末デバイスにより、ＳＰＳデータを送信又は受信するために利用可能な占有されていない時間周波数リソース上でＳＰＳデータを送信又は受信するステップをさらに含む。
【００３６】
この具体的な実装において、ＳＰＳデータを送信又は受信するために利用可能な時間周波数リソースが部分的に占有されているとき、端末デバイスは、ＳＰＳデータを送信又は受信するために利用可能な占有されていない時間周波数リソース上で時間周波数リソースを送信又は受信してよく、それにより、ＳＰＳデータを送信又は受信するために利用可能な時間周波数リソースの占有されていない部分が使用され、それによりリソース利用を改善する。
【００３７】
任意で、本願の本実施形態の具体的な実装において、ＳＰＳ構成パラメータはＳＰＳ優先度情報をさらに含む。当該方法は、ＳＰＳデータを送信又は受信するために利用可能な時間周波数リソースが別のＳＰＳ時間周波数リソースに部分的又は完全に重なるとき、端末デバイスにより、ＳＰＳ優先度情報に基づいて、ＳＰＳデータを送信又は受信する挙動を決定するステップをさらに含む。
【００３８】
この具体的な実装において、ＳＰＳ構成パラメータはＳＰＳ優先度情報をさらに含んでもよく、ＳＰＳ優先度情報はＳＰＳデータの優先度を示すために使用される。この場合、ネットワークデバイスと端末デバイスとの間に複数のＳＰＳが存在するとき、ＳＰＳデータを送信又は受信するために利用可能であり且つ複数のＳＰＳの間に決定される時間周波数リソースが部分的又は完全に重なる場合に、ネットワークデバイスは、ＳＰＳ構成パラメータ内のＳＰＳ優先度情報に基づいてＳＰＳデータの優先度を決定してよい。次いで、ネットワークデバイスは、各ＳＰＳデータ片の優先度に基づいて、ＳＰＳデータ片を送信又は受信する挙動を決定してよい。具体的に、最も高い優先度を有するＳＰＳデータについて、ネットワークデバイスは、ＳＰＳデータを送信又は受信するために利用可能な時間周波数リソースを使用して、ＳＰＳデータを送信又は受信する。優先度が最も高くはないＳＰＳデータについて、ネットワークデバイスは、ＳＰＳデータを送信又は受信しなくてもよく、あるいは、ＳＰＳデータを送信又は受信するために利用可能な時間周波数リソースのリソース位置に対して１つ以上の第２のオフセットを追加してもよい。ここで、ＳＰＳデータのより低い優先度は、より多くの追加の第２のオフセットを示す。次いで、ネットワークデバイスは、オフセット時間周波数リソース上でＳＰＳデータを送信又は受信する。
【００３９】
任意で、本願の本実施形態の具体的な実装において、ＳＰＳ構成パラメータは、キャリア情報、ビーム情報、セル情報、セルグループ情報、又は論理チャネル情報をさらに含む。当該方法は、端末デバイスにより、キャリア情報、ビーム情報、セル情報、セルグループ情報、又は論理チャネル情報に基づいて、ＳＰＳデータを送信又は受信するために使用されるキャリア、ビーム、セル、又はセルグループを決定するステップをさらに含む。
【００４０】
この具体的な実装において、ＳＰＳ構成パラメータは、キャリア情報、ビーム情報、セル情報、セルグループ情報、又は論理チャネル情報を含む。したがって、端末デバイスは、キャリア情報、ビーム情報、セル情報、セルグループ情報、又は論理チャネル情報に基づいて、ＳＰＳデータを送信又は受信するために使用されるキャリア、ビーム、セル、セルグループ、又は論理チャネルを決定して、セミパーシステントスケジューリングが使用されるエリア範囲を決定してよい。
【００４１】
任意で、本願の本実施形態の具体的な実装において、ＳＰＳ構成パラメータはハイブリッド自動再送要求ＨＡＲＱ数をさらに含み、当該方法は、
端末デバイスにより、ＨＡＲＱ数とＳＰＳデータを送信するために利用可能な時間周波数リソースのリソース位置とに基づいて、ＨＡＲＱ  ＩＤを決定するステップをさらに含む。
【００４２】
この具体的な実装において、ＳＰＳ構成パラメータはＨＡＲＱ数をさらに含み、それにより、ＳＰＳデータの下りリンク伝送がネットワークデバイスと端末デバイスとの間で実行されるとき、端末デバイスは、ＨＡＲＱ数とＳＰＳデータを送信するために利用可能な時間周波数リソースのリソース位置とに基づいてＨＡＲＱ  ＩＤを決定してよい。
【００４３】
任意で、本願の本実施形態の具体的な実装において、ＳＰＳ構成パラメータはＳＰＳ無線ネットワーク一時識別子をさらに含む。
【００４４】
この具体的な実装において、ネットワークデバイスは、ＳＰＳ無線ネットワーク一時識別子に基づいて異なるサービス情報を区別してよい。
【００４５】
第３の態様によれば、本願の一実施形態がネットワークデバイスを提供し、当該ネットワークデバイスは、セミパーシステントスケジューリングＳＰＳ構成パラメータを決定することであり、ＳＰＳ構成パラメータはＳＰＳ周期長、シンボル情報、及びＳＰＳアクティブ化コマンドを含み、ＳＰＳアクティブ化コマンドは、ＳＰＳデータを送信又は受信するために利用可能な第１の時間周波数リソースのシステムフレーム番号及びサブフレーム番号を示すために使用され、シンボル情報は、サブフレーム内にあり且つＳＰＳデータを送信又は受信するための時間周波数リソースにより占有されるシンボルの位置を示すために使用され；ＳＰＳ周期長、シンボル情報、及びＳＰＳアクティブ化コマンドに基づいて、ＳＰＳデータを送信又は受信するために利用可能な時間周波数リソースのリソース位置を決定するように構成された処理モジュールと、ＳＰＳ構成パラメータを端末デバイスに送信するように構成された送受信機モジュールと、を含む。
【００４６】
本願の本実施形態で提供されるネットワークデバイスによれば、まず、処理モジュールが、セミパーシステントスケジューリングＳＰＳ構成パラメータを決定し、ＳＰＳ構成パラメータは、ＳＰＳ周期長、シンボル情報、及びＳＰＳアクティブ化コマンドを含み、ＳＰＳアクティブ化コマンドは、ＳＰＳデータを送信又は受信するために利用可能な第１の時間周波数リソースのシステムフレーム番号及びサブフレーム番号を示すために使用され、シンボル情報は、サブフレーム内にあり且つＳＰＳデータを送信又は受信するための時間周波数リソースにより占有されるシンボルの位置を示すために使用される。次いで、処理モジュールは、ＳＰＳ周期長、シンボル情報、及びＳＰＳアクティブ化コマンドに基づいて、ＳＰＳデータを送信又は受信するために利用可能な時間周波数リソースのリソース位置を決定し、最後、送受信機モジュールが、ＳＰＳ構成パラメータを端末デバイスに送信する。本願の本実施形態において、端末デバイス及びネットワークデバイスは、シンボル情報の指示に基づいて、サブフレーム内にあり且つＳＰＳデータを送信又は受信するために利用可能な時間周波数リソースにより占有されるシンボルの位置を決定してよい。したがって、ＳＰＳデータを送信又は受信するために利用可能な時間周波数リソースはサブフレーム内の１つ以上のシンボルに制限され、それにより、ネットワークデバイス及び端末デバイスは同じサブフレーム内の残りのシンボルリソース上で他のデータを伝送でき、それにより、セミパーシステントスケジューリングの間のリソース利用を改善する。さらに、本願の本実施形態において、ＳＰＳデータがネットワークデバイスと端末デバイスとの間で伝送されるとき、使用される時間周波数リソースはシンボルレベルである。したがって、本願の本実施形態における技術的解決策では、ＳＰＳデータの伝送遅延は１ｍｓ未満であり、それにより、ＳＰＳデータの伝送遅延が低減できる。
【００４７】
任意で、本願の本実施形態の具体的な実装において、処理モジュールは具体的に、シンボル情報及びＳＰＳアクティブ化コマンドに基づいて、ＳＰＳデータを送信又は受信するために利用可能な第１の時間周波数リソースのリソース位置を決定し、ＳＰＳ周期長と、ＳＰＳデータを送信又は受信するために利用可能な第１の時間周波数リソースのリソース位置とに基づいて、ＳＰＳデータを送信又は受信するために利用可能な後の時間周波数リソースのリソース位置を決定するように構成される。
【００４８】
任意で、本願の本実施形態の具体的な実装において、シンボル情報は開始シンボル位置及びシンボル数を含み、あるいはショートサブフレーム数情報及びショートサブフレーム番号を含み、ショートサブフレーム数情報は、各サブフレーム内のショートサブフレーム数を示すために使用される。
【００４９】
任意で、本願の本実施形態の具体的な実装において、送受信機モジュールは、当該ネットワークデバイスにより、ＳＰＳデータを送信又は受信するために利用可能な時間周波数リソース上でＳＰＳデータを送信又は受信するようにさらに構成される。
【００５０】
任意で、本願の本実施形態の具体的な実装において、ＳＰＳ構成パラメータは第１のオフセットをさらに含み、処理モジュールは、ＳＰＳデータを送信又は受信するために利用可能な時間周波数リソースが部分的又は完全に占有されているとき、第１のオフセットに基づいてオフセット時間周波数リソースを算出するようにさらに構成され、送受信機モジュールは、オフセット時間周波数リソース上でＳＰＳデータを受信又は送信するようにさらに構成される。
【００５１】
任意で、本願の本実施形態の具体的な実装において、送受信機モジュールは、ＳＰＳデータを送信又は受信するために利用可能な時間周波数リソースが部分的に占有されているとき、ＳＰＳデータを送信又は受信するために利用可能な占有されていない時間周波数リソース上でＳＰＳデータを送信又は受信するようにさらに構成される。
【００５２】
任意で、本願の本実施形態の具体的な実装において、ＳＰＳ構成パラメータはＳＰＳ優先度情報をさらに含み、処理モジュールは、ＳＰＳデータを送信又は受信するために利用可能な時間周波数リソースが別のＳＰＳ時間周波数リソースに部分的又は完全に重なるとき、ＳＰＳ優先度情報に基づいて、ＳＰＳデータを送信又は受信する挙動を決定するようにさらに構成される。
【００５３】
任意で、本願の本実施形態の具体的な実装において、ＳＰＳ構成パラメータは、キャリア情報、ビーム情報、セル情報、セルグループ情報、又は論理チャネル情報をさらに含む。処理モジュールは、キャリア情報、ビーム情報、セル情報、セルグループ情報、又は論理チャネル情報に基づいて、ＳＰＳデータを送信又は受信するためのキャリア、ビーム、セル、セルグループ、又は論理チャネルを決定するようにさらに構成される。
【００５４】
任意で、本願の本実施形態の具体的な実装において、ＳＰＳ構成パラメータはハイブリッド自動再送要求ＨＡＲＱ数をさらに含む。処理モジュールは、ＨＡＲＱ数とＳＰＳデータを送信するために利用可能な時間周波数リソースのリソース位置とに基づいて、ＨＡＲＱ  ＩＤを決定するようにさらに構成される。
【００５５】
任意で、本願の本実施形態の具体的な実装において、ＳＰＳ構成パラメータはＳＰＳ無線ネットワーク一時識別子をさらに含む。
【００５６】
第４の態様によれば、本願の一実施形態は端末デバイスを提供し、当該端末デバイスは、ネットワークデバイスにより送信されたセミパーシステントスケジューリングＳＰＳ構成パラメータを受信することであり、ＳＰＳ構成パラメータはＳＰＳ周期長、シンボル情報、及びＳＰＳアクティブ化コマンドを含み、ＳＰＳアクティブ化コマンドは、ＳＰＳデータを送信又は受信するために利用可能な第１の時間周波数リソースのシステムフレーム番号及びサブフレーム番号を示すために使用され、シンボル情報は、サブフレーム内にあり且つＳＰＳデータを送信又は受信するための時間周波数リソースにより占有されるシンボルの位置を示すために使用される、ように構成された送受信機モジュールと、ＳＰＳ周期長、シンボル情報、及びＳＰＳアクティブ化コマンドに基づいて、ＳＰＳデータを送信又は受信するために利用可能な時間周波数リソースのリソース位置を決定するように構成された処理モジュールと、を含む。
【００５７】
本願の本実施形態で提供されるセミパーシステントスケジューリング方法によれば、まず、送受信機モジュールが、ネットワークデバイスにより送信されたセミパーシステントスケジューリングＳＰＳ構成パラメータを受信し、ＳＰＳ構成パラメータは、ＳＰＳ周期長、シンボル情報、及びＳＰＳアクティブ化コマンドを含み、ＳＰＳアクティブ化コマンドは、ＳＰＳデータを送信又は受信するために利用可能な第１の時間周波数リソースのシステムフレーム番号及びサブフレーム番号を示すために使用され、シンボル情報は、サブフレーム内にあり且つＳＰＳデータを送信又は受信するための時間周波数リソースにより占有されるシンボルの位置を示すために使用され、次いで、処理モジュールが、ＳＰＳ周期長、シンボル情報、及びＳＰＳアクティブ化コマンドに基づいて、ＳＰＳデータを送信又は受信するために利用可能な時間周波数リソースのリソース位置を決定する。本願の本実施形態において、端末デバイス及びネットワークデバイスは、シンボル情報の指示に基づいて、サブフレーム内にあり且つＳＰＳデータを送信又は受信するために利用可能な時間周波数リソースにより占有されるシンボルの位置を決定してよい。したがって、ＳＰＳデータを送信又は受信するために利用可能な時間周波数リソースはサブフレーム内の１つ以上のシンボルに制限され、それにより、ネットワークデバイス及び端末デバイスは同じサブフレーム内の残りのシンボルリソース上で他のデータを伝送でき、それにより、セミパーシステントスケジューリングの間のリソース利用を改善する。さらに、本願の本実施形態において、ＳＰＳデータがネットワークデバイスと端末デバイスとの間で伝送されるとき、使用される時間周波数リソースはシンボルレベルである。したがって、本願の本実施形態における技術的解決策では、ＳＰＳデータの伝送遅延は１ｍｓ未満であり、それにより、ＳＰＳデータの伝送遅延が低減できる。
【００５８】
任意で、本願の本実施形態の具体的な実装において、処理モジュールは具体的に、シンボル情報及びＳＰＳアクティブ化コマンドに基づいて、ＳＰＳデータを送信又は受信するために利用可能な第１の時間周波数リソースのリソース位置を決定し、ＳＰＳ周期長と、ＳＰＳデータを送信又は受信するために利用可能な第１の時間周波数リソースのリソース位置とに基づいて、ＳＰＳデータを送信又は受信するために利用可能な後の時間周波数リソースのリソース位置を決定するように構成される。
【００５９】
任意で、本願の本実施形態の具体的な実装において、シンボル情報は開始シンボル位置及びシンボル数を含み、あるいはショートサブフレーム数情報及びショートサブフレーム番号を含み、ショートサブフレーム数情報は、各サブフレーム内のショートサブフレーム数を示すために使用される。
【００６０】
任意で、本願の本実施形態の具体的な実装において、送受信機モジュールは、ＳＰＳデータを送信又は受信するために利用可能な時間周波数リソース上でＳＰＳデータを送信又は受信するようにさらに構成される。
【００６１】
任意で、本願の本実施形態の具体的な実装において、ＳＰＳ構成パラメータは第１のオフセットをさらに含み、処理モジュールは、ＳＰＳデータを送信又は受信するために利用可能な時間周波数リソースが部分的又は完全に占有されているとき、第１のオフセットに基づいてオフセット時間周波数リソースを算出するようにさらに構成され、送受信機モジュールは、オフセット時間周波数リソース上でＳＰＳデータを受信又は送信するようにさらに構成される。
【００６２】
任意で、本願の本実施形態の具体的な実装において、送受信機モジュールは、ＳＰＳデータを送信又は受信するために利用可能な時間周波数リソースが部分的に占有されているとき、ＳＰＳデータを送信又は受信するために利用可能な占有されていない時間周波数リソース上でＳＰＳデータを送信又は受信するようにさらに構成される。
【００６３】
任意で、本願の本実施形態の具体的な実装において、ＳＰＳ構成パラメータはＳＰＳ優先度情報をさらに含み、処理モジュールは、ＳＰＳデータを送信又は受信するために利用可能な時間周波数リソースが別のＳＰＳ時間周波数リソースに部分的又は完全に重なるとき、ＳＰＳ優先度情報に基づいて、ＳＰＳデータを送信又は受信する挙動を決定するようにさらに構成される。
【００６４】
任意で、本願の本実施形態の具体的な実装において、ＳＰＳ構成パラメータは、キャリア情報、ビーム情報、セル情報、セルグループ情報、又は論理チャネル情報をさらに含む。処理モジュールは、キャリア情報、ビーム情報、セル情報、セルグループ情報、又は論理チャネル情報に基づいて、ＳＰＳデータを送信又は受信するためのキャリア、ビーム、セル、セルグループ、又は論理チャネルを決定するようにさらに構成される。
【００６５】
任意で、本願の本実施形態の具体的な実装において、ＳＰＳ構成パラメータはハイブリッド自動再送要求ＨＡＲＱ数をさらに含む。処理モジュールは、ＨＡＲＱ数とＳＰＳデータを送信するために利用可能な時間周波数リソースのリソース位置とに基づいて、ＨＡＲＱ  ＩＤを決定するようにさらに構成される。
【００６６】
任意で、本願の本実施形態の具体的な実装において、ＳＰＳ構成パラメータはＳＰＳ無線ネットワーク一時識別子をさらに含む。
【００６７】
本願の実施形態は、コンピュータ読取可能記憶媒体、コンピュータプログラムプロダクト、及び通信デバイスをさらに提供する。コンピュータ読取可能記憶媒体は命令を含み、命令がコンピュータ上で実行すると、コンピュータは、前述の態様又は実装のうちいずれか１つに従って方法を実行することが可能となる。コンピュータプログラムプロダクトがコンピュータ上で実行すると、コンピュータは、前述の態様又は実装のうちいずれか１つに記載の方法を実行することを可能にされる。通信デバイスは、メモリと、プロセッサと、メモリに記憶され、プロセッサ内で実行できるコンピュータプログラムとを含む。プロセッサは、プログラムを実行すると、前述の態様又は実装のうちいずれか１つに記載の方法を実現する。
【図面の簡単な説明】
【００６８】
本願の実施形態における技術的解決策をより明確に説明するために、以下で、実施形態を説明するために必要な添付の図面を簡潔に説明する。
【図１】本願の一実施形態による適用シナリオの概略図である。
【図２】本願の一実施形態によるセミパーシステントスケジューリング方法のフローチャートである。
【図３】本願の一実施形態による、ＳＰＳデータのための時間周波数リソースのリソース位置の概略図である。
【図４】本願の一実施形態による、ＳＰＳデータのための時間周波数リソースのオフセットリソース位置の概略図である。
【図５】本願の一実施形態による、ＳＰＳデータのための時間周波数リソースの別のオフセットリソース位置の概略図である。
【図６】本願の一実施形態による、ＳＰＳデータのための時間周波数リソースの別のリソース位置の概略図である。
【図７】本願の一実施形態によるネットワークデバイスの概略構成図である。
【図８】本願の一実施形態による端末デバイスの概略構成図である。
【図９】本願の一実施形態による別の端末デバイスの概略構成図である。
【図１０】本願の一実施形態による別のネットワークデバイスの概略構成図である。
【発明を実施するための形態】
【００６９】
本願の実施形態の適用シナリオは、添付の図面を参照して以下に説明される。図１は、本願の一実施形態による適用シナリオの概略図である。端末デバイス１１及びネットワークデバイス１２が適用シナリオに含まれ、本願の本実施形態における適用シナリオは、４Ｇ、４．５Ｇ、又は５Ｇ通信システムなどの通信システムに適用可能である。
【００７０】
本願の本実施形態の具体的な実装プロセスにおいて、端末デバイス１１は、音声及び／又はデータ接続性をユーザに提供するデバイス、無線接続機能を有するハンドヘルドデバイス、又は無線モデムに接続された別の処理デバイスであってもよい。端末デバイス１１は、無線アクセスネットワーク（radio  access  network、ＲＡＮ）を通じて１つ以上のコアネットワークと通信し得る。端末デバイス１１は、モバイルフォン（「セルラーフォン」とも呼ばれる）などの移動端末であってもよく、移動端末を備えたコンピュータは、例えば、無線アクセスネットワークと音声及び／又はデータを交換するポータブル、ポケットサイズ、ハンドヘルド、コンピュータ内蔵、又は車載の移動装置であってもよい。例えば、端末デバイス１１は、パーソナル通信サービス（personal  communication  service、ＰＣＳ）フォン、コードレス電話セット、セッション開始プロトコル（session  initiation  protocol、ＳＩＰ）フォン、無線ローカルループ（wireless  local  loop、ＷＬＬ）局、又はパーソナルデジタルアシスタント（personal  digital  assistant、ＰＤＡ）などのデバイスであってもよい。端末デバイス１１は、システム、加入者ユニット（subscriber  unit、ＳＵ）、加入者局（subscriber  station、ＳＳ）、移動局（mobile  station、ＭＳ）、遠隔局（remote  station、ＲＳ）、アクセスポイント（access  point、ＡＰ）、遠隔端末（remote  terminal、ＲＴ）、アクセス端末（access  terminal、ＡＴ）、ユーザ端末（user  terminal、ＵＴ）、ユーザエージェント（user  agent、ＵＡ）、ユーザデバイス、又はユーザ装置（user  equipment、ＵＥ）とも呼ばれ得る。ネットワークデバイス１２は、基地局、拡張基地局、スケジューリング機能を有する中継器、基地局機能を有するデバイスなどであってもよく、基地局は、ＬＴＥシステム内の進化型ノードＢ（evolved  Node  B、ｅＮＢ）であってもよく、あるいは別のシステム内の基地局であってもよい。これは、本願の本実施形態において限定されない。
【００７１】
図１に示す適用シナリオにおいて、本願の実施形態は、セミパーシステントスケジューリングが関連技術において使用されるときに低いリソース利用率及びＳＰＳデータの比較的大きい伝送遅延の問題を解決するための、セミパーシステントスケジューリング方法、ネットワークデバイス、及び端末デバイスを提供する。
【００７２】
本願の一実施形態において、ネットワークデバイス１２は、セミパーシステントスケジューリングＳＰＳ構成パラメータを決定する。ＳＰＳ構成パラメータは、ＳＰＳ周期長、シンボル情報、及びＳＰＳアクティブ化（activation）コマンドを含み、ＳＰＳアクティブ化コマンドは、ＳＰＳデータを送信又は受信するために利用可能な第１の時間周波数リソースのシステムフレーム番号及びサブフレーム番号を示すために使用される。シンボル情報は、サブフレーム内にあり且つＳＰＳデータを送信又は受信するための時間周波数リソースにより占有されるシンボルの位置を示すために使用される。ＳＰＳ周期長は、ＳＰＳデータを送信又は受信するために利用可能な２つの近隣時間周波数リソースの間の時間間隔を示すために使用される。ＳＰＳ構成パラメータを決定した後、ネットワークデバイス１２は、ＳＰＳ構成パラメータ内のＳＰＳ周期長、シンボル情報、及びＳＰＳアクティブ化コマンドに基づいて、ＳＰＳデータを送信又は受信するために利用可能な時間周波数リソースのリソース位置を決定し得る。さらに、ネットワークデバイス１２は、決定されたＳＰＳ構成パラメータを端末デバイス１１に送信し、それにより、端末デバイス１１は、ＳＰＳ構成パラメータ内のＳＰＳ周期長、シンボル情報、及びＳＰＳアクティブ化コマンドに基づいて、ＳＰＳデータを送信又は受信するために利用可能な時間周波数リソースのリソース位置を決定する。これに基づき、ＳＰＳデータは、ＳＰＳデータを送信又は受信するために利用可能な時間周波数リソース上でネットワークデバイス１２と端末デバイス１１との間で伝送される（例えば、ネットワークデバイス１２が端末デバイス１１にＳＰＳデータを送信し、あるいは端末デバイス１１がネットワークデバイス１２にＳＰＳデータを送信する）。
【００７３】
本願の本実施形態において、端末デバイス１１及びネットワークデバイス１２は、シンボル情報の指示に基づいて、サブフレーム内にあり且つＳＰＳデータを送信又は受信するために利用可能な時間周波数リソースにより占有されるシンボルの位置を決定してよい。したがって、ＳＰＳデータを送信又は受信するために利用可能な時間周波数リソースはサブフレーム内の１つ以上のシンボルに制限され（具体的に言えば、ＳＰＳデータを送信又は受信するための時間周波数リソースはシンボルレベルである）、それにより、ネットワークデバイス１２及び端末デバイス１１は、同じサブフレーム内の残りのシンボルリソース上で他のデータを伝送することができ、それにより、セミパーシステントスケジューリングの間のリソース利用を改善する。さらに、本願の本実施形態において、ＳＰＳデータがネットワークデバイス１２と端末デバイス１１との間で伝送されるとき、使用される時間周波数リソースはシンボルレベルである。したがって、本願の本実施形態における技術的解決策では、ＳＰＳデータの伝送遅延は１ｍｓ未満であり、それにより、ＳＰＳデータの伝送遅延が低減できる。ここで、本明細書におけるシンボルは直交周波数分割多重（orthogonal  frequency  division  multiplexing、ＯＦＤＭ）シンボルであることに留意されたい。
【００７４】
以下、図２に示す一実施形態を用いて、端末デバイス１１とネットワークデバイス１２との間の相互作用プロセスについて詳細に説明する。
【００７５】
図２は、本願の一実施形態によるセミパーシステントスケジューリング方法のフローチャートである。本実施形態は、以下のステップを含み得る。
【００７６】
ステップＳ２１０．ネットワークデバイス１２が、ＳＰＳ構成パラメータを決定する。
【００７７】
本願の本実施形態の具体的な実装プロセスにおいて、ネットワークデバイスは、ＳＰＳ構成パラメータを予め定義してもよい。ＳＰＳが実行される必要があるとき、予め定義されたＳＰＳ構成パラメータが呼び出される。あるいは、ネットワークデバイスは、ＳＰＳが実行される必要があるとき、ＳＰＳ構成パラメータを瞬時に設定してもよい。
【００７８】
ＳＰＳ構成パラメータは、ＳＰＳ周期長、シンボル情報、及びＳＰＳアクティブ化コマンドを含んでよい。ここで、ＳＰＳアクティブ化コマンドは、ＳＰＳデータを送信又は受信するために利用可能な第１の時間周波数リソースのシステムフレーム番号及びサブフレーム番号を示すために使用され、シンボル情報は、サブフレーム内にあり且つＳＰＳデータを送信又は受信するための時間周波数リソースにより占有されるシンボルの位置を示すために使用され、ＳＰＳ周期長は、ＳＰＳデータを送信又は受信するために使用される２つの近隣時間周波数リソースの間の時間間隔を示すために使用される。
【００７９】
本願の本実施形態の具体的な実装プロセスにおいて、シンボル情報は、複数の表現形式を有してもよい。例えば、シンボル情報は、開始シンボル位置及びシンボル数を含んでもよい（例えば、開始シンボルが第３のシンボルであり、シンボル数が２である）。別の例として、シンボル情報は、開始スロット位置及びスロット数を含んでもよい（例えば、１つのサブフレームが６つのスロットを含み、開始スロットが第２のスロットであり、スロット数が２である）。さらに別の例として、シンボル情報は、代わりに、ショートサブフレーム（short-subframe）数情報及びショートサブフレーム番号を含んでもよく（例えば、１つのサブフレームが６つのショートサブフレームを含み、シンボル情報内のショートサブフレーム番号が３であり、あるいは、１つのサブフレームが１４個のシンボルを含み、シンボル情報内のシンボル番号数が３である）、ショートサブフレーム数情報は、各サブフレーム内のショートサブフレーム数を示すために使用される。ＳＰＳデータを送信又は受信するために使用される時間周波数リソースにより占有されるサブフレーム内のシンボル数は、１であるか又は１より大きいが、１４未満である。例えば、ＳＰＳデータを送信又は受信するために使用される時間周波数リソースにより占有されるサブフレーム内のシンボル数は、１、２、３、４、５、６、７などであってもよい。ＳＰＳ周期長は、サブフレームで表現されてもよく（例えば、ＳＰＳデータを送信又は受信するために使用される２つの近隣時間周波数リソースの間の時間間隔が、１つのサブフレーム、２つのサブフレームなどである）、あるいはスロットで表現されてもよく（例えば、ＳＰＳデータを送信又は受信するために使用される２つの近隣時間周波数リソースの間の時間間隔が、１スロット、２スロットなどである）、あるいはシンボルで表現されてもよい（例えば、ＳＰＳデータを送信又は受信するために使用される２つの近隣時間周波数リソースの間の時間間隔が、１シンボル、２シンボルなどである）。これは、本願の本実施形態において限定されない。
【００８０】
さらに、本願の本実施形態におけるシンボル情報の表現形式は、前述のいくつかのタイプに限定されない。例えば、シンボル情報は、開始ショートサブフレーム位置及びショートサブフレーム数を含んでもよい（例えば、１つのサブフレームが６つのショートサブフレームを含み、開始ショートサブフレームが第２のショートサブフレームであり、ショートサブフレーム数が２である）。別の例として、シンボル情報は、代わりに、スロット数情報及びスロット番号を含んでもよい（例えば、１つのサブフレームが６つのスロットを含み、シンボル情報内のスロット番号が３である）。
【００８１】
ステップＳ２２０．ネットワークデバイス１２が、ＳＰＳ構成パラメータ内のＳＰＳ周期長、シンボル情報、及びＳＰＳアクティブ化コマンドに基づいて、ＳＰＳデータを送信又は受信するために利用可能な時間周波数リソースのリソース位置を決定する。
【００８２】
本願の本実施形態の具体的な実装プロセスにおいて、ステップＳ２２０は、複数の表現形式を有してもよい。例えば、本願の本実施形態の具体的な実装において、ステップＳ２２０は、
ネットワークデバイス１２により、シンボル情報及びＳＰＳアクティブ化コマンドに基づいて、ＳＰＳデータを送信又は受信するために利用可能な第１の時間周波数リソースのリソース位置を決定するステップと、
ネットワークデバイス１２により、ＳＰＳ周期長と、ＳＰＳデータを送信又は受信するために利用可能な第１の時間周波数リソースのリソース位置とに基づいて、ＳＰＳデータを送信又は受信するために利用可能な後の時間周波数リソースのリソース位置を決定するステップと、
を含んでもよい。
【００８３】
この具体的な実装において、ネットワークデバイスは、ＳＰＳアクティブ化コマンドの指示に基づいて、ＳＰＳデータを送信又は受信するために利用可能な第１の時間周波数リソースのシステムフレーム番号及びサブフレーム番号を決定してよい。次いで、ネットワークデバイスは、シンボル情報の指示に基づいて、サブフレーム番号内にあり且つＳＰＳデータを送信又は受信するために利用可能な第１の時間周波数リソースにより占有されるシンボルの位置（すなわち、ＳＰＳデータを送信又は受信するために利用可能な第１の時間周波数リソースのリソース位置）を決定してよい。これに基づき、ネットワークデバイスは、ＳＰＳデータを送信又は受信するために利用可能な後の時間周波数リソースのリソース位置として、ＳＰＳデータを送信又は受信するために利用可能な第１の時間周波数リソースのリソース位置への１つのＳＰＳ周期の各追加により決定されるリソース位置を使用する。
【００８４】
別の例として、本願の本実施形態の別の具体的な実装では、ステップＳ２２０において、ネットワークデバイス１２は、代わりに、予め定義された式を使用することにより、ＳＰＳデータを送信又は受信するために利用可能な時間周波数リソースのリソース位置を算出してもよい。
【００８５】
ステップＳ２３０．ネットワークデバイス１２が、ＳＰＳ構成パラメータを端末デバイス１１に送信する。
【００８６】
本実施形態の具体的な実装プロセスにおいて、ネットワークデバイス１２は、無線リソース制御（radio  resource  control、ＲＲＣ）メッセージを使用することによりＳＰＳ構成パラメータを端末デバイス１１に送信してもよく、媒体アクセス制御（medium  access  control、ＭＡＣ）を使用することによりＳＰＳ構成パラメータを端末デバイス１１に送信してもよく、あるいは物理層（physical  layer）制御チャネルを通じてＳＰＳ構成パラメータを端末デバイス１１に送信してもよい。
【００８７】
特に、本願の本実施形態の具体的な実装プロセスにおいて、ステップＳ２２０とステップＳ２３０との間に時系列の順序がないことにここで留意されたい。
【００８８】
ステップＳ２４０．端末デバイス１１が、ネットワークデバイス１２により送信されたＳＰＳ構成パラメータを受信する。
【００８９】
ステップＳ２５０．端末デバイス１１が、ＳＰＳ構成パラメータ内のＳＰＳ周期長、シンボル情報、及びＳＰＳアクティブ化コマンドに基づいて、ＳＰＳデータを送信又は受信するために利用可能な時間周波数リソースのリソース位置を決定する。
【００９０】
ステップＳ２２０に対応して、本願の本実施形態の具体的な実装プロセスにおいて、ステップＳ２５０は、複数の表現形式を有してもよい。例えば、本願の本実施形態の具体的な実装において、ステップＳ２５０は、
端末デバイス１１により、シンボル情報及びＳＰＳアクティブ化コマンドに基づいて、ＳＰＳデータを送信又は受信するために利用可能な第１の時間周波数リソースのリソース位置を決定するステップと、
端末デバイス１１により、ＳＰＳ周期長と、ＳＰＳデータを送信又は受信するために利用可能な第１の時間周波数リソースのリソース位置とに基づいて、ＳＰＳデータを送信又は受信するために利用可能な後の時間周波数リソースのリソース位置を決定するステップと、
を含んでもよい。
【００９１】
別の例として、本願の本実施形態の別の具体的な実装では、ステップＳ２５０において、端末デバイス１１は、予め定義された式を使用することにより、ＳＰＳデータを送信又は受信するために利用可能な時間周波数リソースのリソース位置を算出してもよい。
【００９２】
理解を容易にするために、ネットワークデバイス１２又は端末デバイス１１により、予め定義された式を使用することにより、ＳＰＳデータを送信又は受信するために利用可能な時間周波数リソースのリソース位置を算出する方式を、具体的な実施形態を用いて以下に説明する。
【００９３】
具体的な実施形態１
ネットワークデバイス１２がＳＰＳデータを端末デバイス１１に送信するとき、換言すれば、ネットワークデバイス１２と端末デバイス１１との間でＳＰＳデータの下りリンク伝送が実行されるとき、ネットワークデバイス１２は、式（１）を使用することにより、ＳＰＳデータを送信するために利用可能な時間周波数リソースのリソース位置を算出し、端末デバイス１１は、式（１）を使用することにより、ＳＰＳデータを受信するために利用可能な時間周波数リソースのリソース位置を算出する。式（１）は、以下のとおりである。
(10  *  SFN  *  slot_number  +  subframe  *  slot_number  +  slot_id)  =  [(10  *  slot_number  *  SFNstart  time  +  slot_number  *  subframestart  time  +  slot_idstart  time)  +  N  *  semiPersistSchedIntervalDL]  modulo  10240  *  slot_number  (1)
【００９４】
式（１）において、ＳＦＮの英語フルネームはsystem  frame  numberであり、システムフレーム番号（すなわち、無線フレームの番号）を表すために使用され、subframeはサブフレーム番号を表すために使用され、slot_idはサブフレーム内のショートサブフレームの番号を表すために使用される。slot_numberはシンボル情報内のショートサブフレーム数情報を表すために使用され、slot_idstart  timeはＳＰＳ開始時間におけるショートサブフレーム番号を表し、換言すれば、シンボル情報内のショートサブフレーム番号に関する情報を表すために使用される。ネットワークデバイス１２及び端末デバイス１１は、slot_number及びslot_idstart  timeを使用することにより、サブフレーム内にあり且つＳＰＳデータを送信又は受信するために利用可能な第１の時間周波数リソースにより占有されるシンボルの位置を決定してよい。SFNstart  timeは、ＳＰＳ開始時間におけるシステムフレーム番号を表し、換言すれば、ＳＰＳデータを送信又は受信するために利用可能な第１の時間周波数リソースのシステムフレーム番号を表すために使用される。subframestart  timeは、ＳＰＳ開始時間におけるサブフレーム番号を表し、換言すれば、ＳＰＳデータを送信又は受信するために利用可能な第１の時間周波数リソースのサブフレーム番号を表すために使用される。semiPersistSchedIntervalDLは、下りリンクＳＰＳリソースがsemiPersistSchedIntervalDLの長さの間隔でＵＥに割り当てられることを示し、ＳＰＳ周期長を表すために使用される。slot_number及びslot_idstart  timeはシンボル情報内に配置され、SFNstart  time及びsubframestart  timeはＳＰＳアクティブ化命令内に配置される。Ｎは０の初期値を有し、各ＳＰＳ周期長の後に１ずつ増加される。システムフレームが１０ビットを使用することにより示されるため、modulo  10240が使用され、値範囲は０から１０２３である。１つの反転が、１０２４個のシステムフレームの間隔で実行される必要がある。本明細書では、１０及び１０２４０はそれぞれ、１つのシステムフレーム内の１０個のサブフレームと、ＳＦＮの最大値が１０２３であることとを示し、１０２４０は、１０２４個のシステムフレームに含まれるサブフレーム数を示すことに留意されたい。各システムフレーム内のサブフレーム数が１０でないとき、式（１）中の数字が変更される。例えば、システムフレーム内のサブフレーム数が８であるとき、式（１）中の「modulo  10240」は「modulo  8*1024」に変更される。
【００９５】
この具体的な実施形態において、slot_numberは、各サブフレーム内のスロット数又はｓＴＴＩ数であってもよい。slot_numberの値は、２、６、７などであってもよい。例えば、１つのサブフレーム内の各スロット又は各ｓＴＴＩの長さが７シンボルであるとき、slot_numberの値は２である。別の例として、１つのサブフレーム内の複数のスロット又は複数のｓＴＴＩの長さが順次、２シンボル、２シンボル、３シンボル、２シンボル、２シンボル、及び３シンボルであるとき、slot_numberの値は６である。さらに別の例として、１つのサブフレーム内の各スロット又は各ｓＴＴＩの長さが２シンボルであるとき、slot_numberの値は７である。ここで、ｓＴＴＩの英語フルネームはshortened  transmission  time  intervalであり、中国語名は短縮送信時間間隔である。ｓＴＴＩは、データの送信時間間隔が１ｍｓ未満であることを示す。
【００９６】
この具体的な実施形態において、Ｎが初期値０であるとき、式（１）中の符号「=」の左側において、SFN  =  SFNstart  time、subframe  =  subframestart  time、及びslot_id  =  slot_idstart  timeである。
【００９７】
Ｎの値が１であるとき、ネットワークデバイス１２及び端末デバイス１１は、数式（１）を満たすために、slot_id、subframe、及びSFNの値を順次調整し、ネットワークデバイス１２及び端末デバイス１１により、slot_id、subframe、及びSFNの値を順次調整するために使用される一方法が、以下のとおりである。slot_idがslot_idstart  timeから開始して１ずつ順次増加され、slot_id  =  slot_number-1のとき毎回、slot_idは再度０から開始して１ずつ順次増加される。slot_id  =  slot_number-1が最初に満たされたとき、subframeがsubframestart  timeから開始して１ずつ順次増加される。subframe  =  9のとき毎回、subframeは再度０から開始して１ずつ順次増加される。subframe  =  9が最初に満たされたとき、SFNがSFNstart  timeから開始して１ずつ順次増加される。SFN  =  1023のとき毎回、SFNは再度０から開始して１ずつ順次増加される。数式（１）が満たされたとき、slot_id、subframe、及びSFNの値に対応する時間周波数リソースの位置は、ＳＰＳデータを送信又は受信するために利用可能な第２の時間周波数リソースのリソースの位置である。
【００９８】
Ｎの値が２であるとき、slot_idの値は、Ｎの値が１であるときに取得されるslot_id、subframe、及びSFNの値に基づいて、１ずつ順次増加される。slot_id  =  slot_number-1のとき毎回、slot_idは再度０から開始して１ずつ順次増加され、subframeの値は１ずつ順次増加される。subframe  =  9のとき毎回、SFNの値が１ずつ順次増加される。SFN  =  1023のとき毎回、SFNの値は再度０から開始して１ずつ順次増加される。数式（１）が満たされたとき、slot_id、subframe、及びSFNの値に対応する時間周波数リソースの位置は、ＳＰＳデータを送信又は受信するために利用可能な第３の時間周波数リソースのリソースの位置である。残りは類推で推論可能である。ネットワークデバイス１２及び端末デバイス１１は、ＳＰＳデータを送信又は受信するために利用可能な全ての時間周波数リソースのリソース位置を決定することができる。
【００９９】
端末デバイス１１及びネットワークデバイス１２は、数式（１）を満たすために、Ｎの値が１ずつ増加されるとき毎回、slot_idの値を調整するだけでよい場合があり、slot_id及びsubframeの値を調整するだけでよい場合があり、あるいはslot_id、subframe、及びSFNの全ての値を調整する必要があり得ることに留意されたい。これは具体的に、semiPersistSchedIntervalDLの長さに関連する。例えば、１つのサブフレーム内の各スロット又は各ｓＴＴＩの長さが２シンボルであるとき、SFNstart  timeが２であり、subframestart  timeが３であり、slot_idstart  timeが１であり、semiPersistSchedIntervalDLが１つのスロット又は１つのｓＴＴＩである場合、Ｎが１であるときslot_idが３に調整されるだけでよく、Ｎが２であるときslot_idが５に調整されるだけでよい、などである。
【０１００】
具体的な実施形態２
端末デバイス１１がＳＰＳデータをネットワークデバイス１２に送信するとき、換言すれば、ＳＰＳデータの上りリンク伝送がネットワークデバイス１２と端末デバイス１１との間で実行されるとき、ネットワークデバイス１２は、式（２）を使用することにより、ＳＰＳデータを受信するために利用可能な時間周波数リソースのリソース位置を算出し、端末デバイス１１は、式（２）を使用することにより、ＳＰＳデータを送信するために利用可能な時間周波数リソースのリソース位置を算出する。式（２）は、以下のとおりである。
(10  *  SFN  *  slot_number  +  subframe  *  slot_number  +  slot_id)  =  [(10  *  slot_number  *  SFNstart  time  +  slot_number  *  subframestart  time  +  slot_idstart  time)  +  N  *  semiPersistSchedIntervalUL  +  Subframe_Offset  *  (N  modulo  2)]  modulo  10240  *  slot_number  (2)
【０１０１】
式（２）において、ＳＦＮの英語フルネームはsystem  frame  numberであり、システムフレーム番号（すなわち、無線フレームの番号）を表すために使用され、subframeはサブフレーム番号を表すために使用され、slot_idはサブフレーム内のショートサブフレームの番号を表すために使用される。slot_numberはシンボル情報内のショートサブフレーム数情報を表すために使用され、slot_idstart  timeはＳＰＳ開始時間におけるショートサブフレーム番号を表し、換言すれば、シンボル情報内のショートサブフレーム番号に関する情報を表すために使用される。ネットワークデバイス１２及び端末デバイス１１は、slot_number及びslot_idstart  timeを使用することにより、サブフレーム内にあり且つＳＰＳデータを受信又は送信するために利用可能な第１の時間周波数リソースにより占有されるシンボルの位置を決定してよい。SFNstart  timeは、ＳＰＳ開始時間におけるシステムフレーム番号を表し、換言すれば、ＳＰＳデータを送信又は受信するために利用可能な第１の時間周波数リソースのシステムフレーム番号を表すために使用される。subframestart  timeは、ＳＰＳ開始時間におけるサブフレーム番号を表し、換言すれば、ＳＰＳデータを送信又は受信するために利用可能な第１の時間周波数リソースのサブフレーム番号を表すために使用される。semiPersistSchedIntervalULは、上りリンクＳＰＳリソースがsemiPersistSchedIntervalULの長さの間隔でＵＥに割り当てられることを示し、ＳＰＳ周期長を表すために使用される。Subframe_Offset  *  (N  modulo  2)は、上りリンクＳＰＳオフセットを表す。Subframe_Offsetは時分割複信（Time  Division  Duplex、ＴＤＤ）シナリオに適用され、周波数分割複信（Frequency  Division  Duplex、ＦＤＤ）シナリオでは０に設定され、サブフレームが切り替えられる必要があるかどうかを示すために使用される。slot_number及びslot_idstart  timeはシンボル情報内に配置され、SFNstart  time及びsubframestart  timeはＳＰＳアクティブ化命令内に配置される。Ｎは０の初期値を有し、各ＳＰＳ周期長の後に１ずつ増加される。システムフレームが１０ビットを使用することにより示されるため、modulo  10240が使用され、値範囲は０から１０２３である。１つの反転が、１０２４個のシステムフレームの間隔で実行される必要がある。本明細書では、１０及び１０２４０はそれぞれ、１つのシステムフレーム内の１０個のサブフレームと、ＳＦＮの最大値が１０２３であることとを示し、１０２４０は、１０２４個のシステムフレームに含まれるサブフレーム数を示すことに留意されたい。各システムフレーム内のサブフレーム数が１０でないとき、式（２）中の数字が変更される。例えば、システムフレーム内のサブフレーム数が８であるとき、式（２）中の「modulo  10240」は「modulo  8*1024」に変更される。
【０１０２】
この具体的な実施形態において、slot_numberは、各サブフレーム内のスロット数又はｓＴＴＩ数であってもよい。slot_numberの値は、２、６、７などであってもよい。例えば、１つのサブフレーム内の各スロット又は各ｓＴＴＩの長さが７シンボルであるとき、slot_numberの値は２である。別の例として、１つのサブフレーム内の複数のスロット又は複数のｓＴＴＩの長さが順次、２シンボル、２シンボル、３シンボル、２シンボル、２シンボル、及び３シンボルであるとき、slot_numberの値は６である。さらに別の例として、１つのサブフレーム内の各スロット又は各ｓＴＴＩの長さが２シンボルであるとき、slot_numberの値は７である。ここで、ｓＴＴＩの英語フルネームはshortened  transmission  time  intervalであり、中国語名は短縮送信時間間隔である。ｓＴＴＩは、データの送信時間間隔が１ｍｓ未満であることを示す。
【０１０３】
この具体的な実施形態において、Ｎが初期値０であるとき、式（２）中の符号「=」の左側において、SFN  =  SFNstart  time、subframe  =  subframestart  time、及びslot_id  =  slot_idstart  timeである。
【０１０４】
Ｎの値が１であるとき、ネットワークデバイス１２及び端末デバイス１１は、数式（２）を満たすために、slot_id、subframe、及びSFNの値を順次調整し、ネットワークデバイス１２及び端末デバイス１１により、slot_id、subframe、及びSFNの値を順次調整するために使用される一方法が、以下のとおりである。slot_idが、slot_idstart  timeから開始して１ずつ順次増加され、slot_id  =  slot_number-1のとき毎回、slot_idは再度０から開始して１ずつ順次増加される。slot_id  =  slot_number-1が最初に満たされたとき、subframeがsubframestart  timeから開始して１ずつ順次増加される。subframe  =  9のとき毎回、subframeは再度０から開始して１ずつ順次増加される。subframe  =  9が最初に満たされたとき、SFNがSFNstart  timeから開始して１ずつ順次増加される。SFN  =  1023のとき毎回、SFNは再度０から開始して１ずつ順次増加される。数式（２）が満たされたとき、slot_id、subframe、及びSFNの値に対応する時間周波数リソースの位置は、ＳＰＳデータを送信又は受信するために利用可能な第２の時間周波数リソースのリソースの位置である。
【０１０５】
Ｎの値が２であるとき、slot_idの値は、Ｎの値が１であるときに取得されるslot_id、subframe、及びSFNの値に基づいて、１ずつ順次増加される。slot_id  =  slot_number-1のとき毎回、slot_idは再度０から開始して１ずつ順次増加され、subframeの値は１ずつ順次増加される。subframe  =  9のとき毎回、SFNの値が１ずつ順次増加される。SFN  =  1023のとき毎回、SFNの値は再度０から開始して１ずつ順次増加される。数式（２）が満たされたとき、slot_id、subframe、及びSFNの値に対応する時間周波数リソースの位置は、ＳＰＳデータを送信又は受信するために利用可能な第３の時間周波数リソースのリソースの位置である。残りは類推で推論可能である。ネットワークデバイス１２及び端末デバイス１１は、ＳＰＳデータを送信又は受信するために利用可能な全ての時間周波数リソースのリソース位置を決定することができる。
【０１０６】
端末デバイス１１及びネットワークデバイス１２は、数式（２）を満たすために、Ｎの値が１ずつ増加されるとき毎回、slot_idの値を調整するだけでよい場合があり、slot_id及びsubframeの値を調整するだけでよい場合があり、あるいはslot_id、subframe、及びSFNの全ての値を調整する必要があり得ることに留意されたい。これは具体的に、semiPersistSchedIntervalDLの長さに関連する。例えば、１つのサブフレーム内の各スロット又は各ｓＴＴＩの長さが２シンボルであるとき、SFNstart  timeが２であり、subframestart  timeが３であり、slot_idstart  timeが１であり、semiPersistSchedIntervalDLが１つのスロット又は１つのｓＴＴＩである場合、Ｎが１であるときslot_idが３に調整されるだけでよく、Ｎが２であるときslot_idが５に調整されるだけでよい、などである。
【０１０７】
ネットワークデバイス１２がステップＳ２２０を完了し、端末デバイスがステップＳ２５０を完了した後、ネットワークデバイス１２及び端末デバイス１１は、ＳＰＳデータを送信又は受信するために利用可能な時間周波数リソース上でＳＰＳデータを送信又は受信してよい。
【０１０８】
本願の本実施形態で提供されるセミパーシステントスケジューリング方法によれば、まず、ネットワークデバイスがセミパーシステントスケジューリングＳＰＳ構成パラメータを決定し、ＳＰＳ構成パラメータは、ＳＰＳ周期長、シンボル情報、及びＳＰＳアクティブ化コマンドを含み、ＳＰＳアクティブ化コマンドは、ＳＰＳデータを送信又は受信するために利用可能な第１の時間周波数リソースのシステムフレーム番号及びサブフレーム番号を示すために使用され、シンボル情報は、サブフレーム内にあり且つＳＰＳデータを送信又は受信するための時間周波数リソースにより占有されるシンボルの位置を示すために使用され、次いで、ネットワークデバイスはＳＰＳ構成パラメータを端末デバイスに送信し、ネットワークデバイス及び端末デバイスは、ＳＰＳ周期長、シンボル情報、及びＳＰＳアクティブ化コマンドに基づいて、ＳＰＳデータを送信又は受信するために利用可能な時間周波数リソースのリソース位置を決定する。本願の本実施形態において、端末デバイス及びネットワークデバイスは、シンボル情報の指示に基づいて、サブフレーム内にあり且つＳＰＳデータを送信又は受信するために利用可能な時間周波数リソースにより占有されるシンボルの位置を決定してよい。したがって、ＳＰＳデータを送信又は受信するために利用可能な時間周波数リソースはサブフレーム内の１つ以上のシンボルに制限され、それにより、ネットワークデバイス及び端末デバイスは同じサブフレーム内の残りのシンボルリソース上で他のデータを伝送でき、それにより、セミパーシステントスケジューリングの間のリソース利用を改善する。さらに、本願の本実施形態において、ＳＰＳデータがネットワークデバイスと端末デバイスとの間で伝送されるとき、使用される時間周波数リソースはシンボルレベルである。したがって、本願の本実施形態における技術的解決策では、ＳＰＳデータの伝送遅延は１ｍｓ未満であり、それにより、ＳＰＳデータの伝送遅延が低減できる。
【０１０９】
任意で、図２に示す実施形態の具体的な実装において、ＳＰＳ構成パラメータは第１のオフセットをさらに含んでもよく、図２に示すセミパーシステントスケジューリング方法は、
ＳＰＳデータを送信又は受信するために利用可能な時間周波数リソースが部分的又は完全に占有されている場合、ネットワークデバイス１２により、第１のオフセットに基づいてオフセット時間周波数リソースを算出し、さらに、端末デバイス１１により、第１のオフセットに基づいてオフセット時間周波数リソースを算出し、ネットワークデバイス１２及び端末デバイスにより、オフセット時間周波数リソース上でＳＰＳデータを送信又は受信するステップ
をさらに含んでもよい。
【０１１０】
本願の本実施形態の具体的な実装プロセスにおいて、ＳＰＳデータを送信又は受信するために利用可能な時間周波数リソースが部分的又は完全に占有されていることに関し、複数の場合が存在する。例えば、ＰＤＣＣＨが、ＳＰＳデータを送信又は受信するために利用可能な時間周波数リソース上に構成される。別の例として、ＳＰＳデータを送信又は受信するために利用可能な時間周波数リソース上で、ネットワークデバイス１２と端末デバイス１１との間で他のデータが伝送されている。さらに別の例として、ネットワークデバイス１２と端末デバイス１１との間に複数のＳＰＳが存在し、ＳＰＳデータを送信又は受信するために利用可能であり且つ本願の本実施形態におけるＳＰＳの間に決定される時間周波数リソースが、１つ以上の他のＳＰＳの間に決定される時間周波数リソースと部分的又は完全に重なる。この場合、ネットワークデバイス１２が、ＳＰＳデータを送信又は受信するために利用可能な時間周波数リソース上でＳＰＳデータを送信又は受信するとき、相互干渉が存在する。したがって、ネットワークデバイス１２及び端末デバイス１１は、ＳＰＳデータを送信又は受信するために利用可能な時間周波数リソースのリソース位置に対して第１のオフセットを追加してオフセット時間周波数リソースを算出し、次いで、ネットワークデバイス１２及び端末デバイス１１は、オフセット時間周波数リソース上でＳＰＳデータを送信又は受信し、それにより、ネットワークデバイス１２と端末デバイス１１との間のＳＰＳデータの正常な伝送を保証する。
【０１１１】
本願の本実施形態において、第１のオフセットの値は限定されない。例えば、第１のオフセットは、１シンボル、２シンボルなどであってもよく、あるいは１スロット、２スロットなどであってもよく、あるいは１つのＳＰＳ周期、２つのＳＰＳ周期などであってもよい。この具体的な実装は、具体的な実施形態を用いて以下に記載される。
【０１１２】
さらに、本願の本実施形態の具体的な実装プロセスにおいて、第１のオフセットは、代わりに、プロトコルを使用することにより、ネットワークデバイス１２及び端末デバイス１１上に予め構成されてもよい。次いで、ネットワークデバイス１２及び端末デバイス１１の双方が、予め構成された第１のオフセットを使用することによりオフセット時間周波数リソースを算出し、オフセット時間周波数リソース上でＳＰＳデータを受信又は送信してよい。
【０１１３】
図３に示すように、１つのサブフレーム内の各スロットの長さは２シンボルであり、ＳＰＳ周期長は１スロットである。図２に示す実施形態で決定される、ＳＰＳデータを送信又は受信するために利用可能な時間周波数リソースのリソース位置は、図３の影部部分に示されている。
【０１１４】
図３の第１の影部に対応する時間周波数リソースが部分的又は完全に占有されている一例を説明のため使用する。第１のオフセットが１スロットであるとき、オフセット時間周波数リソースが図４に示される。第１のオフセットが２つのＳＰＳ周期長であるとき、オフセット時間周波数リソースが図５に示される。具体的に言えば、ＳＰＳデータを送信又は受信するために利用可能な現在の時間周波数リソースのリソース位置がスキップされ、ＳＰＳデータを送信又は受信するために利用可能な次の時間周波数リソースのリソース位置でＳＰＳデータが送信又は受信される。
【０１１５】
さらに、図２に示す実施形態の具体的な実装において、図２に示すセミパーシステントスケジューリング方法は、
ＳＰＳデータを送信又は受信するために利用可能な時間周波数リソースが部分的に占有されているとき、ネットワークデバイス１２及び端末デバイス１１により、ＳＰＳデータを送信又は受信するために利用可能な占有されていない時間周波数リソース上でＳＰＳデータを送信又は受信するステップ
をさらに含んでもよい。
【０１１６】
図３の第１の影部に対応する時間周波数リソース内の前のシンボルが占有されている一例を説明のため使用する。この場合、図６に示すように、ネットワークデバイス１２及び端末デバイス１１は、第１の影部に対応する時間周波数リソース内の後のシンボル上でＳＰＳデータを送信又は受信してよい。この場合、ネットワークデバイス及び端末デバイス１１は、独自の変調及び符号化方式（modulation  and  coding  scheme、ＭＣＳ）に従ってＳＰＳデータを送信又は受信する。しかし、ＳＰＳデータに対応するトランスポートデータブロックサイズ（transport  block  size、ＴＢＳ）のサイズは半分に低減される。
【０１１７】
この具体的な実装において、ＳＰＳデータを送信又は受信するために利用可能な時間周波数リソースが部分的に占有されているとき、ネットワークデバイス１２及び端末デバイス１１は、ＳＰＳデータを送信又は受信するために利用可能な占有されていない時間周波数リソース上で時間周波数リソースを送信又は受信してよく、それにより、ＳＰＳデータを送信又は受信するために利用可能な時間周波数リソースの占有されていない部分が使用され、それによりリソース利用を改善する。
【０１１８】
任意で、図２に示す実施形態の具体的な実装において、ＳＰＳ構成パラメータはＳＰＳ優先度情報をさらに含んでもよく、図２に示すセミパーシステントスケジューリング方法は、
ＳＰＳデータを送信又は受信するために利用可能な時間周波数リソースが、別のＳＰＳ時間周波数リソースと部分的又は完全に重なるとき、ネットワークデバイス１２及び端末デバイス１１により、ＳＰＳ優先度情報に基づいて、ＳＰＳデータを送信又は受信する挙動を決定するステップ
をさらに含んでもよい。
【０１１９】
この具体的な実装において、ＳＰＳ優先度情報はＳＰＳデータの優先度を示すために使用される。この場合、ネットワークデバイス１２と端末デバイス１１との間に複数のＳＰＳが存在するとき、ＳＰＳデータを送信又は受信するために利用可能であり且つ複数のＳＰＳの間に決定される時間周波数リソースが部分的又は完全に重なる場合に、ネットワークデバイス１２及び端末デバイス１１は、ＳＰＳ構成パラメータ内のＳＰＳ優先度情報に基づいてＳＰＳデータの優先度を決定してよい。次いで、ネットワークデバイス１２及び端末デバイス１１は、各ＳＰＳデータ片の優先度に基づいて、ＳＰＳデータ片を送信又は受信する挙動を決定してよい。具体的に、最も高い優先度を有するＳＰＳデータについて、ネットワークデバイス１２及び端末デバイス１１は、ＳＰＳデータを送信又は受信するために利用可能な時間周波数リソースを使用して、ＳＰＳデータを送信又は受信する。優先度が最も高くはないＳＰＳデータについて、ネットワークデバイスは、ＳＰＳデータを送信又は受信しなくてもよく、あるいは、ＳＰＳデータを送信又は受信するために利用可能な時間周波数リソースのリソース位置に対して１つ以上の第２のオフセットを追加してもよい。ここで、ＳＰＳデータのより低い優先度は、より多くの追加の第２のオフセットを示す。次いで、ネットワークデバイス１２及び端末デバイスは、オフセット時間周波数リソース上でＳＰＳデータを送信又は受信する。第２のオフセットの値は、本願の本実施形態において限定されない。例えば、第２のオフセットは、１シンボル、２シンボルなどであってもよく、あるいは１スロット、２スロットなどであってもよく、あるいは１つのＳＰＳ周期、２つのＳＰＳ周期などであってもよい。本明細書における第２のオフセットは、第１のオフセットと同じであっても又は異なってもよい。
【０１２０】
この具体的な実装の実装プロセスにおいて、ＳＰＳ優先度情報は通信物理特性（ヌメロロジ（Numerology））であってもよい。このヌメロロジは、通信システムにおいて使用される異なるパラメータのセットに対応する。異なるヌメロロジは異なるパラメータに対応し得る。ヌメロロジは、これらに限られないが以下のパラメータ：サブキャリア幅、サイクリックプレフィックス（cyclic  prefix、ＣＰ）長、送信時間間隔（transmission  time  interval、略称ＴＴＩ）、シンボル（symbol）数、リソースブロック（resource  block、ＲＢ）位置、スロット長、及びフレームフォーマット、のうち１つ又は任意の組み合わせのセットを含む。一例において、読者は、ヌメロロジの意味を理解するためにwww.3gpp.orgから提案R1-1613779又はR2-168012を入手してもよい。これらの提案の内容は本願の内容に含まれる。３ＧＰＰ標準化機関の公平性及びオープン性のため、詳細は本明細書で説明しない。
【０１２１】
任意で、図２に示す実施形態の具体的な実装において、ＳＰＳ構成パラメータは、キャリア情報、ビーム情報、セル情報、セルグループ情報、又は論理チャネル情報をさらに含んでもよく、図２に示すセミパーシステントスケジューリング方法は、
ネットワークデバイス１２及び端末デバイス１１により、キャリア情報、ビーム情報、セル情報、セルグループ情報、又は論理チャネル情報に基づいて、ＳＰＳデータを送信又は受信するためのキャリア、ビーム、セル、セルグループ、又は論理チャネルを決定するステップ
をさらに含んでもよい。
【０１２２】
本明細書におけるキャリア情報はキャリアＩＤであってもよく、ビーム情報はビームＩＤであってもよく、セル情報はセルＩＤであってもよく、セルグループ情報はセルグループＩＤであってもよく、ここで、本明細書におけるＩＤの英語のフルネームはidentityであり、中国語の識別子、アイデンティティ、又は識別に翻訳される。
【０１２３】
この具体的な実装において、ＳＰＳ構成パラメータは、キャリア情報、ビーム情報、セル情報、セルグループ情報、又は論理チャネル情報を含む。したがって、ネットワークデバイス１２及び端末デバイス１１は、キャリア情報、ビーム情報、セル情報、セルグループ情報、又は論理チャネル情報に基づいて、ＳＰＳデータを送信又は受信するためのキャリア、ビーム、セル、セルグループ、又は論理チャネルを決定して、セミパーシステントスケジューリングが使用されるエリア範囲を決定してよい。
【０１２４】
さらに、ＳＰＳ構成パラメータが、ＳＰＳ周期長、シンボル情報、及びＳＰＳアクティブ化コマンドに加えて、キャリア情報、ビーム情報、セル情報、セルグループ情報、又は論理チャネル情報をさらに含むとき、ネットワークデバイス１２及び端末デバイス１１は、キャリア情報、ビーム情報、セル情報、セルグループ情報、論理チャネル情報などをさらに使用して、ＳＰＳデータを送信又は受信するために利用可能な時間周波数リソースのリソース位置を決定してよい。
【０１２５】
任意で、図２に示す実施形態の具体的な実装において、ＳＰＳ構成パラメータはハイブリッド自動再送要求（hybrid  automatic  repeat  requests）ＨＡＲＱ数をさらに含んでもよく、図２に示すセミパーシステントスケジューリング方法は、
ネットワークデバイスにより、ＨＡＲＱ数とＳＰＳデータを送信するために利用可能な時間周波数リソースのリソース位置とに基づいて、ＨＡＲＱ  ＩＤを決定するステップ
をさらに含んでもよい。
【０１２６】
この具体的な実装において、ＳＰＳ構成パラメータはＨＡＲＱ数をさらに含み、それにより、ＳＰＳデータの下りリンク伝送がネットワークデバイスと端末デバイスとの間で実行されるとき、ネットワークデバイスは、ＨＡＲＱ数とＳＰＳデータを送信するために利用可能な時間周波数リソースのリソース位置とに基づいてＨＡＲＱ  ＩＤを決定してよい。
【０１２７】
以下、具体的な実施形態を用いてＨＡＲＱ  ＩＤを算出する方式について説明する。
【０１２８】
端末デバイス１１が、ＳＰＳデータを送信又は受信するために利用可能な時間周波数リソースのリソース位置でＳＰＳデータを受信した後、図２に示す実施形態でＨＡＲＱ  ＩＤが算出され始める。ＨＡＲＱ  ＩＤの算出については、式（３）及び（４）を参照する。
HARQ  ID  =  [floor(CURRENT_Slot  *  slot_id/semiPersistSchedIntervalDL)]  modulo  numberOfConfSPS-Processes  (3)
CURRENT_Slot  =  [(SFN  *  10)  *  slot_number  +  subframe  *  slot_number  +  slot_id]  (4)
本明細書におけるSFN、slot_number、subframe  number、slot_id、及びsemiPersistSchedIntervalDLの定義は具体的な実施形態１におけるものと同じであり、詳細はここで再度説明しない。numberOfConfSPS-ProcessesはＨＡＲＱ数を表す。
【０１２９】
さらに、ＳＰＳ構成パラメータが、ＳＰＳ周期長、シンボル情報、及びＳＰＳアクティブ化コマンドに加えて、ＨＡＲＱ数をさらに含むとき、ネットワークデバイス１２及び端末デバイス１１は、ＨＡＲＱ数などをさらに使用して、ＳＰＳデータを送信又は受信するために利用可能な時間周波数リソースのリソース位置を決定してよい。
【０１３０】
任意で、本願の本実施形態の具体的な実装において、ＳＰＳ構成パラメータはＳＰＳ無線ネットワーク一時識別子（SPS  radio  network  temporary  identity、ＳＰＳ‐ＲＮＴＩ）をさらに含む。
【０１３１】
この具体的な実装において、ネットワークデバイス１２は、ＳＰＳ無線ネットワーク一時識別子に基づいて異なるサービス情報を区別してよい。例えば、本願の本実施形態におけるＳＰＳ‐ＲＮＴＩはＳＰＳサービスに特有であり、他のＲＮＴＩはマルチメディアブロードキャストマルチキャストサービス（multimedia  broadcast  multicast  service、ＭＢＭＳ）などの他のサービスに特有である。
【０１３２】
任意で、ネットワークデバイス１２と端末デバイス１１との間に複数のＳＰＳが存在するとき、各ＳＰＳ構成パラメータが、セル情報、キャリア情報、周波数ドメイン位置情報などをさらに含んでもよい。
【０１３３】
本明細書におけるセル情報はセル情報である。例えば、セル情報はセルＩＤ情報を含んでもよい。本明細書におけるキャリア情報は、キャリアＩＤ情報、キャリア周波数情報などを含んでもよい。本明細書における周波数ドメイン位置情報は、物理リソースブロック（physical  resource  block、ＰＲＢ）の特定の位置を示すために使用される。
【０１３４】
任意で、ネットワークデバイス１２と端末デバイス１１との間に複数のＳＰＳが存在するとき、各ＳＰＳで使用され且つＳＰＳデータを送信又は受信するために利用可能な時間周波数リソースのリソース位置が、別個に算出される。
【０１３５】
任意で、ネットワークデバイス１２と端末デバイス１１との間に複数のＳＰＳが存在し、各ＳＰＳ構成パラメータがＳＰＳ優先度情報をさらに含むとき、複数のＳＰＳについて別個に算出されたＳＰＳデータを送信又は受信するために利用可能な時間周波数リソースが部分的又は完全に重なる場合、最も高い優先度を有するＳＰＳデータについて、ネットワークデバイス１２及び端末デバイス１１は、ＳＰＳデータを送信又は受信するために利用可能な時間周波数リソースを使用してＳＰＳデータを送信又は受信する。より低い優先度を有するＳＰＳデータについては、ネットワークデバイス１２及び端末デバイス１１は、ＳＰＳデータを送信又は受信するために利用可能な時間周波数リソースのリソース位置に対して１つ以上の第２のオフセットを追加してよく、より低いＳＰＳ優先度は、より大きい回数の第２のオフセットの追加を示す。次いで、ネットワークデバイス１２及び端末デバイス１１は、オフセット時間周波数リソース上でＳＰＳデータを送信又は受信する。
【０１３６】
任意で、ネットワークデバイス１２と端末デバイス１１との間に複数のＳＰＳが存在するとき、各ＳＰＳのＨＡＲＱ  ＩＤの算出の間、ＨＡＲＱ  ＩＤは、別個に算出されてもよく、あるいはオフセットを使用することにより算出されてもよい。例えば、第１のＳＰＳについて算出されたＨＡＲＱ  ＩＤがｍであり、第２のＨＡＲＱ  ＩＤ＝ｍ＋ｎである。ｎは、第１のＳＰＳに対応するキャリア、セル、又はＨＡＲＱエンティティ内のＨＡＲＱ数であってもよく、あるいは固定値であってもよい。
【０１３７】
任意で、ネットワークデバイス１２と端末デバイス１１との間に複数のＳＰＳが存在するとき、異なるＳＰＳは、同じＳＰＳ‐ＲＮＴＩを使用することによりアクティブ化又は非アクティブ化されてもよく、あるいは各ＳＰＳについて別個のＳＰＳ‐ＲＮＴＩが使用されてもよい。
【０１３８】
本明細書において、ネットワークデバイス１２と端末デバイス１１との間でセミパーシステントスケジューリングが実行されるとき、ネットワークデバイスがＳＰＳデータを送信したときは端末デバイスがＳＰＳデータを受信し、端末デバイスがＳＰＳデータを送信したときはネットワークデバイスがＳＰＳデータを受信することに留意されたい。
【０１３９】
前述の方法の実施形態に対応して、本願の実施形態は、端末デバイス及びネットワークデバイスなどの装置の対応する実施形態をさらに提供する。
【０１４０】
図７は、本願の一実施形態によるネットワークデバイスの概略構成図である。ネットワークデバイスは、処理モジュール７１０及び送受信機（transceiver）モジュール７２０を含んでもよい。
【０１４１】
処理モジュール７１０は、セミパーシステントスケジューリングＳＰＳ構成パラメータを決定することであり、ＳＰＳ構成パラメータはＳＰＳ周期長、シンボル情報、及びＳＰＳアクティブ化コマンドを含み、ＳＰＳアクティブ化コマンドは、ＳＰＳデータを送信又は受信するために利用可能な第１の時間周波数リソースのシステムフレーム番号及びサブフレーム番号を示すために使用され、シンボル情報は、サブフレーム内にあり且つＳＰＳデータを送信又は受信するための時間周波数リソースにより占有されるシンボルの位置を示すために使用され；ＳＰＳ周期長、シンボル情報、及びＳＰＳアクティブ化コマンドに基づいて、ＳＰＳデータを送信又は受信するために利用可能な時間周波数リソースのリソース位置を決定するように構成される。
【０１４２】
送受信機モジュール７２０は、ＳＰＳ構成パラメータを端末デバイスに送信するように構成される。
【０１４３】
本願の本実施形態で提供されるネットワークデバイスによれば、まず、処理モジュールが、セミパーシステントスケジューリングＳＰＳ構成パラメータを決定し、ＳＰＳ構成パラメータは、ＳＰＳ周期長、シンボル情報、及びＳＰＳアクティブ化コマンドを含み、ＳＰＳアクティブ化コマンドは、ＳＰＳデータを送信又は受信するために利用可能な第１の時間周波数リソースのシステムフレーム番号及びサブフレーム番号を示すために使用され、シンボル情報は、サブフレーム内にあり且つＳＰＳデータを送信又は受信するための時間周波数リソースにより占有されるシンボルの位置を示すために使用される。次いで、処理モジュールは、ＳＰＳ周期長、シンボル情報、及びＳＰＳアクティブ化コマンドに基づいて、ＳＰＳデータを送信又は受信するために利用可能な時間周波数リソースのリソース位置を決定し、最後、送受信機モジュールが、ＳＰＳ構成パラメータを端末デバイスに送信する。本願の本実施形態において、端末デバイス及びネットワークデバイスは、シンボル情報の指示に基づいて、サブフレーム内にあり且つＳＰＳデータを送信又は受信するために利用可能な時間周波数リソースにより占有されるシンボルの位置を決定してよい。したがって、ＳＰＳデータを送信又は受信するために利用可能な時間周波数リソースはサブフレーム内の１つ以上のシンボルに制限され、それにより、ネットワークデバイス及び端末デバイスは同じサブフレーム内の残りのシンボルリソース上で他のデータを伝送でき、それにより、セミパーシステントスケジューリングの間のリソース利用を改善する。さらに、本願の本実施形態において、ＳＰＳデータがネットワークデバイスと端末デバイスとの間で伝送されるとき、使用される時間周波数リソースはシンボルレベルである。したがって、本願の本実施形態における技術的解決策では、ＳＰＳデータの伝送遅延は１ｍｓ未満であり、それにより、ＳＰＳデータの伝送遅延が低減できる。
【０１４４】
任意で、本願の本実施形態の具体的な実装において、処理モジュール７１０は具体的に、シンボル情報及びＳＰＳアクティブ化コマンドに基づいて、ＳＰＳデータを送信又は受信するために利用可能な第１の時間周波数リソースのリソース位置を決定し、ＳＰＳ周期長とＳＰＳデータを送信又は受信するために利用可能な第１の時間周波数リソースのリソース位置とに基づいて、ＳＰＳデータを送信又は受信するために利用可能な後の時間周波数リソースのリソース位置を決定するように構成される。
【０１４５】
任意で、本願の本実施形態の具体的な実装において、シンボル情報は開始シンボル位置及びシンボル数を含み、あるいはショートサブフレーム数情報及びショートサブフレーム番号を含み、ショートサブフレーム数情報は、各サブフレーム内のショートサブフレーム数を示すために使用される。
【０１４６】
任意で、本願の本実施形態の具体的な実装において、送受信機モジュール７２０は、ネットワークデバイスにより、ＳＰＳデータを送信又は受信するために利用可能な時間周波数リソース上でＳＰＳデータを送信又は受信するようにさらに構成される。
【０１４７】
任意で、本願の本実施形態の具体的な実装において、ＳＰＳ構成パラメータは第１のオフセットをさらに含み、処理モジュール７１０は、ＳＰＳデータを送信又は受信するために利用可能な時間周波数リソースが部分的又は完全に占有されているとき、第１のオフセットに基づいてオフセット時間周波数リソースを算出するようにさらに構成され、送受信機モジュール７２０は、オフセット時間周波数リソース上でＳＰＳデータを受信又は送信するようにさらに構成される。
【０１４８】
任意で、本願の本実施形態の具体的な実装において、送受信機モジュール７２０は、ＳＰＳデータを送信又は受信するために利用可能な時間周波数リソースが部分的に占有されているとき、ＳＰＳデータを送信又は受信するために利用可能な占有されていない時間周波数リソース上でＳＰＳデータを送信又は受信するようにさらに構成される。
【０１４９】
任意で、本願の本実施形態の具体的な実装において、ＳＰＳ構成パラメータはＳＰＳ優先度情報をさらに含み、処理モジュール７１０は、ＳＰＳデータを送信又は受信するために利用可能な時間周波数リソースが別のＳＰＳ時間周波数リソースに部分的又は完全に重なるとき、ＳＰＳ優先度情報に基づいて、ＳＰＳデータを送信又は受信する挙動を決定するようにさらに構成される。
【０１５０】
任意で、本願の本実施形態の具体的な実装において、ＳＰＳ構成パラメータは、キャリア情報、ビーム情報、セル情報、セルグループ情報、又は論理チャネル情報をさらに含む。処理モジュール７１０は、キャリア情報、ビーム情報、セル情報、セルグループ情報、又は論理チャネル情報に基づいて、ＳＰＳデータを送信又は受信するためのキャリア、ビーム、セル、セルグループ、又は論理チャネルを決定するようにさらに構成される。
【０１５１】
任意で、本願の本実施形態の具体的な実装において、ＳＰＳ構成パラメータは、ハイブリッド自動再送要求ＨＡＲＱ数をさらに含む。処理モジュール７１０は、ＨＡＲＱ数とＳＰＳデータを送信するために利用可能な時間周波数リソースのリソース位置とに基づいて、ＨＡＲＱ  ＩＤを決定するようにさらに構成される。
【０１５２】
任意で、本願の本実施形態の具体的な実装において、ＳＰＳ構成パラメータは、ＳＰＳ無線ネットワーク一時識別子をさらに含む。
【０１５３】
図８は、本願の一実施形態による端末デバイスの概略構成図である。端末デバイスは、送受信機モジュール８１０及び処理モジュール８２０を含んでもよい。
【０１５４】
送受信機モジュール８１０は、ネットワークデバイスにより送信されたセミパーシステントスケジューリングＳＰＳ構成パラメータを受信するように構成され、ＳＰＳ構成パラメータは、ＳＰＳ周期長、シンボル情報、及びＳＰＳアクティブ化コマンドを含み、ＳＰＳアクティブ化コマンドは、ＳＰＳデータを送信又は受信するために利用可能な第１の時間周波数リソースのシステムフレーム番号及びサブフレーム番号を示すために使用され、シンボル情報は、サブフレーム内にあり且つＳＰＳデータを送信又は受信するための時間周波数リソースにより占有されるシンボルの位置を示すために使用される。
【０１５５】
処理モジュール８２０は、ＳＰＳ周期長、シンボル情報、及びＳＰＳアクティブ化コマンドに基づいて、ＳＰＳデータを送信又は受信するために利用可能な時間周波数リソースのリソース位置を決定するように構成される。
【０１５６】
本願の本実施形態で提供される端末デバイスによれば、まず、送受信機モジュールが、ネットワークデバイスにより送信されたセミパーシステントスケジューリングＳＰＳ構成パラメータを受信し、ＳＰＳ構成パラメータは、ＳＰＳ周期長、シンボル情報、及びＳＰＳアクティブ化コマンドを含み、ＳＰＳアクティブ化コマンドは、ＳＰＳデータを送信又は受信するために利用可能な第１の時間周波数リソースのシステムフレーム番号及びサブフレーム番号を示すために使用され、シンボル情報は、サブフレーム内にあり且つＳＰＳデータを送信又は受信するための時間周波数リソースにより占有されるシンボルの位置を示すために使用される。次いで、処理モジュールが、ＳＰＳ周期長、シンボル情報、及びＳＰＳアクティブ化コマンドに基づいて、ＳＰＳデータを送信又は受信するために利用可能な時間周波数リソースのリソース位置を決定する。本願の本実施形態において、端末デバイス及びネットワークデバイスは、シンボル情報の指示に基づいて、サブフレーム内にあり且つＳＰＳデータを送信又は受信するために利用可能な時間周波数リソースにより占有されるシンボルの位置を決定してよい。したがって、ＳＰＳデータを送信又は受信するために利用可能な時間周波数リソースはサブフレーム内の１つ以上のシンボルに制限され、それにより、ネットワークデバイス及び端末デバイスは同じサブフレーム内の残りのシンボルリソース上で他のデータを伝送でき、それにより、セミパーシステントスケジューリングの間のリソース利用を改善する。さらに、本願の本実施形態において、ＳＰＳデータがネットワークデバイスと端末デバイスとの間で伝送されるとき、使用される時間周波数リソースはシンボルレベルである。したがって、本願の本実施形態における技術的解決策では、ＳＰＳデータの伝送遅延は１ｍｓ未満であり、それにより、ＳＰＳデータの伝送遅延が低減できる。
【０１５７】
任意で、本願の本実施形態の具体的な実装において、処理モジュール８２０は具体的に、シンボル情報及びＳＰＳアクティブ化コマンドに基づいて、ＳＰＳデータを送信又は受信するために利用可能な第１の時間周波数リソースのリソース位置を決定し、ＳＰＳ周期長とＳＰＳデータを送信又は受信するために利用可能な第１の時間周波数リソースのリソース位置とに基づいて、ＳＰＳデータを送信又は受信するために利用可能な後の時間周波数リソースのリソース位置を決定するように構成される。
【０１５８】
任意で、本願の本実施形態の具体的な実装において、シンボル情報は、開始シンボル位置及びシンボル数を含み、あるいはショートサブフレーム数情報及びショートサブフレーム番号を含み、ショートサブフレーム数情報は、各サブフレームにおけるショートサブフレーム数を示すために使用される。
【０１５９】
任意で、本願の本実施形態の具体的な実装において、送受信機モジュール８１０は、ＳＰＳデータを送信又は受信するために利用可能な時間周波数リソース上でＳＰＳデータを送信又は受信するようにさらに構成される。
【０１６０】
任意で、本願の本実施形態の具体的な実装において、ＳＰＳ構成パラメータは第１のオフセットをさらに含み、処理モジュール８２０は、ＳＰＳデータを送信又は受信するために利用可能な時間周波数リソースが部分的又は完全に占有されているとき、第１のオフセットに基づいてオフセット時間周波数リソースを算出するようにさらに構成され、送受信機モジュール８１０は、オフセット時間周波数リソース上でＳＰＳデータを受信又は送信するようにさらに構成される。
【０１６１】
任意で、本願の本実施形態の具体的な実装において、送受信機モジュール８１０は、ＳＰＳデータを送信又は受信するために利用可能な時間周波数リソースが部分的に占有されているとき、ＳＰＳデータを送信又は受信するために利用可能な占有されていない時間周波数リソース上でＳＰＳデータを送信又は受信するようにさらに構成される。
【０１６２】
任意で、本願の本実施形態の具体的な実装において、ＳＰＳ構成パラメータはＳＰＳ優先度情報をさらに含み、処理モジュール８２０は、ＳＰＳデータを送信又は受信するために利用可能な時間周波数リソースが部分的又は完全に別のＳＰＳ時間周波数リソースに重なるとき、ＳＰＳ優先度情報に基づいて、ＳＰＳデータを送信又は受信する挙動を決定するようにさらに構成される。
【０１６３】
任意で、本願の本実施形態の具体的な実装において、ＳＰＳ構成パラメータは、キャリア情報、ビーム情報、セル情報、セルグループ情報、又は論理チャネル情報をさらに含む。処理モジュール８２０は、キャリア情報、ビーム情報、セル情報、セルグループ情報、又は論理チャネル情報に基づいて、ＳＰＳデータを送信又は受信するためのキャリア、ビーム、セル、セルグループ、又は論理チャネルを決定するようにさらに構成される。
【０１６４】
任意で、本願の本実施形態の具体的な実装において、ＳＰＳ構成パラメータは、ハイブリッド自動再送要求ＨＡＲＱ数をさらに含む。処理モジュール８２０は、さらに、ＨＡＲＱ数とＳＰＳデータを送信するために利用可能な時間周波数リソースのリソース位置とに基づいて、ＨＡＲＱ  ＩＤを決定するように構成される。
【０１６５】
任意で、本願の本実施形態の具体的な実装において、ＳＰＳ構成パラメータは、ＳＰＳ無線ネットワーク一時識別子をさらに含む。
【０１６６】
図９は、本願の一実施形態による端末デバイスの概略構成図である。端末デバイスは、前述の実施形態のいずれかにおける端末デバイスであってもよく、前述の実施形態における方法のステップを実現するように構成される。
【０１６７】
図９に示すように、端末デバイスは、プロセッサ９１０、メモリ９２０、及び送受信機モジュール９３０を含んでもよい。送受信機モジュール９３０は、受信機９３０１、送信機９３０２、及びアンテナ９３０３などのコンポーネントを含んでもよい。あるいは、端末デバイスは、より多くの又はより少ないコンポーネント、又はいくつかのコンポーネントの組み合わせ、又は別様に配置されたコンポーネントを含んでもよい。これは、本願において限定されない。
【０１６８】
プロセッサ９１０は、端末デバイスの制御センタであり、種々のインタフェース及びラインを使用することにより端末デバイス全体の全ての部分に接続される。プロセッサ９１０は、メモリ９２０に記憶されたソフトウェアプログラム及び／又はモジュールを作動又は実行し、メモリ９２０に記憶されたデータを呼び出して、端末デバイスの種々の機能を実行し、かつ／あるいはデータを処理する。プロセッサ９１０は、集積回路（integrated  circuit、ＩＣ）を含んでもよく、例えば、単一のパッケージ化されたＩＣを含んでもよく、あるいは、同じ機能又は異なる機能を有し且つ互いに接続された複数のパッケージ化されたＩＣを含んでもよい。例えば、プロセッサ９１０は、中央処理ユニット（central  processing  unit、ＣＰＵ）のみを含んでもよく、あるいは、ＧＰＵ、デジタル信号プロセッサ（digital  signal  processor、ＤＳＰ）、及び送受信機モジュール内の制御チップ（ベースバンドチップなど）の組み合わせであってもよい。本願の種々の実装において、ＣＰＵは単一の動作コアであってもよく、あるいは複数の動作コアを含んでもよい。
【０１６９】
送受信機モジュール９３０は、通信チャネルを確立するように構成され、それにより、端末デバイスは、通信チャネルを通じて受信デバイスに接続されて、端末デバイス間のデータ伝送を実現する。送受信機モジュールは、無線ローカルエリアネットワーク（wireless  local  area  network、ＷＬＡＮ）モジュール、Ｂｌｕｅｔｏｏｔｈモジュール、及びベースバンド（base  band）モジュールなどの通信モジュール、並びに通信モジュールに対応する無線周波数（radio  frequency、ＲＦ）回路を含み、無線ローカルエリアネットワーク通信、Ｂｌｕｅｔｏｏｔｈ通信、赤外線通信、及び／又はセルラー通信システム通信、例えば、広帯域符号分割多元接続（wideband  code  division  multiple  access、ＷＣＤＭＡ）及び／又は高速下りリンクパケットアクセス（high  speed  downlink  packet  access、ＨＳＤＰＡ）における通信を実行してもよい。送受信機モジュールは、端末デバイス内のコンポーネント間の通信を制御するように構成され、ダイレクトメモリアクセス（direct  memory  access）をサポートすることができる。
【０１７０】
本願の異なる実装において、送受信機モジュール９３０内の各送受信機モジュールは、通常、集積回路チップ（integrated  circuit  chip）の形式で実現され、選択的に組み合わせられてもよい。すべての送受信機モジュール及び対応するアンテナグループを含める必要はない。例えば、送受信機モジュール９３０は、セルラ通信システムにおいて通信機能を提供するために、ベースバンドチップ、無線周波数チップ、及び対応するアンテナのみを含んでもよい。端末デバイスは、送受信機モジュールにより確立される無線通信接続、例えば、無線ローカルエリアネットワークアクセス又はＷＣＤＭＡアクセスを通じて、セルラネットワーク（cellular  network）又はインターネット（internet）に接続されてもよい。本願のいくつかの任意的な実装において、送受信機モジュール内の通信モジュール、例えばベースバンドモジュールは、プロセッサに統合されてもよい。典型的な一例は、クアルコム社（Qualcomm）により提供されるＡＰＱ＋ＭＤＭシリーズプラットフォームである。無線周波数回路は、通話プロセスにおいて情報を受信及び送信し、又は信号を受信及び送信するように構成される。例えば、無線周波数回路は、ネットワークデバイスから下りリンク情報を受信し、次いで、下りリンク情報を処理のためにプロセッサに送信し、上りリンク関連データをネットワークデバイスに送信する。通常、無線周波数回路は、これらの機能を実行するように構成された周知の回路を含む。周知の回路は、これらに限られないがアンテナシステム、無線周波数送受信機、１つ以上の増幅器、チューナ、１つ以上の発振器、デジタル信号プロセッサ、コーデック（codec）チップセット、加入者識別モジュール（ＳＩＭ）カード、及びメモリを含む。さらに、無線周波数回路は、無線通信を通じてネットワーク及び別のデバイスとさらに通信してもよい。任意の通信標準又はプロトコルが無線通信に使用されてもよく、これらに限られないがグローバルシステムフォーモバイルコミュニケーションズ（Global  System  of  Mobile  communication、ＧＳＭ）、汎用パケット無線サービス（General  Packet  Radio  Service、ＧＰＲＳ）、符号分割多元接続（Code  Division  Multiple  Access、ＣＤＭＡ）、広帯域符号分割多元接続（Wideband  Code  Division  Multiple  Access、略称ＷＣＤＭＡ）、高速上りリンクパケット接続（High  Speed  Uplink  Packet  Access、ＨＳＵＰＡ）、ロングタームエボリューション（Long  Term  Evolution、ＬＴＥ）、電子メール、及びショートメッセージングサービス（Short  Messaging  Service、ＳＭＳ）を含む。
【０１７１】
本願の本実施形態において、送受信機モジュール７２０により実現される必要のある機能は、端末デバイスの送受信機モジュール９３０により実現されてもよく、あるいはプロセッサ９１０により制御される送受信機モジュール９３０により実現されてもよい。処理モジュール７１０により実現される必要のある機能は、プロセッサ９１０により実現されてもよい。
【０１７２】
図１０は、本発明の一実施形態によるネットワークデバイスの概略構成図である。ネットワークデバイスは、前述の実施形態のいずれかにおけるネットワークデバイスであってもよく、前述の実施形態における方法のステップを実現するように構成される。
【０１７３】
ネットワークデバイスは、プロセッサ１０１０、メモリ１０２０、送受信機１０３０などを含んでもよい。
【０１７４】
プロセッサ１０１０は、ネットワークデバイスの制御センタであり、種々のインタフェース及びラインを使用することによりネットワークデバイス全体の全ての部分に接続される。プロセッサ１０１０は、メモリに記憶されたソフトウェアプログラム及び／又はモジュールを作動又は実行し、メモリ１０２０に記憶されたデータを呼び出して、ネットワークデバイスの様々な機能を実行し、かつ／あるいはデータを処理する。プロセッサ１０１０は、中央処理ユニット（central  processing  unit、ＣＰＵ）、ネットワークプロセッサ（network  processor、ＮＰ）、又はＣＰＵ及びＮＰの組み合わせであってもよい。プロセッサは、ハードウェアチップをさらに含んでもよい。ハードウェアチップは、特定用途向け集積回路（application-specific  integrated  circuit、ＡＳＩＣ）、プログラマブル論理デバイス（programmable  logic  device、ＰＬＤ）、又はこれらの組み合わせであってもよい。ＰＬＤは、複合プログラマブル論理デバイス（complex  programmable  logic  device、ＣＰＬＤ）、フィールドプログラマブルゲートアレイ（field-programmable  gate  array、ＦＰＧＡ）、汎用アレイ論理（generic  array  logic、略称ＧＡＬ）、又はこれらの任意の組み合わせであってもよい。
【０１７５】
メモリ１０２０は、揮発性メモリ（volatile  memory）、例えばランダムアクセスメモリ（random  access  memory、ＲＡＭ）を含んでもよく、あるいは不揮発性メモリ（non-volatile  memory）、例えばフラッシュメモリ（flash  memory）、ハードディスクドライブ（hard  disk  drive、ＨＤＤ）、又はソリッドステートドライブ（solid-state  drive、ＳＳＤ）を含んでもよい。あるいは、メモリ１０２０は、前述のタイプのメモリの組み合わせを含んでもよい。メモリは、プログラム又はコードを記憶してもよい。ネットワークデバイス内のプロセッサ１０１０は、プログラム又はコードを実行してネットワークデバイスの機能を実現する。
【０１７６】
送受信機１０３０は、データを受信又は送信するように構成されてもよい。送受信機は、プロセッサの制御下にある端末デバイス又は他のネットワークデバイスにデータを送信してもよい。送受信機は、プロセッサの制御下で、端末デバイス又は他のネットワークデバイスにより送信されたデータを受信する。
【０１７７】
本願の本実施形態において、送受信機モジュール８１０により実現される必要のある機能は、ネットワークデバイスの送受信機１０３０により実現されてもよく、あるいはプロセッサ１０１０により制御される送受信機１０３０により実現されてもよい。処理モジュール８２０により実現される必要のある機能は、プロセッサ１０１０により実現されてもよい。
【０１７８】
具体的な実装において、本願の一実施形態はコンピュータ記憶媒体をさらに提供し、コンピュータ記憶媒体はプログラムを記憶してもよく、プログラムが実行されると、本願で提供されるセミパーシステントスケジューリング方法の実施形態におけるステップの一部又は全部が実行され得る。記憶媒体は、磁気ディスク、光ディスク、読取専用メモリ（read-only  memory、ＲＯＭ）、ランダムアクセスメモリ（random  access  memory、ＲＡＭ）などであってよい。
【０１７９】
当業者は、本願の実施形態における技術が必要な汎用ハードウェアプラットフォームに加えてソフトウェアにより実現され得ることを明確に理解し得る。このような理解に基づき、本質的に本願の実施形態における技術的解決策、又は従来技術に寄与する部分は、ソフトウェアプロダクトの形式で実現されてもよい。コンピュータソフトウェアプロダクトは、ＲＯＭ／ＲＡＭ、ハードディスク、又は光ディスクなどの記憶媒体に記憶され、コンピュータデバイス（これはパーソナルコンピュータ、サーバ、ネットワークデバイスなどであってもよい）に本願の実施形態又は実施形態のいくつかの部分に記載される方法を実行するように命令するためのいくつかの命令を含む。
【０１８０】
本明細書における実施形態はすべて漸進的に記載されている。実施形態中の同一又は同様の部分については、これらの実施形態に対し相互参照がなされてよく、各実施形態は他の実施形態との差異に焦点を当てている。特に、システム及び装置の実施形態は方法の実施形態と基本的に同様であり、したがって簡潔に説明される。関連する部分については、方法の実施形態における説明を参照する。
【図１】
2020507984.tif 000003
【図２】
2020507984.tif 000004
【図３】
2020507984.tif 000005
【図４】
2020507984.tif 000006
【図５】
2020507984.tif 000007
【図６】
2020507984.tif 000008
【図７】
2020507984.tif 000009
【図８】
2020507984.tif 000010
【図９】
2020507984.tif 000011
【図１０】
2020507984.tif 000012
【手続補正書】
【提出日】令和1年8月27日(2019.8.27)
【手続補正１】
【補正対象書類名】特許請求の範囲
【補正対象項目名】全文
【補正方法】変更
【補正の内容】
【特許請求の範囲】
【請求項１】
セミパーシステントスケジューリング方法であって、
ネットワークデバイスにより、セミパーシステントスケジューリング（ＳＰＳ）構成パラメータを決定するステップであり、前記ＳＰＳ構成パラメータはＳＰＳ周期長、シンボル情報、及びＳＰＳアクティブ化コマンドを含み、前記ＳＰＳアクティブ化コマンドは、ＳＰＳデータを送信又は受信するために利用可能な第１の時間周波数リソースのシステムフレーム番号及びサブフレーム番号を示すために使用され、前記シンボル情報は、サブフレーム内にあり且つ前記第１の時間周波数リソースにより占有されるシンボルの位置を示すために使用される、ステップと、
前記ネットワークデバイスにより、前記ＳＰＳ周期長、前記シンボル情報、及び前記ＳＰＳアクティブ化コマンドに基づいて、前記ＳＰＳデータを送信又は受信するために利用可能な時間周波数リソースのリソース位置を決定するステップと、
前記ネットワークデバイスにより、前記ＳＰＳ構成パラメータを端末デバイスに送信するステップと、
を含む方法。
【請求項２】
前記シンボル情報は開始シンボル位置及びシンボル数を含み、あるいはショートサブフレーム数情報及びショートサブフレーム番号を含み、前記ショートサブフレーム数情報は、各サブフレーム内のショートサブフレーム数を示すために使用される、請求項１に記載の方法。
【請求項３】
前記ＳＰＳ構成パラメータは第１のオフセットをさらに含み、当該方法は、
前記ＳＰＳデータを送信又は受信するために利用可能な前記時間周波数リソースが部分的又は完全に占有されているとき、前記ネットワークデバイスにより、前記第１のオフセットに基づいてオフセット時間周波数リソースを算出し、前記オフセット時間周波数リソース上で前記ＳＰＳデータを受信又は送信するステップ
をさらに含む請求項１乃至２のうちいずれか１項に記載の方法。
【請求項４】
前記ＳＰＳ構成パラメータはＳＰＳ優先度情報をさらに含み、当該方法は、
前記ＳＰＳデータを送信又は受信するために利用可能な前記時間周波数リソースが別のＳＰＳ時間周波数リソースに部分的又は完全に重なるとき、前記ネットワークデバイスにより、前記ＳＰＳ優先度情報に基づいて、前記ＳＰＳデータを送信又は受信する挙動を決定するステップ
をさらに含む請求項１乃至３のうちいずれか１項に記載の方法。
【請求項５】
セミパーシステントスケジューリング方法であって、
端末デバイスにより、ネットワークデバイスにより送信されたセミパーシステントスケジューリング（ＳＰＳ）構成パラメータを受信するステップであり、前記ＳＰＳ構成パラメータはＳＰＳ周期長、シンボル情報、及びＳＰＳアクティブ化コマンドを含み、前記ＳＰＳアクティブ化コマンドは、ＳＰＳデータを送信又は受信するために利用可能な第１の時間周波数リソースのシステムフレーム番号及びサブフレーム番号を示すために使用され、前記シンボル情報は、サブフレーム内にあり且つ前記第１の時間周波数リソースにより占有されるシンボルの位置を示すために使用される、ステップと、
前記端末デバイスにより、前記ＳＰＳ周期長、前記シンボル情報、及び前記ＳＰＳアクティブ化コマンドに基づいて、前記ＳＰＳデータを送信又は受信するために利用可能な時間周波数リソースのリソース位置を決定するステップと、
を含む方法。
【請求項６】
前記シンボル情報は開始シンボル位置及びシンボル数を含み、あるいはショートサブフレーム数情報及びショートサブフレーム番号を含み、前記ショートサブフレーム数情報は、各サブフレーム内のショートサブフレーム数を示すために使用される、請求項５に記載の方法。
【請求項７】
前記ＳＰＳ構成パラメータは第１のオフセットをさらに含み、当該方法は、
前記ＳＰＳデータを送信又は受信するために利用可能な前記時間周波数リソースが部分的又は完全に占有されているとき、前記端末デバイスにより、前記第１のオフセットに基づいてオフセット時間周波数リソースを算出し、前記オフセット時間周波数リソース上で前記ＳＰＳデータを受信又は送信するステップ
をさらに含む請求項５乃至６のうちいずれか１項に記載の方法。
【請求項８】
前記ＳＰＳ構成パラメータはＳＰＳ優先度情報をさらに含み、当該方法は、
前記ＳＰＳデータを送信又は受信するために利用可能な前記時間周波数リソースが別のＳＰＳ時間周波数リソースに部分的又は完全に重なるとき、前記端末デバイスにより、前記ＳＰＳ優先度情報に基づいて、前記ＳＰＳデータを送信又は受信する挙動を決定するステップ
をさらに含む請求項５乃至７のうちいずれか１項に記載の方法。
【請求項９】
ネットワークデバイスであって、
セミパーシステントスケジューリング（ＳＰＳ）構成パラメータを決定することであり、前記ＳＰＳ構成パラメータはＳＰＳ周期長、シンボル情報、及びＳＰＳアクティブ化コマンドを含み、前記ＳＰＳアクティブ化コマンドは、ＳＰＳデータを送信又は受信するために利用可能な第１の時間周波数リソースのシステムフレーム番号及びサブフレーム番号を示すために使用され、前記シンボル情報は、サブフレーム内にあり且つ前記第１の時間周波数リソースにより占有されるシンボルの位置を示すために使用され；前記ＳＰＳ周期長、前記シンボル情報、及び前記ＳＰＳアクティブ化コマンドに基づいて、前記ＳＰＳデータを送信又は受信するために利用可能な時間周波数リソースのリソース位置を決定するように構成された処理モジュールと、
前記ＳＰＳ構成パラメータを端末デバイスに送信するように構成された送受信機モジュールと、
を含むネットワークデバイス。
【請求項１０】
前記シンボル情報は開始シンボル位置及びシンボル数を含み、あるいはショートサブフレーム数情報及びショートサブフレーム番号を含み、前記ショートサブフレーム数情報は、各サブフレーム内のショートサブフレーム数を示すために使用される、請求項９に記載のネットワークデバイス。
【請求項１１】
前記ＳＰＳ構成パラメータは第１のオフセットをさらに含み、前記処理モジュールは、前記ＳＰＳデータを送信又は受信するために利用可能な前記時間周波数リソースが部分的又は完全に占有されているとき、前記第１のオフセットに基づいてオフセット時間周波数リソースを算出するようにさらに構成され、前記送受信機モジュールは、前記オフセット時間周波数リソース上で前記ＳＰＳデータを受信又は送信するようにさらに構成される、請求項９乃至１０のうちいずれか１項に記載のネットワークデバイス。
【請求項１２】
前記ＳＰＳ構成パラメータはＳＰＳ優先度情報をさらに含み、前記処理モジュールは、前記ＳＰＳデータを送信又は受信するために利用可能な前記時間周波数リソースが別のＳＰＳ時間周波数リソースに部分的又は完全に重なるとき、前記ＳＰＳ優先度情報に基づいて、前記ＳＰＳデータを送信又は受信する挙動を決定するようにさらに構成される、請求項９乃至１１のうちいずれか１項に記載のネットワークデバイス。
【請求項１３】
端末デバイスであって、
ネットワークデバイスにより送信されたセミパーシステントスケジューリング（ＳＰＳ）構成パラメータを受信することであり、前記ＳＰＳ構成パラメータはＳＰＳ周期長、シンボル情報、及びＳＰＳアクティブ化コマンドを含み、前記ＳＰＳアクティブ化コマンドは、ＳＰＳデータを送信又は受信するために利用可能な第１の時間周波数リソースのシステムフレーム番号及びサブフレーム番号を示すために使用され、前記シンボル情報は、サブフレーム内にあり且つ前記第１の時間周波数リソースにより占有されるシンボルの位置を示すために使用される、ように構成された送受信機モジュールと、
前記ＳＰＳ周期長、前記シンボル情報、及びＳＰＳアクティブ化コマンドに基づいて、前記ＳＰＳデータを送信又は受信するために利用可能な時間周波数リソースのリソース位置を決定するように構成された処理モジュールと、
を含む端末デバイス。
【請求項１４】
前記シンボル情報は開始シンボル位置及びシンボル数を含み、あるいはショートサブフレーム数情報及びショートサブフレーム番号を含み、前記ショートサブフレーム数情報は、各サブフレーム内のショートサブフレーム数を示すために使用される、請求項１３に記載の端末デバイス。
【請求項１５】
前記ＳＰＳ構成パラメータは第１のオフセットをさらに含み、前記処理モジュールは、前記ＳＰＳデータを送信又は受信するために利用可能な前記時間周波数リソースが部分的又は完全に占有されているとき、前記第１のオフセットに基づいてオフセット時間周波数リソースを算出するようにさらに構成され、前記送受信機モジュールは、前記オフセット時間周波数リソース上で前記ＳＰＳデータを受信又は送信するようにさらに構成される、請求項１３乃至１４のうちいずれか１項に記載の端末デバイス。
【手続補正２】
【補正対象書類名】明細書
【補正対象項目名】全文
【補正方法】変更
【補正の内容】
【発明の詳細な説明】
【技術分野】
【０００１】
本願は、2017年2月4日に中国特許庁に出願され、「SEMI-PERSISTENT  SCHEDULING  METHOD,  NETWORK  DEVICE,  AND  TERMINAL  DEVICE」と題された中国特許出願第201710063990.7号に対する優先権を主張し、該出願はその全体を本明細書において参照により援用される。
【０００２】
本願は通信技術の分野に関し、特にセミパーシステントスケジューリング方法、ネットワークデバイス、及び端末デバイスに関する
【背景技術】
【０００３】
ロングタームエボリューション（Long  Term  Evolution、ＬＴＥ）システムにおいて、動的スケジューリングは非常に柔軟であり、無線帯域利用を改善し、ユーザに対するサービス品質（quality  of  service、ＱｏＳ）を保証し、システムキャパシティを増加させることができる。したがって、動的スケジューリングは、ＬＴＥシステムにおける最も基本的なスケジューリング方式である。動的スケジューリングでは、リソースは必要に応じて割り当てられ、スケジューリング信号は各スケジューリングの間に交換される必要がある。バースト特性が明らかでなく、リアルタイム性能が非常に高いサービスについて、ネットワークデバイスは、各送信時間間隔（transmission  time  interval、ＴＴＩ）に端末デバイスをスケジュールする必要があり、スケジューリング情報は、物理下りリンク制御チャネル（physical  downlink  control  channel、ＰＤＣＣＨ）上で伝送される。その結果、各ＴＴＩにスケジュールできる端末デバイスは、ＰＤＣＣＨのリソースにより制限される。
【０００４】
したがって、バースト特性が明らかでなく、リアルタイム性能が非常に高いサービスについて、セミパーシステントスケジューリング（semi-persistent  scheduling、ＳＰＳ）が使用されることが考えられる。具体的に、ネットワークデバイスは、ＴＴＩ内の端末デバイスに、サービスに使用される時間周波数リソース（これは、本明細書においてＳＰＳリソースと呼ばれる）を割り当てる。その後、端末デバイスは、各々の指定された期間の後にＳＰＳリソースを使用することによりデータを受信又は送信する。リソースは、ＳＰＳの間に１回割り当てられればよい。したがって、ＳＰＳモードはＰＤＣＣＨのリソースオーバヘッドを低減することができる。
【０００５】
関連技術では、ＳＰＳ方式でスケジューリングを実行するプロセスにおいて、各期間にスケジュールされたＳＰＳリソースは１つのサブフレームに対応し、該サブフレームはＳＰＳデータのみ伝送するために使用できる。しかし、実際の適用において、ＳＰＳデータがサブフレームの形式で伝送されるとき、通常、サブフレーム内に未使用リソースが存在し、関連技術においてＳＰＳの間に低いリソース利用率をもたらす。さらに、ＳＰＳデータが関連技術においてサブフレーム形式で伝送されるため、ＳＰＳデータの伝送遅延は１ｍｓに固定され、ＳＰＳデータの比較的大きい伝送遅延をもたらす。
【発明の概要】
【０００６】
本願の実施形態は、セミパーシステントスケジューリングの間のリソース利用を改善し、ＳＰＳデータの伝送遅延を低減するための、セミパーシステントスケジューリング方法、ネットワークデバイス、及び端末デバイスを提供する。
【０００７】
第１の態様によれば、本願の一実施形態はセミパーシステントスケジューリング方法を提供し、当該方法は、ネットワークデバイスにより、セミパーシステントスケジューリングＳＰＳ構成パラメータを決定するステップであり、ＳＰＳ構成パラメータはＳＰＳ周期長、シンボル情報、及びＳＰＳアクティブ化コマンドを含み、ＳＰＳアクティブ化コマンドは、ＳＰＳデータを送信又は受信するために利用可能な第１の時間周波数リソースのシステムフレーム番号及びサブフレーム番号を示すために使用され、シンボル情報は、サブフレーム内にあり且つ第１の時間周波数リソースにより占有されるシンボルの位置を示すために使用される、ステップと、ネットワークデバイスにより、ＳＰＳ周期長、シンボル情報、及びＳＰＳアクティブ化コマンドに基づいて、ＳＰＳデータを送信又は受信するために利用可能な時間周波数リソースのリソース位置を決定するステップと、ネットワークデバイスにより、ＳＰＳ構成パラメータを端末デバイスに送信するステップと、を含む。
【０００８】
本願の本実施形態で提供されるセミパーシステントスケジューリング方法によれば、まず、ネットワークデバイスがセミパーシステントスケジューリングＳＰＳ構成パラメータを決定し、ＳＰＳ構成パラメータは、ＳＰＳ周期長、シンボル情報、及びＳＰＳアクティブ化コマンドを含み、ＳＰＳアクティブ化コマンドは、第１の時間周波数リソースのシステムフレーム番号及びサブフレーム番号を示すために使用され、シンボル情報は、サブフレーム内にあり且つ第１の時間周波数リソースにより占有されるシンボルの位置を示すために使用され、次いで、ネットワークデバイスは、ＳＰＳ周期長、シンボル情報、及びＳＰＳアクティブ化コマンドに基づいて、ＳＰＳデータを送信又は受信するために利用可能な時間周波数リソース位置を決定し、ＳＰＳ構成パラメータを端末デバイスに送信する。本願の本実施形態において、端末デバイス及びネットワークデバイスは、シンボル情報の指示に基づいて、サブフレーム内にあり且つＳＰＳデータを送信又は受信するために利用可能な時間周波数リソースにより占有されるシンボルの位置を決定してよい。したがって、ＳＰＳデータを送信又は受信するために利用可能な時間周波数リソースはサブフレーム内の１つ以上のシンボルに制限され、それにより、ネットワークデバイス及び端末デバイスは同じサブフレーム内の残りのシンボルリソース上で他のデータを伝送でき、それにより、セミパーシステントスケジューリングの間のリソース利用を改善する。さらに、本願の本実施形態において、ＳＰＳデータがネットワークデバイスと端末デバイスとの間で伝送されるとき、使用される時間周波数リソースはシンボルレベルである。したがって、本願の本実施形態における技術的解決策では、ＳＰＳデータの伝送遅延は１ｍｓ未満であり、それにより、ＳＰＳデータの伝送遅延が低減できる。
【０００９】
任意で、本願の本実施形態の具体的な実装において、ネットワークデバイスにより、ＳＰＳ周期長、シンボル情報、及びＳＰＳアクティブ化コマンドに基づいて、ＳＰＳデータを送信又は受信するために利用可能な時間周波数リソースのリソース位置を決定するステップは、ネットワークデバイスにより、シンボル情報及びＳＰＳアクティブ化コマンドに基づいて、第１の時間周波数リソースのリソース位置を決定するステップと、ネットワークデバイスにより、ＳＰＳ周期長と、第１の時間周波数リソースのリソース位置とに基づいて、ＳＰＳデータを送信又は受信するために利用可能な後の時間周波数リソースのリソース位置を決定するステップと、を含む。
【００１０】
この具体的な実装において、ネットワークデバイスは、ＳＰＳアクティブ化コマンドの指示に基づいて、第１の時間周波数リソースのシステムフレーム番号及びサブフレーム番号を決定してよい。次いで、ネットワークデバイスは、シンボル情報の指示に基づいて、サブフレーム番号に対応するサブフレーム内にあり且つ第１の時間周波数リソースにより占有されるシンボルの位置（すなわち、第１の時間周波数リソースのリソース位置）を決定してよい。これに基づき、ネットワークデバイスは、ＳＰＳデータを送信又は受信するために利用可能な後の時間周波数リソースのリソース位置として、第１の時間周波数リソースのリソース位置への１つのＳＰＳ周期の各追加により決定されるリソース位置を使用する。
【００１１】
任意で、本願の本実施形態の具体的な実装において、シンボル情報は開始シンボル位置及びシンボル数を含み、あるいはショートサブフレーム数情報及びショートサブフレーム番号を含み、ショートサブフレーム数情報は、各サブフレーム内のショートサブフレーム数を示すために使用される。
【００１２】
この具体的な実装において、シンボル情報が開始シンボル位置及びシンボル数を含むとき、ネットワークデバイスは、開始シンボル位置に基づいて、ＳＰＳデータを送信又は受信するために利用可能な時間周波数リソースにより占有される第１のシンボルを決定してよい。これに基づき、ネットワークデバイスは、シンボル数に基づいて、ＳＰＳデータを送信又は受信するために利用可能な時間周波数リソースにより占有されるすべてのシンボルを決定してよく、シンボル数は１でもよく又は１より大きくてもよい。シンボル情報がショートサブフレーム数情報及びショートサブフレーム番号を含むとき、ネットワークデバイスは、ショートサブフレーム数情報に基づき、ＳＰＳデータを送信又は受信するために利用可能な時間周波数リソースにより占有される各サブフレーム内のショートサブフレーム数を決定してよく、ショートサブフレーム番号に基づいて、ＳＰＳデータを送信又は受信するために利用可能な時間周波数リソースにより占有されるショートサブフレームを決定してよく、各サブフレーム内のショートサブフレーム数は少なくとも２であり、各サブフレーム内のショートサブフレームは同じ長さ又は異なる長さを有してよい。
【００１３】
任意で、本願の本実施形態の具体的な実装において、当該方法は、ネットワークデバイスにより、ＳＰＳデータを送信又は受信するために利用可能な時間周波数リソース上でＳＰＳデータを送信又は受信するステップをさらに含む。
【００１４】
任意で、本願の本実施形態の具体的な実装において、ＳＰＳ構成パラメータは第１のオフセットをさらに含み、当該方法は、ＳＰＳデータを送信又は受信するために利用可能な時間周波数リソースが部分的又は完全に占有されているとき、ネットワークデバイスにより、第１のオフセットに基づいてオフセット時間周波数リソースを算出し、オフセット時間周波数リソース上でＳＰＳデータを受信又は送信するステップをさらに含む。
【００１５】
この具体的な実装において、ＳＰＳ構成パラメータは第１のオフセットをさらに含んでもよい。ＳＰＳデータを送信又は受信するために利用可能な時間周波数リソース上にＰＤＣＣＨが構成され、あるいはＳＰＳデータを送信又は受信するために利用可能な時間周波数リソース上で他のデータが伝送されており、あるいはネットワークデバイスと端末デバイスとの間に複数のＳＰＳが存在し、ＳＰＳデータを送信又は受信するために利用可能であり且つ本願の本実施形態におけるＳＰＳの間に決定される時間周波数リソースが１つ以上の他のＳＰＳの間に決定された時間周波数リソースと部分的又は完全に重なるとき、ＳＰＳデータを送信又は受信するために利用可能な時間周波数リソースは部分的又は完全に占有されている。この場合、ネットワークデバイスが、ＳＰＳデータを送信又は受信するために利用可能な時間周波数リソース上でＳＰＳデータを送信又は受信するとき、相互干渉が存在する。したがって、ネットワークデバイスは、ＳＰＳデータを送信又は受信するために利用可能な時間周波数リソースのリソース位置に対して第１のオフセットを追加してオフセット時間周波数リソースを算出し、次いで、ネットワークデバイスは、オフセット時間周波数リソース上でＳＰＳデータを受信又は送信し、それにより、ネットワークデバイスと端末デバイスとの間のＳＰＳデータの正常な伝送を保証する。
【００１６】
任意で、本願の本実施形態の具体的な実装において、当該方法は、ＳＰＳデータを送信又は受信するために利用可能な時間周波数リソースが部分的に占有されているとき、ネットワークデバイスにより、ＳＰＳデータを送信又は受信するために利用可能な占有されていない時間周波数リソース上でＳＰＳデータを送信又は受信するステップをさらに含む。
【００１７】
この具体的な実装において、ＳＰＳデータを送信又は受信するために利用可能な時間周波数リソースが部分的に占有されているとき、ネットワークデバイスは、ＳＰＳデータを送信又は受信するために利用可能な占有されていない時間周波数リソース上で時間周波数リソースを送信又は受信してよく、それにより、ＳＰＳデータを送信又は受信するために利用可能な時間周波数リソースの占有されていない部分が使用され、それによりリソース利用を改善する。
【００１８】
任意で、本願の本実施形態の具体的な実装において、ＳＰＳ構成パラメータはＳＰＳ優先度情報をさらに含む。当該方法は、ＳＰＳデータを送信又は受信するために利用可能な時間周波数リソースが別のＳＰＳ時間周波数リソースに部分的又は完全に重なるとき、ネットワークデバイスにより、ＳＰＳ優先度情報に基づいて、ＳＰＳデータを送信又は受信する挙動を決定するステップをさらに含む。
【００１９】
この具体的な実装において、ＳＰＳ構成パラメータはＳＰＳ優先度情報をさらに含んでもよく、ＳＰＳ優先度情報はＳＰＳデータの優先度を示すために使用される。この場合、ネットワークデバイスと端末デバイスとの間に複数のＳＰＳが存在するとき、ＳＰＳデータを送信又は受信するために利用可能であり且つ複数のＳＰＳの間に決定される時間周波数リソースが部分的又は完全に重なる場合に、ネットワークデバイスは、ＳＰＳ構成パラメータ内のＳＰＳ優先度情報に基づいてＳＰＳデータの優先度を決定してよい。次いで、ネットワークデバイスは、各ＳＰＳデータ片の優先度に基づいて、ＳＰＳデータ片を送信又は受信する挙動を決定してよい。具体的に、最も高い優先度を有するＳＰＳデータについて、ネットワークデバイスは、ＳＰＳデータを送信又は受信するために利用可能な時間周波数リソースを使用して、ＳＰＳデータを送信又は受信する。優先度が最も高くはないＳＰＳデータについて、ネットワークデバイスは、ＳＰＳデータを送信又は受信しなくてもよく、あるいは、ＳＰＳデータを送信又は受信するために利用可能な時間周波数リソースのリソース位置に対して１つ以上の第２のオフセットを追加してもよい。ここで、ＳＰＳデータのより低い優先度は、より多くの追加の第２のオフセットを示す。次いで、ネットワークデバイスは、オフセット時間周波数リソース上でＳＰＳデータを送信又は受信する。
【００２０】
任意で、本願の本実施形態の具体的な実装において、ＳＰＳ構成パラメータは、キャリア情報、ビーム情報、セル情報、セルグループ情報、又は論理チャネル情報をさらに含む。当該方法は、ネットワークデバイスにより、キャリア情報、ビーム情報、セル情報、セルグループ情報、又は論理チャネル情報に基づいて、ＳＰＳデータを送信又は受信するために使用されるキャリア、ビーム、セル、セルグループ、又は論理チャネルを決定するステップをさらに含む。
【００２１】
この具体的な実装において、ＳＰＳ構成パラメータは、キャリア情報、ビーム情報、セル情報、セルグループ情報、又は論理チャネル情報を含む。したがって、ネットワークデバイスは、キャリア情報、ビーム情報、セル情報、セルグループ情報、又は論理チャネル情報に基づいて、ＳＰＳデータを送信又は受信するために使用されるキャリア、ビーム、セル、セルグループ、又は論理チャネルを決定して、セミパーシステントスケジューリングが使用されるエリア範囲を決定してよい。
【００２２】
任意で、本願の本実施形態の具体的な実装において、ＳＰＳ構成パラメータはハイブリッド自動再送要求ＨＡＲＱ数をさらに含む。当該方法は、ネットワークデバイスにより、ＨＡＲＱ数とＳＰＳデータを送信するために利用可能な時間周波数リソースのリソース位置とに基づいて、ＨＡＲＱ  ＩＤを決定するステップをさらに含む。
【００２３】
この具体的な実装において、ＳＰＳ構成パラメータはＨＡＲＱ数をさらに含み、それにより、ＳＰＳデータの下りリンク伝送がネットワークデバイスと端末デバイスとの間で実行されるとき、ネットワークデバイスは、ＨＡＲＱ数とＳＰＳデータを送信するために利用可能な時間周波数リソースのリソース位置とに基づいてＨＡＲＱ  ＩＤを決定してよい。
【００２４】
任意で、本願の本実施形態の具体的な実装において、ＳＰＳ構成パラメータはＳＰＳ無線ネットワーク一時識別子をさらに含む。
【００２５】
この具体的な実装において、ネットワークデバイスは、ＳＰＳ無線ネットワーク一時識別子に基づいて異なるサービス情報を区別してよい。
【００２６】
第２の態様によれば、本願の一実施形態がセミパーシステントスケジューリング方法を提供し、当該方法は、端末デバイスにより、ネットワークデバイスにより送信されたセミパーシステントスケジューリングＳＰＳ構成パラメータを受信するステップであり、ＳＰＳ構成パラメータはＳＰＳ周期長、シンボル情報、及びＳＰＳアクティブ化コマンドを含み、ＳＰＳアクティブ化コマンドは、ＳＰＳデータを送信又は受信するために利用可能な第１の時間周波数リソースのシステムフレーム番号及びサブフレーム番号を示すために使用され、シンボル情報は、サブフレーム内にあり且つ第１の時間周波数リソースにより占有されるシンボルの位置を示すために使用される、ステップと、端末デバイスにより、ＳＰＳ周期長、シンボル情報、及びＳＰＳアクティブ化コマンドに基づいて、ＳＰＳデータを送信又は受信するために利用可能な時間周波数リソースのリソース位置を決定するステップと、を含む。
【００２７】
本願の本実施形態で提供されるセミパーシステントスケジューリング方法によれば、まず、端末デバイスが、ネットワークデバイスにより送信されたセミパーシステントスケジューリングＳＰＳ構成パラメータを受信し、ＳＰＳ構成パラメータは、ＳＰＳ周期長、シンボル情報、及びＳＰＳアクティブ化コマンドを含み、ＳＰＳアクティブ化コマンドは、第１の時間周波数リソースのシステムフレーム番号及びサブフレーム番号を示すために使用され、シンボル情報は、サブフレーム内にあり且つ第１の時間周波数リソースにより占有されるシンボルの位置を示すために使用され、次いで、端末デバイスは、ＳＰＳ周期長、シンボル情報、及びＳＰＳアクティブ化コマンドに基づいて、ＳＰＳデータを送信又は受信するために利用可能な時間周波数リソースのリソース位置を決定する。本願の本実施形態において、端末デバイス及びネットワークデバイスは、シンボル情報の指示に基づいて、サブフレーム内にあり且つＳＰＳデータを送信又は受信するために利用可能な時間周波数リソースにより占有されるシンボルの位置を決定してよい。したがって、ＳＰＳデータを送信又は受信するために利用可能な時間周波数リソースはサブフレーム内の１つ以上のシンボルに制限され、それにより、ネットワークデバイス及び端末デバイスは同じサブフレーム内の残りのシンボルリソース上で他のデータを伝送でき、それにより、セミパーシステントスケジューリングの間のリソース利用を改善する。さらに、本願の本実施形態において、ＳＰＳデータがネットワークデバイスと端末デバイスとの間で伝送されるとき、使用される時間周波数リソースはシンボルレベルである。したがって、本願の本実施形態における技術的解決策では、ＳＰＳデータの伝送遅延は１ｍｓ未満であり、それにより、ＳＰＳデータの伝送遅延が低減できる。
【００２８】
任意で、本願の本実施形態の具体的な実装において、端末デバイスにより、ＳＰＳ周期長、シンボル情報、及びＳＰＳアクティブ化コマンドに基づいて、ＳＰＳデータを送信又は受信するために利用可能な時間周波数リソースのリソース位置を決定するステップは、端末デバイスにより、シンボル情報及びＳＰＳアクティブ化コマンドに基づいて、第１の時間周波数リソースのリソース位置を決定するステップと、端末デバイスにより、ＳＰＳ周期長と、第１の時間周波数リソースのリソース位置とに基づいて、ＳＰＳデータを送信又は受信するために利用可能な後の時間周波数リソースのリソース位置を決定するステップと、を含む。
【００２９】
この具体的な実装において、端末デバイスは、ＳＰＳアクティブ化コマンドの指示に基づいて、第１の時間周波数リソースのシステムフレーム番号及びサブフレーム番号を決定してよい。次いで、端末デバイスは、シンボル情報の指示に基づいて、サブフレーム番号に対応するサブフレームであり且つ第１の時間周波数リソースにより占有されるシンボルの位置（すなわち、第１の時間周波数リソースのリソース位置）を決定してよい。これに基づき、端末デバイスは、ＳＰＳデータを送信又は受信するために利用可能な後の時間周波数リソースのリソース位置として、第１の時間周波数リソースのリソース位置への１つのＳＰＳ周期の各追加により決定されるリソース位置を使用する。
【００３０】
任意で、本願の本実施形態の具体的な実装において、シンボル情報は開始シンボル位置及びシンボル数を含み、あるいはショートサブフレーム数情報及びショートサブフレーム番号を含み、ショートサブフレーム数情報は、各サブフレーム内のショートサブフレーム数を示すために使用される。
【００３１】
この具体的な実装において、シンボル情報が開始シンボル位置及びシンボル数を含むとき、端末デバイスは、開始シンボル位置に基づいて、ＳＰＳデータを送信又は受信するために利用可能な時間周波数リソースにより占有される第１のシンボルを決定してよい。これに基づき、端末デバイスは、シンボル数に基づいて、ＳＰＳデータを送信又は受信するために利用可能な時間周波数リソースにより占有されるすべてのシンボルを決定してよく、シンボル数は１でもよく又は１より大きくてもよい。シンボル情報がショートサブフレーム数情報及びショートサブフレーム番号を含むとき、端末デバイスは、ショートサブフレーム数情報に基づき、ＳＰＳデータを送信又は受信するために利用可能な時間周波数リソースにより占有される各サブフレーム内のショートサブフレーム数を決定してよく、ショートサブフレーム番号に基づいて、ＳＰＳデータを送信又は受信するために利用可能な時間周波数リソースにより占有されるショートサブフレームを決定してよく、各サブフレーム内のショートサブフレーム数は少なくとも２であり、各サブフレーム内のショートサブフレームは同じ長さ又は異なる長さを有してよい。
【００３２】
任意で、本願の本実施形態の具体的な実装において、当該方法は、端末デバイスにより、ＳＰＳデータを送信又は受信するために利用可能な時間周波数リソース上でＳＰＳデータを送信又は受信するステップをさらに含む。
【００３３】
任意で、本願の本実施形態の具体的な実装において、ＳＰＳ構成パラメータは第１のオフセットをさらに含み、当該方法は、ＳＰＳデータを送信又は受信するために利用可能な時間周波数リソースが部分的又は完全に占有されているとき、端末デバイスにより、第１のオフセットに基づいてオフセット時間周波数リソースを算出し、オフセット時間周波数リソース上でＳＰＳデータを受信又は送信するステップをさらに含む。
【００３４】
この具体的な実装において、ＳＰＳ構成パラメータは第１のオフセットをさらに含んでもよい。ＳＰＳデータを送信又は受信するために利用可能な時間周波数リソース上にＰＤＣＣＨが構成され、あるいはＳＰＳデータを送信又は受信するために利用可能な時間周波数リソース上で他のデータが伝送されており、あるいはネットワークデバイスと端末デバイスとの間に複数のＳＰＳが存在し、ＳＰＳデータを送信又は受信するために利用可能であり且つ本願の本実施形態におけるＳＰＳの間に決定される時間周波数リソースが１つ以上の他のＳＰＳの間に決定された時間周波数リソースと部分的又は完全に重なるとき、ＳＰＳデータを送信又は受信するために利用可能な時間周波数リソースは部分的又は完全に占有されている。この場合、端末デバイスが、ＳＰＳデータを送信又は受信するために利用可能な時間周波数リソース上でＳＰＳデータを送信又は受信するとき、相互干渉が存在する。したがって、端末デバイスは、ＳＰＳデータを送信又は受信するために利用可能な時間周波数リソースのリソース位置に対して第１のオフセットを追加してオフセット時間周波数リソースを算出し、次いで、端末デバイスは、オフセット時間周波数リソース上でＳＰＳデータを受信又は送信し、それにより、ネットワークデバイスと端末デバイスとの間のＳＰＳデータの正常な伝送を保証する。
【００３５】
任意で、本願の本実施形態の具体的な実装において、当該方法は、ＳＰＳデータを送信又は受信するために利用可能な時間周波数リソースが部分的に占有されているとき、端末デバイスにより、ＳＰＳデータを送信又は受信するために利用可能な占有されていない時間周波数リソース上でＳＰＳデータを送信又は受信するステップをさらに含む。
【００３６】
この具体的な実装において、ＳＰＳデータを送信又は受信するために利用可能な時間周波数リソースが部分的に占有されているとき、端末デバイスは、ＳＰＳデータを送信又は受信するために利用可能な占有されていない時間周波数リソース上で時間周波数リソースを送信又は受信してよく、それにより、ＳＰＳデータを送信又は受信するために利用可能な時間周波数リソースの占有されていない部分が使用され、それによりリソース利用を改善する。
【００３７】
任意で、本願の本実施形態の具体的な実装において、ＳＰＳ構成パラメータはＳＰＳ優先度情報をさらに含む。当該方法は、ＳＰＳデータを送信又は受信するために利用可能な時間周波数リソースが別のＳＰＳ時間周波数リソースに部分的又は完全に重なるとき、端末デバイスにより、ＳＰＳ優先度情報に基づいて、ＳＰＳデータを送信又は受信する挙動を決定するステップをさらに含む。
【００３８】
この具体的な実装において、ＳＰＳ構成パラメータはＳＰＳ優先度情報をさらに含んでもよく、ＳＰＳ優先度情報はＳＰＳデータの優先度を示すために使用される。この場合、ネットワークデバイスと端末デバイスとの間に複数のＳＰＳが存在するとき、ＳＰＳデータを送信又は受信するために利用可能であり且つ複数のＳＰＳの間に決定される時間周波数リソースが部分的又は完全に重なる場合に、端末デバイスは、ＳＰＳ構成パラメータ内のＳＰＳ優先度情報に基づいてＳＰＳデータの優先度を決定してよい。次いで、端末デバイスは、各ＳＰＳデータ片の優先度に基づいて、ＳＰＳデータ片を送信又は受信する挙動を決定してよい。具体的に、最も高い優先度を有するＳＰＳデータについて、端末デバイスは、ＳＰＳデータを送信又は受信するために利用可能な時間周波数リソースを使用して、ＳＰＳデータを送信又は受信する。優先度が最も高くはないＳＰＳデータについて、端末デバイスは、ＳＰＳデータを送信又は受信しなくてもよく、あるいは、ＳＰＳデータを送信又は受信するために利用可能な時間周波数リソースのリソース位置に対して１つ以上の第２のオフセットを追加してもよい。ここで、ＳＰＳデータのより低い優先度は、より多くの追加の第２のオフセットを示す。次いで、端末デバイスは、オフセット時間周波数リソース上でＳＰＳデータを送信又は受信する。
【００３９】
任意で、本願の本実施形態の具体的な実装において、ＳＰＳ構成パラメータは、キャリア情報、ビーム情報、セル情報、セルグループ情報、又は論理チャネル情報をさらに含む。当該方法は、端末デバイスにより、キャリア情報、ビーム情報、セル情報、セルグループ情報、又は論理チャネル情報に基づいて、ＳＰＳデータを送信又は受信するために使用されるキャリア、ビーム、セル、又はセルグループ、又は論理チャネルを決定するステップをさらに含む。
【００４０】
この具体的な実装において、ＳＰＳ構成パラメータは、キャリア情報、ビーム情報、セル情報、セルグループ情報、又は論理チャネル情報を含む。したがって、端末デバイスは、キャリア情報、ビーム情報、セル情報、セルグループ情報、又は論理チャネル情報に基づいて、ＳＰＳデータを送信又は受信するために使用されるキャリア、ビーム、セル、セルグループ、又は論理チャネルを決定して、セミパーシステントスケジューリングが使用されるエリア範囲を決定してよい。
【００４１】
任意で、本願の本実施形態の具体的な実装において、ＳＰＳ構成パラメータはハイブリッド自動再送要求ＨＡＲＱ数をさらに含み、当該方法は、
端末デバイスにより、ＨＡＲＱ数とＳＰＳデータを送信するために利用可能な時間周波数リソースのリソース位置とに基づいて、ＨＡＲＱ  ＩＤを決定するステップをさらに含む。
【００４２】
この具体的な実装において、ＳＰＳ構成パラメータはＨＡＲＱ数をさらに含み、それにより、ＳＰＳデータの下りリンク伝送がネットワークデバイスと端末デバイスとの間で実行されるとき、端末デバイスは、ＨＡＲＱ数とＳＰＳデータを送信するために利用可能な時間周波数リソースのリソース位置とに基づいてＨＡＲＱ  ＩＤを決定してよい。
【００４３】
任意で、本願の本実施形態の具体的な実装において、ＳＰＳ構成パラメータはＳＰＳ無線ネットワーク一時識別子をさらに含む。
【００４４】
この具体的な実装において、ネットワークデバイスは、ＳＰＳ無線ネットワーク一時識別子に基づいて異なるサービス情報を区別してよい。
【００４５】
第３の態様によれば、本願の一実施形態がネットワークデバイスを提供し、当該ネットワークデバイスは、セミパーシステントスケジューリングＳＰＳ構成パラメータを決定することであり、ＳＰＳ構成パラメータはＳＰＳ周期長、シンボル情報、及びＳＰＳアクティブ化コマンドを含み、ＳＰＳアクティブ化コマンドは、ＳＰＳデータを送信又は受信するために利用可能な第１の時間周波数リソースのシステムフレーム番号及びサブフレーム番号を示すために使用され、シンボル情報は、サブフレーム内にあり且つ第１の時間周波数リソースにより占有されるシンボルの位置を示すために使用され；ＳＰＳ周期長、シンボル情報、及びＳＰＳアクティブ化コマンドに基づいて、ＳＰＳデータを送信又は受信するために利用可能な時間周波数リソースのリソース位置を決定するように構成された処理モジュールと、ＳＰＳ構成パラメータを端末デバイスに送信するように構成された送受信機モジュールと、を含む。
【００４６】
本願の本実施形態で提供されるネットワークデバイスによれば、まず、処理モジュールが、セミパーシステントスケジューリングＳＰＳ構成パラメータを決定し、ＳＰＳ構成パラメータは、ＳＰＳ周期長、シンボル情報、及びＳＰＳアクティブ化コマンドを含み、ＳＰＳアクティブ化コマンドは、第１の時間周波数リソースのシステムフレーム番号及びサブフレーム番号を示すために使用され、シンボル情報は、サブフレーム内にあり且つ第１の時間周波数リソースにより占有されるシンボルの位置を示すために使用される。次いで、処理モジュールは、ＳＰＳ周期長、シンボル情報、及びＳＰＳアクティブ化コマンドに基づいて、ＳＰＳデータを送信又は受信するために利用可能な時間周波数リソースのリソース位置を決定し、最後、送受信機モジュールが、ＳＰＳ構成パラメータを端末デバイスに送信する。本願の本実施形態において、端末デバイス及びネットワークデバイスは、シンボル情報の指示に基づいて、サブフレーム内にあり且つＳＰＳデータを送信又は受信するために利用可能な時間周波数リソースにより占有されるシンボルの位置を決定してよい。したがって、ＳＰＳデータを送信又は受信するために利用可能な時間周波数リソースはサブフレーム内の１つ以上のシンボルに制限され、それにより、ネットワークデバイス及び端末デバイスは同じサブフレーム内の残りのシンボルリソース上で他のデータを伝送でき、それにより、セミパーシステントスケジューリングの間のリソース利用を改善する。さらに、本願の本実施形態において、ＳＰＳデータがネットワークデバイスと端末デバイスとの間で伝送されるとき、使用される時間周波数リソースはシンボルレベルである。したがって、本願の本実施形態における技術的解決策では、ＳＰＳデータの伝送遅延は１ｍｓ未満であり、それにより、ＳＰＳデータの伝送遅延が低減できる。
【００４７】
任意で、本願の本実施形態の具体的な実装において、処理モジュールは具体的に、シンボル情報及びＳＰＳアクティブ化コマンドに基づいて、第１の時間周波数リソースのリソース位置を決定し、ＳＰＳ周期長と、第１の時間周波数リソースのリソース位置とに基づいて、ＳＰＳデータを送信又は受信するために利用可能な後の時間周波数リソースのリソース位置を決定するように構成される。
【００４８】
任意で、本願の本実施形態の具体的な実装において、シンボル情報は開始シンボル位置及びシンボル数を含み、あるいはショートサブフレーム数情報及びショートサブフレーム番号を含み、ショートサブフレーム数情報は、各サブフレーム内のショートサブフレーム数を示すために使用される。
【００４９】
任意で、本願の本実施形態の具体的な実装において、送受信機モジュールは、ＳＰＳデータを送信又は受信するために利用可能な時間周波数リソース上でＳＰＳデータを送信又は受信するようにさらに構成される。
【００５０】
任意で、本願の本実施形態の具体的な実装において、ＳＰＳ構成パラメータは第１のオフセットをさらに含み、処理モジュールは、ＳＰＳデータを送信又は受信するために利用可能な時間周波数リソースが部分的又は完全に占有されているとき、第１のオフセットに基づいてオフセット時間周波数リソースを算出するようにさらに構成され、送受信機モジュールは、オフセット時間周波数リソース上でＳＰＳデータを受信又は送信するようにさらに構成される。
【００５１】
任意で、本願の本実施形態の具体的な実装において、送受信機モジュールは、ＳＰＳデータを送信又は受信するために利用可能な時間周波数リソースが部分的に占有されているとき、ＳＰＳデータを送信又は受信するために利用可能な占有されていない時間周波数リソース上でＳＰＳデータを送信又は受信するようにさらに構成される。
【００５２】
任意で、本願の本実施形態の具体的な実装において、ＳＰＳ構成パラメータはＳＰＳ優先度情報をさらに含み、処理モジュールは、ＳＰＳデータを送信又は受信するために利用可能な時間周波数リソースが別のＳＰＳ時間周波数リソースに部分的又は完全に重なるとき、ＳＰＳ優先度情報に基づいて、ＳＰＳデータを送信又は受信する挙動を決定するようにさらに構成される。
【００５３】
任意で、本願の本実施形態の具体的な実装において、ＳＰＳ構成パラメータは、キャリア情報、ビーム情報、セル情報、セルグループ情報、又は論理チャネル情報をさらに含む。処理モジュールは、キャリア情報、ビーム情報、セル情報、セルグループ情報、又は論理チャネル情報に基づいて、ＳＰＳデータを送信又は受信するためのキャリア、ビーム、セル、セルグループ、又は論理チャネルを決定するようにさらに構成される。
【００５４】
任意で、本願の本実施形態の具体的な実装において、ＳＰＳ構成パラメータはハイブリッド自動再送要求ＨＡＲＱ数をさらに含む。処理モジュールは、ＨＡＲＱ数とＳＰＳデータを送信するために利用可能な時間周波数リソースのリソース位置とに基づいて、ＨＡＲＱ  ＩＤを決定するようにさらに構成される。
【００５５】
任意で、本願の本実施形態の具体的な実装において、ＳＰＳ構成パラメータはＳＰＳ無線ネットワーク一時識別子をさらに含む。
【００５６】
第４の態様によれば、本願の一実施形態は端末デバイスを提供し、当該端末デバイスは、ネットワークデバイスにより送信されたセミパーシステントスケジューリングＳＰＳ構成パラメータを受信することであり、ＳＰＳ構成パラメータはＳＰＳ周期長、シンボル情報、及びＳＰＳアクティブ化コマンドを含み、ＳＰＳアクティブ化コマンドは、ＳＰＳデータを送信又は受信するために利用可能な第１の時間周波数リソースのシステムフレーム番号及びサブフレーム番号を示すために使用され、シンボル情報は、サブフレーム内にあり且つ第１の時間周波数リソースにより占有されるシンボルの位置を示すために使用される、ように構成された送受信機モジュールと、ＳＰＳ周期長、シンボル情報、及びＳＰＳアクティブ化コマンドに基づいて、ＳＰＳデータを送信又は受信するために利用可能な時間周波数リソースのリソース位置を決定するように構成された処理モジュールと、を含む。
【００５７】
本願の本実施形態で提供される端末デバイスによれば、まず、送受信機モジュールが、ネットワークデバイスにより送信されたセミパーシステントスケジューリングＳＰＳ構成パラメータを受信し、ＳＰＳ構成パラメータは、ＳＰＳ周期長、シンボル情報、及びＳＰＳアクティブ化コマンドを含み、ＳＰＳアクティブ化コマンドは、第１の時間周波数リソースのシステムフレーム番号及びサブフレーム番号を示すために使用され、シンボル情報は、サブフレーム内にあり且つ第１の時間周波数リソースにより占有されるシンボルの位置を示すために使用され、次いで、処理モジュールが、ＳＰＳ周期長、シンボル情報、及びＳＰＳアクティブ化コマンドに基づいて、ＳＰＳデータを送信又は受信するために利用可能な時間周波数リソースのリソース位置を決定する。本願の本実施形態において、端末デバイス及びネットワークデバイスは、シンボル情報の指示に基づいて、サブフレーム内にあり且つＳＰＳデータを送信又は受信するために利用可能な時間周波数リソースにより占有されるシンボルの位置を決定してよい。したがって、ＳＰＳデータを送信又は受信するために利用可能な時間周波数リソースはサブフレーム内の１つ以上のシンボルに制限され、それにより、ネットワークデバイス及び端末デバイスは同じサブフレーム内の残りのシンボルリソース上で他のデータを伝送でき、それにより、セミパーシステントスケジューリングの間のリソース利用を改善する。さらに、本願の本実施形態において、ＳＰＳデータがネットワークデバイスと端末デバイスとの間で伝送されるとき、使用される時間周波数リソースはシンボルレベルである。したがって、本願の本実施形態における技術的解決策では、ＳＰＳデータの伝送遅延は１ｍｓ未満であり、それにより、ＳＰＳデータの伝送遅延が低減できる。
【００５８】
任意で、本願の本実施形態の具体的な実装において、処理モジュールは具体的に、シンボル情報及びＳＰＳアクティブ化コマンドに基づいて、第１の時間周波数リソースのリソース位置を決定し、ＳＰＳ周期長と、第１の時間周波数リソースのリソース位置とに基づいて、ＳＰＳデータを送信又は受信するために利用可能な後の時間周波数リソースのリソース位置を決定するように構成される。
【００５９】
任意で、本願の本実施形態の具体的な実装において、シンボル情報は開始シンボル位置及びシンボル数を含み、あるいはショートサブフレーム数情報及びショートサブフレーム番号を含み、ショートサブフレーム数情報は、各サブフレーム内のショートサブフレーム数を示すために使用される。
【００６０】
任意で、本願の本実施形態の具体的な実装において、送受信機モジュールは、ＳＰＳデータを送信又は受信するために利用可能な時間周波数リソース上でＳＰＳデータを送信又は受信するようにさらに構成される。
【００６１】
任意で、本願の本実施形態の具体的な実装において、ＳＰＳ構成パラメータは第１のオフセットをさらに含み、処理モジュールは、ＳＰＳデータを送信又は受信するために利用可能な時間周波数リソースが部分的又は完全に占有されているとき、第１のオフセットに基づいてオフセット時間周波数リソースを算出するようにさらに構成され、送受信機モジュールは、オフセット時間周波数リソース上でＳＰＳデータを受信又は送信するようにさらに構成される。
【００６２】
任意で、本願の本実施形態の具体的な実装において、送受信機モジュールは、ＳＰＳデータを送信又は受信するために利用可能な時間周波数リソースが部分的に占有されているとき、ＳＰＳデータを送信又は受信するために利用可能な占有されていない時間周波数リソース上でＳＰＳデータを送信又は受信するようにさらに構成される。
【００６３】
任意で、本願の本実施形態の具体的な実装において、ＳＰＳ構成パラメータはＳＰＳ優先度情報をさらに含み、処理モジュールは、ＳＰＳデータを送信又は受信するために利用可能な時間周波数リソースが別のＳＰＳ時間周波数リソースに部分的又は完全に重なるとき、ＳＰＳ優先度情報に基づいて、ＳＰＳデータを送信又は受信する挙動を決定するようにさらに構成される。
【００６４】
任意で、本願の本実施形態の具体的な実装において、ＳＰＳ構成パラメータは、キャリア情報、ビーム情報、セル情報、セルグループ情報、又は論理チャネル情報をさらに含む。処理モジュールは、キャリア情報、ビーム情報、セル情報、セルグループ情報、又は論理チャネル情報に基づいて、ＳＰＳデータを送信又は受信するためのキャリア、ビーム、セル、セルグループ、又は論理チャネルを決定するようにさらに構成される。
【００６５】
任意で、本願の本実施形態の具体的な実装において、ＳＰＳ構成パラメータはハイブリッド自動再送要求ＨＡＲＱ数をさらに含む。処理モジュールは、ＨＡＲＱ数とＳＰＳデータを送信するために利用可能な時間周波数リソースのリソース位置とに基づいて、ＨＡＲＱ  ＩＤを決定するようにさらに構成される。
【００６６】
任意で、本願の本実施形態の具体的な実装において、ＳＰＳ構成パラメータはＳＰＳ無線ネットワーク一時識別子をさらに含む。
【００６７】
本願の実施形態は、コンピュータ読取可能記憶媒体、コンピュータプログラムプロダクト、及び通信デバイスをさらに提供する。コンピュータ読取可能記憶媒体は命令を含み、命令がコンピュータ上で実行すると、コンピュータは、前述の態様又は実装のうちいずれか１つに従って方法を実行することが可能となる。コンピュータプログラムプロダクトがコンピュータ上で実行すると、コンピュータは、前述の態様又は実装のうちいずれか１つに記載の方法を実行することを可能にされる。通信デバイスは、メモリと、プロセッサと、メモリに記憶され、プロセッサ内で実行できるコンピュータプログラムとを含む。プロセッサは、プログラムを実行すると、前述の態様又は実装のうちいずれか１つに記載の方法を実現する。
【図面の簡単な説明】
【００６８】
本願の実施形態における技術的解決策をより明確に説明するために、以下で、実施形態を説明するために必要な添付の図面を簡潔に説明する。
【図１】本願の一実施形態による適用シナリオの概略図である。
【図２】本願の一実施形態によるセミパーシステントスケジューリング方法のフローチャートである。
【図３】本願の一実施形態による、ＳＰＳデータのための時間周波数リソースのリソース位置の概略図である。
【図４】本願の一実施形態による、ＳＰＳデータのための時間周波数リソースのオフセットリソース位置の概略図である。
【図５】本願の一実施形態による、ＳＰＳデータのための時間周波数リソースの別のオフセットリソース位置の概略図である。
【図６】本願の一実施形態による、ＳＰＳデータのための時間周波数リソースの別のリソース位置の概略図である。
【図７】本願の一実施形態によるネットワークデバイスの概略構成図である。
【図８】本願の一実施形態による端末デバイスの概略構成図である。
【図９】本願の一実施形態による別の端末デバイスの概略構成図である。
【図１０】本願の一実施形態による別のネットワークデバイスの概略構成図である。
【発明を実施するための形態】
【００６９】
本願の実施形態の適用シナリオは、添付の図面を参照して以下に説明される。図１は、本願の一実施形態による適用シナリオの概略図である。端末デバイス１１及びネットワークデバイス１２が適用シナリオに含まれ、本願の本実施形態における適用シナリオは、４Ｇ、４．５Ｇ、又は５Ｇ通信システムなどの通信システムに適用可能である。
【００７０】
本願の本実施形態の具体的な実装プロセスにおいて、端末デバイス１１は、音声及び／又はデータ接続性をユーザに提供するデバイス、無線接続機能を有するハンドヘルドデバイス、又は無線モデムに接続された別の処理デバイスであってもよい。端末デバイス１１は、無線アクセスネットワーク（radio  access  network、ＲＡＮ）を通じて１つ以上のコアネットワークと通信し得る。端末デバイス１１は、モバイルフォン（「セルラーフォン」とも呼ばれる）などの移動端末であってもよく、移動端末を備えたコンピュータは、例えば、無線アクセスネットワークと音声及び／又はデータを交換するポータブル、ポケットサイズ、ハンドヘルド、コンピュータ内蔵、又は車載の移動装置であってもよい。例えば、端末デバイス１１は、パーソナル通信サービス（personal  communication  service、ＰＣＳ）フォン、コードレス電話セット、セッション開始プロトコル（session  initiation  protocol、ＳＩＰ）フォン、無線ローカルループ（wireless  local  loop、ＷＬＬ）局、又はパーソナルデジタルアシスタント（personal  digital  assistant、ＰＤＡ）などのデバイスであってもよい。端末デバイス１１は、システム、加入者ユニット（subscriber  unit、ＳＵ）、加入者局（subscriber  station、ＳＳ）、移動局（mobile  station、ＭＳ）、遠隔局（remote  station、ＲＳ）、アクセスポイント（access  point、ＡＰ）、遠隔端末（remote  terminal、ＲＴ）、アクセス端末（access  terminal、ＡＴ）、ユーザ端末（user  terminal、ＵＴ）、ユーザエージェント（user  agent、ＵＡ）、ユーザデバイス、又はユーザ装置（user  equipment、ＵＥ）とも呼ばれ得る。ネットワークデバイス１２は、基地局、拡張基地局、スケジューリング機能を有する中継器、基地局機能を有するデバイスなどであってもよく、基地局は、ＬＴＥシステム内の進化型ノードＢ（evolved  NodeB、ｅＮＢ）であってもよく、あるいは別のシステム内の基地局であってもよい。これは、本願の本実施形態において限定されない。
【００７１】
図１に示す適用シナリオにおいて、本願の実施形態は、セミパーシステントスケジューリングが関連技術において使用されるときに低いリソース利用率及びＳＰＳデータの比較的大きい伝送遅延の問題を解決するための、セミパーシステントスケジューリング方法、ネットワークデバイス、及び端末デバイスを提供する。
【００７２】
本願の一実施形態において、ネットワークデバイス１２は、セミパーシステントスケジューリングＳＰＳ構成パラメータを決定する。ＳＰＳ構成パラメータは、ＳＰＳ周期長、シンボル情報、及びＳＰＳアクティブ化（activation）コマンドを含み、ＳＰＳアクティブ化コマンドは、ＳＰＳデータを送信又は受信するために利用可能な第１の時間周波数リソースのシステムフレーム番号及びサブフレーム番号を示すために使用される。シンボル情報は、サブフレーム内にあり且つ第１の時間周波数リソースにより占有されるシンボルの位置を示すために使用される。ＳＰＳ周期長は、ＳＰＳデータを送信又は受信するために利用可能な２つの近隣時間周波数リソースの間の時間間隔を示すために使用される。ＳＰＳ構成パラメータを決定した後、ネットワークデバイス１２は、ＳＰＳ構成パラメータ内のＳＰＳ周期長、シンボル情報、及びＳＰＳアクティブ化コマンドに基づいて、ＳＰＳデータを送信又は受信するために利用可能な時間周波数リソースのリソース位置を決定し得る。さらに、ネットワークデバイス１２は、決定されたＳＰＳ構成パラメータを端末デバイス１１に送信し、それにより、端末デバイス１１は、ＳＰＳ構成パラメータ内のＳＰＳ周期長、シンボル情報、及びＳＰＳアクティブ化コマンドに基づいて、ＳＰＳデータを送信又は受信するために利用可能な時間周波数リソースのリソース位置を決定する。これに基づき、ＳＰＳデータは、ＳＰＳデータを送信又は受信するために利用可能な時間周波数リソース上でネットワークデバイス１２と端末デバイス１１との間で伝送される（例えば、ネットワークデバイス１２が端末デバイス１１にＳＰＳデータを送信し、あるいは端末デバイス１１がネットワークデバイス１２にＳＰＳデータを送信する）。
【００７３】
本願の本実施形態において、端末デバイス１１及びネットワークデバイス１２は、シンボル情報の指示に基づいて、サブフレーム内にあり且つＳＰＳデータを送信又は受信するために利用可能な時間周波数リソースにより占有されるシンボルの位置を決定してよい。したがって、ＳＰＳデータを送信又は受信するために利用可能な時間周波数リソースはサブフレーム内の１つ以上のシンボルに制限され（具体的に言えば、ＳＰＳデータを送信又は受信するために利用可能な時間周波数リソースはシンボルレベルである）、それにより、ネットワークデバイス１２及び端末デバイス１１は、同じサブフレーム内の残りのシンボルリソース上で他のデータを伝送することができ、それにより、セミパーシステントスケジューリングの間のリソース利用を改善する。さらに、本願の本実施形態において、ＳＰＳデータがネットワークデバイス１２と端末デバイス１１との間で伝送されるとき、使用される時間周波数リソースはシンボルレベルである。したがって、本願の本実施形態における技術的解決策では、ＳＰＳデータの伝送遅延は１ｍｓ未満であり、それにより、ＳＰＳデータの伝送遅延が低減できる。ここで、本明細書におけるシンボルは直交周波数分割多重（orthogonal  frequency  division  multiplexing、ＯＦＤＭ）シンボルであることに留意されたい。
【００７４】
以下、図２に示す一実施形態を用いて、端末デバイス１１とネットワークデバイス１２との間の相互作用プロセスについて詳細に説明する。
【００７５】
図２は、本願の一実施形態によるセミパーシステントスケジューリング方法のフローチャートである。本実施形態は、以下のステップを含み得る。
【００７６】
ステップＳ２１０．ネットワークデバイス１２が、ＳＰＳ構成パラメータを決定する。
【００７７】
本願の本実施形態の具体的な実装プロセスにおいて、ネットワークデバイスは、ＳＰＳ構成パラメータを予め定義してもよい。ＳＰＳが実行される必要があるとき、予め定義されたＳＰＳ構成パラメータが呼び出される。あるいは、ネットワークデバイスは、ＳＰＳが実行される必要があるとき、ＳＰＳ構成パラメータを瞬時に設定してもよい。
【００７８】
ＳＰＳ構成パラメータは、ＳＰＳ周期長、シンボル情報、及びＳＰＳアクティブ化コマンドを含んでよい。ここで、ＳＰＳアクティブ化コマンドは、ＳＰＳデータを送信又は受信するために利用可能な第１の時間周波数リソースのシステムフレーム番号及びサブフレーム番号を示すために使用され、シンボル情報は、サブフレーム内にあり且つ第１の時間周波数リソースにより占有されるシンボルの位置を示すために使用され、ＳＰＳ周期長は、ＳＰＳデータを送信又は受信するために使用される２つの近隣時間周波数リソースの間の時間間隔を示すために使用される。
【００７９】
本願の本実施形態の具体的な実装プロセスにおいて、シンボル情報は、複数の表現形式を有してもよい。例えば、シンボル情報は、開始シンボル位置及びシンボル数を含んでもよい（例えば、開始シンボルが第３のシンボルであり、シンボル数が２である）。別の例として、シンボル情報は、開始スロット位置及びスロット数を含んでもよい（例えば、１つのサブフレームが６つのスロットを含み、開始スロットが第２のスロットであり、スロット数が２である）。さらに別の例として、シンボル情報は、代わりに、ショートサブフレーム（short-subframe）数情報及びショートサブフレーム番号を含んでもよく（例えば、１つのサブフレームが６つのショートサブフレームを含み、シンボル情報内のショートサブフレーム番号が３であり、あるいは、１つのサブフレームが１４個のショートサブフレームを含み、シンボル情報内のショートサブフレーム番号が３である）、ショートサブフレーム数情報は、各サブフレーム内のショートサブフレーム数を示すために使用される。ＳＰＳデータを送信又は受信するために使用される時間周波数リソースにより占有されるサブフレーム内のシンボル数は、１であるか又は１より大きいが、１４未満である。例えば、ＳＰＳデータを送信又は受信するために使用される時間周波数リソースにより占有されるサブフレーム内のシンボル数は、１、２、３、４、５、６、７などであってもよい。ＳＰＳ周期長は、サブフレームで表現されてもよく（例えば、ＳＰＳデータを送信又は受信するために使用される２つの近隣時間周波数リソースの間の時間間隔が、１つのサブフレーム、２つのサブフレームなどである）、あるいはスロットで表現されてもよく（例えば、ＳＰＳデータを送信又は受信するために使用される２つの近隣時間周波数リソースの間の時間間隔が、１スロット、２スロットなどである）、あるいはシンボルで表現されてもよい（例えば、ＳＰＳデータを送信又は受信するために使用される２つの近隣時間周波数リソースの間の時間間隔が、１シンボル、２シンボルなどである）。これは、本願の本実施形態において限定されない。
【００８０】
さらに、本願の本実施形態におけるシンボル情報の表現形式は、前述のいくつかのタイプに限定されない。例えば、シンボル情報は、開始ショートサブフレーム位置及びショートサブフレーム数を含んでもよい（例えば、１つのサブフレームが６つのショートサブフレームを含み、開始ショートサブフレームが第２のショートサブフレームであり、ショートサブフレーム数が２である）。別の例として、シンボル情報は、代わりに、スロット数情報及びスロット番号を含んでもよい（例えば、１つのサブフレームが６つのスロットを含み、シンボル情報内のスロット番号が３である）。
【００８１】
ステップＳ２２０．ネットワークデバイス１２が、ＳＰＳ構成パラメータ内のＳＰＳ周期長、シンボル情報、及びＳＰＳアクティブ化コマンドに基づいて、ＳＰＳデータを送信又は受信するために利用可能な時間周波数リソースのリソース位置を決定する。
【００８２】
本願の本実施形態の具体的な実装プロセスにおいて、ステップＳ２２０は、複数の表現形式を有してもよい。例えば、本願の本実施形態の具体的な実装において、ステップＳ２２０は、
ネットワークデバイス１２により、シンボル情報及びＳＰＳアクティブ化コマンドに基づいて、第１の時間周波数リソースのリソース位置を決定するステップと、
ネットワークデバイス１２により、ＳＰＳ周期長と、第１の時間周波数リソースのリソース位置とに基づいて、ＳＰＳデータを送信又は受信するために利用可能な後の時間周波数リソースのリソース位置を決定するステップと、
を含んでもよい。
【００８３】
この具体的な実装において、ネットワークデバイスは、ＳＰＳアクティブ化コマンドの指示に基づいて、第１の時間周波数リソースのシステムフレーム番号及びサブフレーム番号を決定してよい。次いで、ネットワークデバイスは、シンボル情報の指示に基づいて、サブフレーム番号に対応するサブフレームであり且つ第１の時間周波数リソースにより占有されるシンボルの位置（すなわち、第１の時間周波数リソースのリソース位置）を決定してよい。これに基づき、ネットワークデバイスは、ＳＰＳデータを送信又は受信するために利用可能な後の時間周波数リソースのリソース位置として、第１の時間周波数リソースのリソース位置への１つのＳＰＳ周期の各追加により決定されるリソース位置を使用する。
【００８４】
別の例として、本願の本実施形態の別の具体的な実装では、ステップＳ２２０において、ネットワークデバイス１２は、代わりに、予め定義された式を使用することにより、ＳＰＳデータを送信又は受信するために利用可能な時間周波数リソースのリソース位置を算出してもよい。
【００８５】
ステップＳ２３０．ネットワークデバイス１２が、ＳＰＳ構成パラメータを端末デバイス１１に送信する。
【００８６】
本実施形態の具体的な実装プロセスにおいて、ネットワークデバイス１２は、無線リソース制御（radio  resource  control、ＲＲＣ）メッセージを使用することによりＳＰＳ構成パラメータを端末デバイス１１に送信してもよく、媒体アクセス制御（media  access  control、ＭＡＣ）シグナリングを使用することによりＳＰＳ構成パラメータを端末デバイス１１に送信してもよく、あるいは物理層（physical  layer）制御チャネルを通じてＳＰＳ構成パラメータを端末デバイス１１に送信してもよい。
【００８７】
特に、本願の本実施形態の具体的な実装プロセスにおいて、ステップＳ２２０とステップＳ２３０との間に時系列の順序がないことにここで留意されたい。
【００８８】
ステップＳ２４０．端末デバイス１１が、ネットワークデバイス１２により送信されたＳＰＳ構成パラメータを受信する。
【００８９】
ステップＳ２５０．端末デバイス１１が、ＳＰＳ構成パラメータ内のＳＰＳ周期長、シンボル情報、及びＳＰＳアクティブ化コマンドに基づいて、ＳＰＳデータを送信又は受信するために利用可能な時間周波数リソースのリソース位置を決定する。
【００９０】
ステップＳ２２０に対応して、本願の本実施形態の具体的な実装プロセスにおいて、ステップＳ２５０は、複数の表現形式を有してもよい。例えば、本願の本実施形態の具体的な実装において、ステップＳ２５０は、
端末デバイス１１により、シンボル情報及びＳＰＳアクティブ化コマンドに基づいて、第１の時間周波数リソースのリソース位置を決定するステップと、
端末デバイス１１により、ＳＰＳ周期長と、第１の時間周波数リソースのリソース位置とに基づいて、ＳＰＳデータを送信又は受信するために利用可能な後の時間周波数リソースのリソース位置を決定するステップと、
を含んでもよい。
【００９１】
別の例として、本願の本実施形態の別の具体的な実装では、ステップＳ２５０において、端末デバイス１１は、予め定義された式を使用することにより、ＳＰＳデータを送信又は受信するために利用可能な時間周波数リソースのリソース位置を算出してもよい。
【００９２】
理解を容易にするために、ネットワークデバイス１２又は端末デバイス１１により、予め定義された式を使用することにより、ＳＰＳデータを送信又は受信するために利用可能な時間周波数リソースのリソース位置を算出する方式を、具体的な実施形態を用いて以下に説明する。
【００９３】
具体的な実施形態１
ネットワークデバイス１２がＳＰＳデータを端末デバイス１１に送信するとき、換言すれば、ネットワークデバイス１２と端末デバイス１１との間でＳＰＳデータの下りリンク伝送が実行されるとき、ネットワークデバイス１２は、式（１）を使用することにより、ＳＰＳデータを送信するために利用可能な時間周波数リソースのリソース位置を算出し、端末デバイス１１は、式（１）を使用することにより、ＳＰＳデータを受信するために利用可能な時間周波数リソースのリソース位置を算出する。式（１）は、以下のとおりである。
(10  *  SFN  *  slot_number  +  subframe  *  slot_number  +  slot_id)  =  [(10  *  slot_number  *  SFNstart  time  +  slot_number  *  subframestart  time  +  slot_idstart  time)  +  N  *  semiPersistSchedIntervalDL]  modulo  10240  *  slot_number  (1)
【００９４】
式（１）において、ＳＦＮの英語フルネームはsystem  frame  numberであり、システムフレーム番号（すなわち、無線フレームの番号）を表すために使用され、subframeはサブフレーム番号を表すために使用され、slot_idはサブフレーム内のショートサブフレームの番号を表すために使用される。slot_numberはシンボル情報内のショートサブフレーム数情報を表すために使用され、slot_idstart  timeはＳＰＳ開始時間におけるショートサブフレーム番号を表し、換言すれば、シンボル情報内のショートサブフレーム番号に関する情報を表すために使用される。ネットワークデバイス１２及び端末デバイス１１は、slot_number及びslot_idstart  timeを使用することにより、サブフレーム内にあり且つ第１の時間周波数リソースにより占有されるシンボルの位置を決定してよい。SFNstart  timeは、ＳＰＳ開始時間におけるシステムフレーム番号を表し、換言すれば、第１の時間周波数リソースのシステムフレーム番号を表すために使用される。subframestart  timeは、ＳＰＳ開始時間におけるサブフレーム番号を表し、換言すれば、第１の時間周波数リソースのサブフレーム番号を表すために使用される。semiPersistSchedIntervalDLは、下りリンクＳＰＳリソースがsemiPersistSchedIntervalDLの長さの間隔でＵＥに割り当てられることを示し、ＳＰＳ周期長を表すために使用される。slot_number及びslot_idstart  timeはシンボル情報内に配置され、SFNstart  time及びsubframestart  timeはＳＰＳアクティブ化コマンド内に配置される。Ｎは０の初期値を有し、各ＳＰＳ周期長の後に１ずつ増加される。システムフレームが１０ビットを使用することにより示されるため、modulo  10240が使用され、システムフレーム番号の値範囲は０から１０２３である。１つの反転が、１０２４個のシステムフレームの間隔で実行される必要がある。本明細書では、１０及び１０２４０はそれぞれ、１つのシステムフレーム内の１０個のサブフレームと、ＳＦＮの最大値が１０２３であることとを示し、１０２４０は、１０２４個のシステムフレームに含まれるサブフレーム数を示すことに留意されたい。各システムフレーム内のサブフレーム数が１０でないとき、式（１）中の数字が変更される。例えば、システムフレーム内のサブフレーム数が８であるとき、式（１）中の「modulo  10240」は「modulo  8*1024」に変更される。
【００９５】
この具体的な実施形態において、slot_numberは、各サブフレーム内のスロット数又はｓＴＴＩ数であってもよい。slot_numberの値は、２、６、７などであってもよい。例えば、１つのサブフレーム内の各スロット又は各ｓＴＴＩの長さが７シンボルであるとき、slot_numberの値は２である。別の例として、１つのサブフレーム内の複数のスロット又は複数のｓＴＴＩの長さが順次、２シンボル、２シンボル、３シンボル、２シンボル、２シンボル、及び３シンボルであるとき、slot_numberの値は６である。さらに別の例として、１つのサブフレーム内の各スロット又は各ｓＴＴＩの長さが２シンボルであるとき、slot_numberの値は７である。ここで、ｓＴＴＩの英語フルネームはshortened  transmission  time  intervalである。ｓＴＴＩは、データの送信時間間隔が１ｍｓ未満であることを示す。
【００９６】
この具体的な実施形態において、Ｎが初期値０であるとき、式（１）中の符号「=」の左側において、SFN  =  SFNstart  time、subframe  =  subframestart  time、及びslot_id  =  slot_idstart  timeである。
【００９７】
Ｎの値が１であるとき、ネットワークデバイス１２及び端末デバイス１１は、式（１）を満たすために、slot_id、subframe、及びSFNの値を順次調整し、ネットワークデバイス１２及び端末デバイス１１により、slot_id、subframe、及びSFNの値を順次調整するために使用される一方法が、以下のとおりである。slot_idがslot_idstart  timeから開始して１ずつ順次増加され、slot_id  =  slot_number-1のとき毎回、slot_idは再度０から開始して１ずつ順次増加される。slot_id  =  slot_number-1が最初に満たされたとき、subframeがsubframestart  timeから開始して１ずつ順次増加される。subframe  =  9のとき毎回、subframeは再度０から開始して１ずつ順次増加される。subframe  =  9が最初に満たされたとき、SFNがSFNstart  timeから開始して１ずつ順次増加される。SFN  =  1023のとき毎回、SFNは再度０から開始して１ずつ順次増加される。式（１）が満たされたとき、slot_id、subframe、及びSFNの値に対応する時間周波数リソースの位置は、ＳＰＳデータを送信又は受信するために利用可能な第２の時間周波数リソースのリソースの位置である。
【００９８】
Ｎの値が２であるとき、slot_idの値は、Ｎの値が１であるときに取得されるslot_id、subframe、及びSFNの値に基づいて、１ずつ順次増加される。slot_id  =  slot_number-1のとき毎回、slot_idは再度０から開始して１ずつ順次増加され、subframeの値は１ずつ順次増加される。subframe  =  9のとき毎回、SFNの値が１ずつ順次増加される。SFN  =  1023のとき毎回、SFNの値は再度０から開始して１ずつ順次増加される。式（１）が満たされたとき、slot_id、subframe、及びSFNの値に対応する時間周波数リソースの位置は、ＳＰＳデータを送信又は受信するために利用可能な第３の時間周波数リソースのリソースの位置である。残りは類推で推論可能である。ネットワークデバイス１２及び端末デバイス１１は、ＳＰＳデータを送信又は受信するために利用可能な全ての時間周波数リソースのリソース位置を決定することができる。
【００９９】
端末デバイス１１及びネットワークデバイス１２は、式（１）を満たすために、Ｎの値が１ずつ増加されるとき毎回、slot_idの値を調整するだけでよい場合があり、slot_id及びsubframeの値を調整するだけでよい場合があり、あるいはslot_id、subframe、及びSFNの全ての値を調整する必要があり得ることに留意されたい。これは具体的に、semiPersistSchedIntervalDLの長さに関連する。例えば、１つのサブフレーム内の各スロット又は各ｓＴＴＩの長さが２シンボルであるとき、SFNstart  timeが２であり、subframestart  timeが３であり、slot_idstart  timeが１であり、semiPersistSchedIntervalDLが１つのスロット又は１つのｓＴＴＩである場合、Ｎが１であるときslot_idが３に調整されるだけでよく、Ｎが２であるときslot_idが５に調整されるだけでよい、などである。
【０１００】
具体的な実施形態２
端末デバイス１１がＳＰＳデータをネットワークデバイス１２に送信するとき、換言すれば、ＳＰＳデータの上りリンク伝送がネットワークデバイス１２と端末デバイス１１との間で実行されるとき、ネットワークデバイス１２は、式（２）を使用することにより、ＳＰＳデータを受信するために利用可能な時間周波数リソースのリソース位置を算出し、端末デバイス１１は、式（２）を使用することにより、ＳＰＳデータを送信するために利用可能な時間周波数リソースのリソース位置を算出する。式（２）は、以下のとおりである。
(10  *  SFN  *  slot_number  +  subframe  *  slot_number  +  slot_id)  =  [(10  *  slot_number  *  SFNstart  time  +  slot_number  *  subframestart  time  +  slot_idstart  time)  +  N  *  semiPersistSchedIntervalUL  +  Subframe_Offset  *  (N  modulo  2)]  modulo  10240  *  slot_number  (2)
【０１０１】
式（２）において、ＳＦＮの英語フルネームはsystem  frame  numberであり、システムフレーム番号（すなわち、無線フレームの番号）を表すために使用され、subframeはサブフレーム番号を表すために使用され、slot_idはサブフレーム内のショートサブフレームの番号を表すために使用される。slot_numberはシンボル情報内のショートサブフレーム数情報を表すために使用され、slot_idstart  timeはＳＰＳ開始時間におけるショートサブフレーム番号を表し、換言すれば、シンボル情報内のショートサブフレーム番号に関する情報を表すために使用される。ネットワークデバイス１２及び端末デバイス１１は、slot_number及びslot_idstart  timeを使用することにより、サブフレーム内にあり且つＳＰＳデータを受信又は送信するために利用可能な第１の時間周波数リソースにより占有されるシンボルの位置を決定してよい。SFNstart  timeは、ＳＰＳ開始時間におけるシステムフレーム番号を表し、換言すれば、第１の時間周波数リソースのシステムフレーム番号を表すために使用される。subframestart  timeは、ＳＰＳ開始時間におけるサブフレーム番号を表し、換言すれば、第１の時間周波数リソースのサブフレーム番号を表すために使用される。semiPersistSchedIntervalULは、上りリンクＳＰＳリソースがsemiPersistSchedIntervalULの長さの間隔でＵＥに割り当てられることを示し、ＳＰＳ周期長を表すために使用される。Subframe_Offset  *  (N  modulo  2)は、上りリンクＳＰＳオフセットを表す。Subframe_Offsetは時分割複信（Time  Division  Duplex、ＴＤＤ）シナリオに適用され、周波数分割複信（Frequency  Division  Duplex、ＦＤＤ）シナリオでは０に設定され、サブフレームが切り替えられる必要があるかどうかを示すために使用される。slot_number及びslot_idstart  timeはシンボル情報内に配置され、SFNstart  time及びsubframestart  timeはＳＰＳアクティブ化コマンド内に配置される。Ｎは０の初期値を有し、各ＳＰＳ周期長の後に１ずつ増加される。システムフレームが１０ビットを使用することにより示されるため、modulo  10240が使用され、システムフレーム番号の値範囲は０から１０２３である。１つの反転が、１０２４個のシステムフレームの間隔で実行される必要がある。本明細書では、１０及び１０２４０はそれぞれ、１つのシステムフレーム内の１０個のサブフレームと、ＳＦＮの最大値が１０２３であることとを示し、１０２４０は、１０２４個のシステムフレームに含まれるサブフレーム数を示すことに留意されたい。各システムフレーム内のサブフレーム数が１０でないとき、式（２）中の数字が変更される。例えば、システムフレーム内のサブフレーム数が８であるとき、式（２）中の「modulo  10240」は「modulo  8*1024」に変更される。
【０１０２】
この具体的な実施形態において、slot_numberは、各サブフレーム内のスロット数又はｓＴＴＩ数であってもよい。slot_numberの値は、２、６、７などであってもよい。例えば、１つのサブフレーム内の各スロット又は各ｓＴＴＩの長さが７シンボルであるとき、slot_numberの値は２である。別の例として、１つのサブフレーム内の複数のスロット又は複数のｓＴＴＩの長さが順次、２シンボル、２シンボル、３シンボル、２シンボル、２シンボル、及び３シンボルであるとき、slot_numberの値は６である。さらに別の例として、１つのサブフレーム内の各スロット又は各ｓＴＴＩの長さが２シンボルであるとき、slot_numberの値は７である。ここで、ｓＴＴＩの英語フルネームはshortened  transmission  time  intervalである。ｓＴＴＩは、データの送信時間間隔が１ｍｓ未満であることを示す。
【０１０３】
この具体的な実施形態において、Ｎが初期値０であるとき、式（２）中の符号「=」の左側において、SFN  =  SFNstart  time、subframe  =  subframestart  time、及びslot_id  =  slot_idstart  timeである。
【０１０４】
Ｎの値が１であるとき、ネットワークデバイス１２及び端末デバイス１１は、式（２）を満たすために、slot_id、subframe、及びSFNの値を順次調整し、ネットワークデバイス１２及び端末デバイス１１により、slot_id、subframe、及びSFNの値を順次調整するために使用される一方法が、以下のとおりである。slot_idが、slot_idstart  timeから開始して１ずつ順次増加され、slot_id  =  slot_number-1のとき毎回、slot_idは再度０から開始して１ずつ順次増加される。slot_id  =  slot_number-1が最初に満たされたとき、subframeがsubframestart  timeから開始して１ずつ順次増加される。subframe  =  9のとき毎回、subframeは再度０から開始して１ずつ順次増加される。subframe  =  9が最初に満たされたとき、SFNがSFNstart  timeから開始して１ずつ順次増加される。SFN  =  1023のとき毎回、SFNは再度０から開始して１ずつ順次増加される。式（２）が満たされたとき、slot_id、subframe、及びSFNの値に対応する時間周波数リソースの位置は、ＳＰＳデータを送信又は受信するために利用可能な第２の時間周波数リソースのリソースの位置である。
【０１０５】
Ｎの値が２であるとき、slot_idの値は、Ｎの値が１であるときに取得されるslot_id、subframe、及びSFNの値に基づいて、１ずつ順次増加される。slot_id  =  slot_number-1のとき毎回、slot_idは再度０から開始して１ずつ順次増加され、subframeの値は１ずつ順次増加される。subframe  =  9のとき毎回、SFNの値が１ずつ順次増加される。SFN  =  1023のとき毎回、SFNの値は再度０から開始して１ずつ順次増加される。式（２）が満たされたとき、slot_id、subframe、及びSFNの値に対応する時間周波数リソースの位置は、ＳＰＳデータを送信又は受信するために利用可能な第３の時間周波数リソースのリソースの位置である。残りは類推で推論可能である。ネットワークデバイス１２及び端末デバイス１１は、ＳＰＳデータを送信又は受信するために利用可能な全ての時間周波数リソースのリソース位置を決定することができる。
【０１０６】
端末デバイス１１及びネットワークデバイス１２は、式（２）を満たすために、Ｎの値が１ずつ増加されるとき毎回、slot_idの値を調整するだけでよい場合があり、slot_id及びsubframeの値を調整するだけでよい場合があり、あるいはslot_id、subframe、及びSFNの全ての値を調整する必要があり得ることに留意されたい。これは具体的に、semiPersistSchedIntervalULの長さに関連する。例えば、１つのサブフレーム内の各スロット又は各ｓＴＴＩの長さが２シンボルであるとき、SFNstart  timeが２であり、subframestart  timeが３であり、slot_idstart  timeが１であり、semiPersistSchedIntervalULが１つのスロット又は１つのｓＴＴＩである場合、Ｎが１であるときslot_idが３に調整されるだけでよく、Ｎが２であるときslot_idが５に調整されるだけでよい、などである。
【０１０７】
ネットワークデバイス１２がステップＳ２２０を完了し、端末デバイスがステップＳ２５０を完了した後、ネットワークデバイス１２及び端末デバイス１１は、ＳＰＳデータを送信又は受信するために利用可能な時間周波数リソース上でＳＰＳデータを送信又は受信してよい。
【０１０８】
本願の本実施形態で提供されるセミパーシステントスケジューリング方法によれば、まず、ネットワークデバイスがセミパーシステントスケジューリングＳＰＳ構成パラメータを決定し、ＳＰＳ構成パラメータは、ＳＰＳ周期長、シンボル情報、及びＳＰＳアクティブ化コマンドを含み、ＳＰＳアクティブ化コマンドは、第１の時間周波数リソースのシステムフレーム番号及びサブフレーム番号を示すために使用され、シンボル情報は、サブフレーム内にあり且つ第１の時間周波数リソースにより占有されるシンボルの位置を示すために使用され、次いで、ネットワークデバイスはＳＰＳ構成パラメータを端末デバイスに送信し、ネットワークデバイス及び端末デバイスは、ＳＰＳ周期長、シンボル情報、及びＳＰＳアクティブ化コマンドに基づいて、ＳＰＳデータを送信又は受信するために利用可能な時間周波数リソースのリソース位置を決定する。本願の本実施形態において、端末デバイス及びネットワークデバイスは、シンボル情報の指示に基づいて、サブフレーム内にあり且つＳＰＳデータを送信又は受信するために利用可能な時間周波数リソースにより占有されるシンボルの位置を決定してよい。したがって、ＳＰＳデータを送信又は受信するために利用可能な時間周波数リソースはサブフレーム内の１つ以上のシンボルに制限され、それにより、ネットワークデバイス及び端末デバイスは同じサブフレーム内の残りのシンボルリソース上で他のデータを伝送でき、それにより、セミパーシステントスケジューリングの間のリソース利用を改善する。さらに、本願の本実施形態において、ＳＰＳデータがネットワークデバイスと端末デバイスとの間で伝送されるとき、使用される時間周波数リソースはシンボルレベルである。したがって、本願の本実施形態における技術的解決策では、ＳＰＳデータの伝送遅延は１ｍｓ未満であり、それにより、ＳＰＳデータの伝送遅延が低減できる。
【０１０９】
任意で、図２に示す実施形態の具体的な実装において、ＳＰＳ構成パラメータは第１のオフセットをさらに含んでもよく、図２に示すセミパーシステントスケジューリング方法は、
ＳＰＳデータを送信又は受信するために利用可能な時間周波数リソースが部分的又は完全に占有されている場合、ネットワークデバイス１２により、第１のオフセットに基づいてオフセット時間周波数リソースを算出し、さらに、端末デバイス１１により、第１のオフセットに基づいてオフセット時間周波数リソースを算出し、ネットワークデバイス１２及び端末デバイスにより、オフセット時間周波数リソース上でＳＰＳデータを送信又は受信するステップ
をさらに含んでもよい。
【０１１０】
本願の本実施形態の具体的な実装プロセスにおいて、ＳＰＳデータを送信又は受信するために利用可能な時間周波数リソースが部分的又は完全に占有されていることに関し、複数の場合が存在する。例えば、ＰＤＣＣＨが、ＳＰＳデータを送信又は受信するために利用可能な時間周波数リソース上に構成される。別の例として、ＳＰＳデータを送信又は受信するために利用可能な時間周波数リソース上で、ネットワークデバイス１２と端末デバイス１１との間で他のデータが伝送されている。さらに別の例として、ネットワークデバイス１２と端末デバイス１１との間に複数のＳＰＳが存在し、ＳＰＳデータを送信又は受信するために利用可能であり且つ本願の本実施形態におけるＳＰＳの間に決定される時間周波数リソースが、１つ以上の他のＳＰＳの間に決定される時間周波数リソースと部分的又は完全に重なる。この場合、ネットワークデバイス１２が、ＳＰＳデータを送信又は受信するために利用可能な時間周波数リソース上でＳＰＳデータを送信又は受信するとき、相互干渉が存在する。したがって、ネットワークデバイス１２及び端末デバイス１１は、ＳＰＳデータを送信又は受信するために利用可能な時間周波数リソースのリソース位置に対して第１のオフセットを追加してオフセット時間周波数リソースを算出し、次いで、ネットワークデバイス１２及び端末デバイス１１は、オフセット時間周波数リソース上でＳＰＳデータを送信又は受信し、それにより、ネットワークデバイス１２と端末デバイス１１との間のＳＰＳデータの正常な伝送を保証する。
【０１１１】
本願の本実施形態において、第１のオフセットの値は限定されない。例えば、第１のオフセットは、１シンボル、２シンボルなどであってもよく、あるいは１スロット、２スロットなどであってもよく、あるいは１つのＳＰＳ周期、２つのＳＰＳ周期などであってもよい。この具体的な実装は、具体的な実施形態を用いて以下に記載される。
【０１１２】
さらに、本願の本実施形態の具体的な実装プロセスにおいて、第１のオフセットは、代わりに、プロトコルを使用することにより、ネットワークデバイス１２及び端末デバイス１１上に予め構成されてもよい。次いで、ネットワークデバイス１２及び端末デバイス１１の双方が、予め構成された第１のオフセットを使用することによりオフセット時間周波数リソースを算出し、オフセット時間周波数リソース上でＳＰＳデータを受信又は送信してよい。
【０１１３】
図３に示すように、１つのサブフレーム内の各スロットの長さは２シンボルであり、ＳＰＳ周期長は１スロットである。図２に示す実施形態で決定される、ＳＰＳデータを送信又は受信するために利用可能な時間周波数リソースのリソース位置は、図３の影部部分に示されている。
【０１１４】
図３の第１の影部に対応する時間周波数リソースが部分的又は完全に占有されている一例を説明のため使用する。第１のオフセットが１スロットであるとき、オフセット時間周波数リソースが図４に示される。第１のオフセットが２つのＳＰＳ周期長であるとき、オフセット時間周波数リソースが図５に示される。具体的に言えば、ＳＰＳデータを送信又は受信するために利用可能な現在の時間周波数リソースのリソース位置がスキップされ、ＳＰＳデータを送信又は受信するために利用可能な次の時間周波数リソースのリソース位置でＳＰＳデータが送信又は受信される。
【０１１５】
さらに、図２に示す実施形態の具体的な実装において、図２に示すセミパーシステントスケジューリング方法は、
ＳＰＳデータを送信又は受信するために利用可能な時間周波数リソースが部分的に占有されているとき、ネットワークデバイス１２及び端末デバイス１１により、ＳＰＳデータを送信又は受信するために利用可能な占有されていない時間周波数リソース上でＳＰＳデータを送信又は受信するステップ
をさらに含んでもよい。
【０１１６】
図３の第１の影部に対応する時間周波数リソース内の前のシンボルが占有されている一例を説明のため使用する。この場合、図６に示すように、ネットワークデバイス１２及び端末デバイス１１は、第１の影部に対応する時間周波数リソース内の後のシンボル上でＳＰＳデータを送信又は受信してよい。この場合、ネットワークデバイス及び端末デバイス１１は、独自の変調及び符号化方式（modulation  and  coding  scheme、ＭＣＳ）に従ってＳＰＳデータを送信又は受信する。しかし、ＳＰＳデータに対応するトランスポートブロックサイズ（transport  block  size、ＴＢＳ）は半分に低減される。
【０１１７】
この具体的な実装において、ＳＰＳデータを送信又は受信するために利用可能な時間周波数リソースが部分的に占有されているとき、ネットワークデバイス１２及び端末デバイス１１は、ＳＰＳデータを送信又は受信するために利用可能な占有されていない時間周波数リソース上で時間周波数リソースを送信又は受信してよく、それにより、ＳＰＳデータを送信又は受信するために利用可能な時間周波数リソースの占有されていない部分が使用され、それによりリソース利用を改善する。
【０１１８】
任意で、図２に示す実施形態の具体的な実装において、ＳＰＳ構成パラメータはＳＰＳ優先度情報をさらに含んでもよく、図２に示すセミパーシステントスケジューリング方法は、
ＳＰＳデータを送信又は受信するために利用可能な時間周波数リソースが、別のＳＰＳ時間周波数リソースと部分的又は完全に重なるとき、ネットワークデバイス１２及び端末デバイス１１により、ＳＰＳ優先度情報に基づいて、ＳＰＳデータを送信又は受信する挙動を決定するステップ
をさらに含んでもよい。
【０１１９】
この具体的な実装において、ＳＰＳ優先度情報はＳＰＳデータの優先度を示すために使用される。この場合、ネットワークデバイス１２と端末デバイス１１との間に複数のＳＰＳが存在するとき、ＳＰＳデータを送信又は受信するために利用可能であり且つ複数のＳＰＳの間に決定される時間周波数リソースが部分的又は完全に重なる場合に、ネットワークデバイス１２及び端末デバイス１１は、ＳＰＳ構成パラメータ内のＳＰＳ優先度情報に基づいてＳＰＳデータの優先度を決定してよい。次いで、ネットワークデバイス１２及び端末デバイス１１は、各ＳＰＳデータ片の優先度に基づいて、ＳＰＳデータ片を送信又は受信する挙動を決定してよい。具体的に、最も高い優先度を有するＳＰＳデータについて、ネットワークデバイス１２及び端末デバイス１１は、ＳＰＳデータを送信又は受信するために利用可能な時間周波数リソースを使用して、ＳＰＳデータを送信又は受信する。優先度が最も高くはないＳＰＳデータについて、ネットワークデバイスは、ＳＰＳデータを送信又は受信しなくてもよく、あるいは、ＳＰＳデータを送信又は受信するために利用可能な時間周波数リソースのリソース位置に対して１つ以上の第２のオフセットを追加してもよい。ここで、ＳＰＳデータのより低い優先度は、より多くの追加の第２のオフセットを示す。次いで、ネットワークデバイス１２及び端末デバイスは、オフセット時間周波数リソース上でＳＰＳデータを送信又は受信する。第２のオフセットの値は、本願の本実施形態において限定されない。例えば、第２のオフセットは、１シンボル、２シンボルなどであってもよく、あるいは１スロット、２スロットなどであってもよく、あるいは１つのＳＰＳ周期、２つのＳＰＳ周期などであってもよい。本明細書における第２のオフセットは、第１のオフセットと同じであっても又は異なってもよい。
【０１２０】
この具体的な実装の実装プロセスにおいて、ＳＰＳ優先度情報は通信物理特性（ヌメロロジ（Numerology））であってもよい。このヌメロロジは、通信システムにおいて使用される異なるパラメータのセットに対応する。異なるヌメロロジは異なるパラメータに対応し得る。ヌメロロジは、これらに限られないが以下のパラメータ：サブキャリア幅、サイクリックプレフィックス（cyclic  prefix、ＣＰ）長、送信時間間隔（transmission  time  interval、略称ＴＴＩ）、シンボル（symbol）数、リソースブロック（resource  block、ＲＢ）位置、スロット長、及びフレームフォーマット、のうち１つ又は任意の組み合わせを含む。一例において、読者は、ヌメロロジの意味を理解するためにwww.3gpp.orgから提案R1-1613779又はR2-168012を入手してもよい。これらの提案の内容は本願の内容に含まれる。３ＧＰＰ標準化機関の公平性及びオープン性のため、詳細は本明細書で説明しない。
【０１２１】
任意で、図２に示す実施形態の具体的な実装において、ＳＰＳ構成パラメータは、キャリア情報、ビーム情報、セル情報、セルグループ情報、又は論理チャネル情報をさらに含んでもよく、図２に示すセミパーシステントスケジューリング方法は、
ネットワークデバイス１２及び端末デバイス１１により、キャリア情報、ビーム情報、セル情報、セルグループ情報、又は論理チャネル情報に基づいて、ＳＰＳデータを送信又は受信するためのキャリア、ビーム、セル、セルグループ、又は論理チャネルを決定するステップ
をさらに含んでもよい。
【０１２２】
本明細書におけるキャリア情報はキャリアＩＤであってもよく、ビーム情報はビームＩＤであってもよく、セル情報はセルＩＤであってもよく、セルグループ情報はセルグループＩＤであってもよく、ここで、本明細書におけるＩＤの英語のフルネームはidentityであり、中国語の識別子、アイデンティティ、又は識別に翻訳される。
【０１２３】
この具体的な実装において、ＳＰＳ構成パラメータは、キャリア情報、ビーム情報、セル情報、セルグループ情報、又は論理チャネル情報を含む。したがって、ネットワークデバイス１２及び端末デバイス１１は、キャリア情報、ビーム情報、セル情報、セルグループ情報、又は論理チャネル情報に基づいて、ＳＰＳデータを送信又は受信するためのキャリア、ビーム、セル、セルグループ、又は論理チャネルを決定して、セミパーシステントスケジューリングが使用されるエリア範囲を決定してよい。
【０１２４】
さらに、ＳＰＳ構成パラメータが、ＳＰＳ周期長、シンボル情報、及びＳＰＳアクティブ化コマンドに加えて、キャリア情報、ビーム情報、セル情報、セルグループ情報、又は論理チャネル情報をさらに含むとき、ネットワークデバイス１２及び端末デバイス１１は、キャリア情報、ビーム情報、セル情報、セルグループ情報、論理チャネル情報などをさらに使用して、ＳＰＳデータを送信又は受信するために利用可能な時間周波数リソースのリソース位置を決定してよい。
【０１２５】
任意で、図２に示す実施形態の具体的な実装において、ＳＰＳ構成パラメータはハイブリッド自動再送要求（hybrid  automatic  repeat  requests）ＨＡＲＱ数をさらに含んでもよく、図２に示すセミパーシステントスケジューリング方法は、
ネットワークデバイスにより、ＨＡＲＱ数とＳＰＳデータを送信するために利用可能な時間周波数リソースのリソース位置とに基づいて、ＨＡＲＱ  ＩＤを決定するステップ
をさらに含んでもよい。
【０１２６】
この具体的な実装において、ＳＰＳ構成パラメータはＨＡＲＱ数をさらに含み、それにより、ＳＰＳデータの下りリンク伝送がネットワークデバイスと端末デバイスとの間で実行されるとき、ネットワークデバイスは、ＨＡＲＱ数とＳＰＳデータを送信するために利用可能な時間周波数リソースのリソース位置とに基づいてＨＡＲＱ  ＩＤを決定してよい。
【０１２７】
以下、具体的な実施形態を用いてＨＡＲＱ  ＩＤを算出する方式について説明する。
【０１２８】
端末デバイス１１が、ＳＰＳデータを送信又は受信するために利用可能な時間周波数リソースのリソース位置でＳＰＳデータを受信した後、図２に示す実施形態でＨＡＲＱ  ＩＤが算出され始める。ＨＡＲＱ  ＩＤの算出については、式（３）及び（４）を参照する。
HARQ  ID  =  [floor(CURRENT_Slot  *  slot_id/semiPersistSchedIntervalDL)]  modulo  numberOfConfSPS-Processes  (3)
CURRENT_Slot  =  [(SFN  *  10)  *  slot_number  +  subframe  *  slot_number  +  slot_id]  (4)
本明細書におけるSFN、slot_number、subframe  number、slot_id、及びsemiPersistSchedIntervalDLの定義は具体的な実施形態１におけるものと同じであり、詳細はここで再度説明しない。numberOfConfSPS-ProcessesはＨＡＲＱ数を表す。
【０１２９】
さらに、ＳＰＳ構成パラメータが、ＳＰＳ周期長、シンボル情報、及びＳＰＳアクティブ化コマンドに加えて、ＨＡＲＱ数をさらに含むとき、ネットワークデバイス１２及び端末デバイス１１は、ＨＡＲＱ数などをさらに使用して、ＳＰＳデータを送信又は受信するために利用可能な時間周波数リソースのリソース位置を決定してよい。
【０１３０】
任意で、本願の本実施形態の具体的な実装において、ＳＰＳ構成パラメータはＳＰＳ無線ネットワーク一時識別子（SPS  radio  network  temporary  identifier、ＳＰＳ‐ＲＮＴＩ）をさらに含む。
【０１３１】
この具体的な実装において、ネットワークデバイス１２は、ＳＰＳ無線ネットワーク一時識別子に基づいて異なるサービス情報を区別してよい。例えば、本願の本実施形態におけるＳＰＳ‐ＲＮＴＩはＳＰＳサービスに特有であり、他のＲＮＴＩはマルチメディアブロードキャストマルチキャストサービス（multimedia  broadcast  multicast  service、ＭＢＭＳ）などの他のサービスに特有である。
【０１３２】
任意で、ネットワークデバイス１２と端末デバイス１１との間に複数のＳＰＳが存在するとき、各ＳＰＳ構成パラメータが、セル情報、キャリア情報、周波数ドメイン位置情報などをさらに含んでもよい。
【０１３３】
本明細書におけるセル情報はセル情報である。例えば、セル情報はセルＩＤ情報を含んでもよい。本明細書におけるキャリア情報は、キャリアＩＤ情報、キャリア周波数情報などを含んでもよい。本明細書における周波数ドメイン位置情報は、物理リソースブロック（physical  resource  block、ＰＲＢ）の特定の位置を示すために使用される。
【０１３４】
任意で、ネットワークデバイス１２と端末デバイス１１との間に複数のＳＰＳが存在するとき、各ＳＰＳで使用され且つＳＰＳデータを送信又は受信するために利用可能な時間周波数リソースのリソース位置が、別個に算出される。
【０１３５】
任意で、ネットワークデバイス１２と端末デバイス１１との間に複数のＳＰＳが存在し、各ＳＰＳ構成パラメータがＳＰＳ優先度情報をさらに含むとき、ＳＰＳデータを送信又は受信するために利用可能であり且つ複数のＳＰＳについてリソース位置が別個に算出された時間周波数リソースが部分的又は完全に重なる場合、最も高い優先度を有するＳＰＳデータについて、ネットワークデバイス１２及び端末デバイス１１は、ＳＰＳデータを送信又は受信するために利用可能な時間周波数リソースを使用してＳＰＳデータを送信又は受信する。より低い優先度を有するＳＰＳデータについては、ネットワークデバイス１２及び端末デバイス１１は、ＳＰＳデータを送信又は受信するために利用可能な時間周波数リソースのリソース位置に対して１つ以上の第２のオフセットを追加してよく、より低いＳＰＳ優先度は、より大きい回数の第２のオフセットの追加を示す。次いで、ネットワークデバイス１２及び端末デバイス１１は、オフセット時間周波数リソース上でＳＰＳデータを送信又は受信する。
【０１３６】
任意で、ネットワークデバイス１２と端末デバイス１１との間に複数のＳＰＳが存在するとき、各ＳＰＳのＨＡＲＱ  ＩＤの算出の間、ＨＡＲＱ  ＩＤは、別個に算出されてもよく、あるいはオフセットを使用することにより算出されてもよい。例えば、第１のＳＰＳについて算出されたＨＡＲＱ  ＩＤがｍであり、第２のＳＰＳについて算出されたＨＡＲＱ  ＩＤがｍ＋ｎである。ｎは、第１のＳＰＳに対応するキャリア、セル、又はＨＡＲＱエンティティ内のＨＡＲＱ数であってもよく、あるいは固定値であってもよい。
【０１３７】
任意で、ネットワークデバイス１２と端末デバイス１１との間に複数のＳＰＳが存在するとき、異なるＳＰＳは、同じＳＰＳ‐ＲＮＴＩを使用することによりアクティブ化又は非アクティブ化されてもよく、あるいは各ＳＰＳについて別個のＳＰＳ‐ＲＮＴＩが使用されてもよい。
【０１３８】
本明細書において、ネットワークデバイス１２と端末デバイス１１との間でセミパーシステントスケジューリングが実行されるとき、ネットワークデバイスがＳＰＳデータを送信したときは端末デバイスがＳＰＳデータを受信し、端末デバイスがＳＰＳデータを送信したときはネットワークデバイスがＳＰＳデータを受信することに留意されたい。
【０１３９】
前述の方法の実施形態に対応して、本願の実施形態は、端末デバイス及びネットワークデバイスなどの装置の対応する実施形態をさらに提供する。
【０１４０】
図７は、本願の一実施形態によるネットワークデバイスの概略構成図である。ネットワークデバイスは、処理モジュール７１０及び送受信機（transceiver）モジュール７２０を含んでもよい。
【０１４１】
処理モジュール７１０は、セミパーシステントスケジューリングＳＰＳ構成パラメータを決定することであり、ＳＰＳ構成パラメータはＳＰＳ周期長、シンボル情報、及びＳＰＳアクティブ化コマンドを含み、ＳＰＳアクティブ化コマンドは、ＳＰＳデータを送信又は受信するために利用可能な第１の時間周波数リソースのシステムフレーム番号及びサブフレーム番号を示すために使用され、シンボル情報は、サブフレーム内にあり且つ第１の時間周波数リソースにより占有されるシンボルの位置を示すために使用され；ＳＰＳ周期長、シンボル情報、及びＳＰＳアクティブ化コマンドに基づいて、ＳＰＳデータを送信又は受信するために利用可能な時間周波数リソースのリソース位置を決定するように構成される。
【０１４２】
送受信機モジュール７２０は、ＳＰＳ構成パラメータを端末デバイスに送信するように構成される。
【０１４３】
本願の本実施形態で提供されるネットワークデバイスによれば、まず、処理モジュールが、セミパーシステントスケジューリングＳＰＳ構成パラメータを決定し、ＳＰＳ構成パラメータは、ＳＰＳ周期長、シンボル情報、及びＳＰＳアクティブ化コマンドを含み、ＳＰＳアクティブ化コマンドは、第１の時間周波数リソースのシステムフレーム番号及びサブフレーム番号を示すために使用され、シンボル情報は、サブフレーム内にあり且つ第１の時間周波数リソースにより占有されるシンボルの位置を示すために使用される。次いで、処理モジュールは、ＳＰＳ周期長、シンボル情報、及びＳＰＳアクティブ化コマンドに基づいて、ＳＰＳデータを送信又は受信するために利用可能な時間周波数リソースのリソース位置を決定し、最後、送受信機モジュールが、ＳＰＳ構成パラメータを端末デバイスに送信する。本願の本実施形態において、端末デバイス及びネットワークデバイスは、シンボル情報の指示に基づいて、サブフレーム内にあり且つＳＰＳデータを送信又は受信するために利用可能な時間周波数リソースにより占有されるシンボルの位置を決定してよい。したがって、ＳＰＳデータを送信又は受信するために利用可能な時間周波数リソースはサブフレーム内の１つ以上のシンボルに制限され、それにより、ネットワークデバイス及び端末デバイスは同じサブフレーム内の残りのシンボルリソース上で他のデータを伝送でき、それにより、セミパーシステントスケジューリングの間のリソース利用を改善する。さらに、本願の本実施形態において、ＳＰＳデータがネットワークデバイスと端末デバイスとの間で伝送されるとき、使用される時間周波数リソースはシンボルレベルである。したがって、本願の本実施形態における技術的解決策では、ＳＰＳデータの伝送遅延は１ｍｓ未満であり、それにより、ＳＰＳデータの伝送遅延が低減できる。
【０１４４】
任意で、本願の本実施形態の具体的な実装において、処理モジュール７１０は具体的に、シンボル情報及びＳＰＳアクティブ化コマンドに基づいて、第１の時間周波数リソースのリソース位置を決定し、ＳＰＳ周期長と第１の時間周波数リソースのリソース位置とに基づいて、ＳＰＳデータを送信又は受信するために利用可能な後の時間周波数リソースのリソース位置を決定するように構成される。
【０１４５】
任意で、本願の本実施形態の具体的な実装において、シンボル情報は開始シンボル位置及びシンボル数を含み、あるいはショートサブフレーム数情報及びショートサブフレーム番号を含み、ショートサブフレーム数情報は、各サブフレーム内のショートサブフレーム数を示すために使用される。
【０１４６】
任意で、本願の本実施形態の具体的な実装において、送受信機モジュール７２０は、ＳＰＳデータを送信又は受信するために利用可能な時間周波数リソース上でＳＰＳデータを送信又は受信するようにさらに構成される。
【０１４７】
任意で、本願の本実施形態の具体的な実装において、ＳＰＳ構成パラメータは第１のオフセットをさらに含み、処理モジュール７１０は、ＳＰＳデータを送信又は受信するために利用可能な時間周波数リソースが部分的又は完全に占有されているとき、第１のオフセットに基づいてオフセット時間周波数リソースを算出するようにさらに構成され、送受信機モジュール７２０は、オフセット時間周波数リソース上でＳＰＳデータを受信又は送信するようにさらに構成される。
【０１４８】
任意で、本願の本実施形態の具体的な実装において、送受信機モジュール７２０は、ＳＰＳデータを送信又は受信するために利用可能な時間周波数リソースが部分的に占有されているとき、ＳＰＳデータを送信又は受信するために利用可能な占有されていない時間周波数リソース上でＳＰＳデータを送信又は受信するようにさらに構成される。
【０１４９】
任意で、本願の本実施形態の具体的な実装において、ＳＰＳ構成パラメータはＳＰＳ優先度情報をさらに含み、処理モジュール７１０は、ＳＰＳデータを送信又は受信するために利用可能な時間周波数リソースが別のＳＰＳ時間周波数リソースに部分的又は完全に重なるとき、ＳＰＳ優先度情報に基づいて、ＳＰＳデータを送信又は受信する挙動を決定するようにさらに構成される。
【０１５０】
任意で、本願の本実施形態の具体的な実装において、ＳＰＳ構成パラメータは、キャリア情報、ビーム情報、セル情報、セルグループ情報、又は論理チャネル情報をさらに含む。処理モジュール７１０は、キャリア情報、ビーム情報、セル情報、セルグループ情報、又は論理チャネル情報に基づいて、ＳＰＳデータを送信又は受信するためのキャリア、ビーム、セル、セルグループ、又は論理チャネルを決定するようにさらに構成される。
【０１５１】
任意で、本願の本実施形態の具体的な実装において、ＳＰＳ構成パラメータは、ハイブリッド自動再送要求ＨＡＲＱ数をさらに含む。処理モジュール７１０は、ＨＡＲＱ数とＳＰＳデータを送信するために利用可能な時間周波数リソースのリソース位置とに基づいて、ＨＡＲＱ  ＩＤを決定するようにさらに構成される。
【０１５２】
任意で、本願の本実施形態の具体的な実装において、ＳＰＳ構成パラメータは、ＳＰＳ無線ネットワーク一時識別子をさらに含む。
【０１５３】
図８は、本願の一実施形態による端末デバイスの概略構成図である。端末デバイスは、送受信機モジュール８１０及び処理モジュール８２０を含んでもよい。
【０１５４】
送受信機モジュール８１０は、ネットワークデバイスにより送信されたセミパーシステントスケジューリングＳＰＳ構成パラメータを受信するように構成され、ＳＰＳ構成パラメータは、ＳＰＳ周期長、シンボル情報、及びＳＰＳアクティブ化コマンドを含み、ＳＰＳアクティブ化コマンドは、ＳＰＳデータを送信又は受信するために利用可能な第１の時間周波数リソースのシステムフレーム番号及びサブフレーム番号を示すために使用され、シンボル情報は、サブフレーム内にあり且つ第１の時間周波数リソースにより占有されるシンボルの位置を示すために使用される。
【０１５５】
処理モジュール８２０は、ＳＰＳ周期長、シンボル情報、及びＳＰＳアクティブ化コマンドに基づいて、ＳＰＳデータを送信又は受信するために利用可能な時間周波数リソースのリソース位置を決定するように構成される。
【０１５６】
本願の本実施形態で提供される端末デバイスによれば、まず、送受信機モジュールが、ネットワークデバイスにより送信されたセミパーシステントスケジューリングＳＰＳ構成パラメータを受信し、ＳＰＳ構成パラメータは、ＳＰＳ周期長、シンボル情報、及びＳＰＳアクティブ化コマンドを含み、ＳＰＳアクティブ化コマンドは、第１の時間周波数リソースのシステムフレーム番号及びサブフレーム番号を示すために使用され、シンボル情報は、サブフレーム内にあり且つ第１の時間周波数リソースにより占有されるシンボルの位置を示すために使用される。次いで、処理モジュールが、ＳＰＳ周期長、シンボル情報、及びＳＰＳアクティブ化コマンドに基づいて、ＳＰＳデータを送信又は受信するために利用可能な時間周波数リソースのリソース位置を決定する。本願の本実施形態において、端末デバイス及びネットワークデバイスは、シンボル情報の指示に基づいて、サブフレーム内にあり且つＳＰＳデータを送信又は受信するために利用可能な時間周波数リソースにより占有されるシンボルの位置を決定してよい。したがって、ＳＰＳデータを送信又は受信するために利用可能な時間周波数リソースはサブフレーム内の１つ以上のシンボルに制限され、それにより、ネットワークデバイス及び端末デバイスは同じサブフレーム内の残りのシンボルリソース上で他のデータを伝送でき、それにより、セミパーシステントスケジューリングの間のリソース利用を改善する。さらに、本願の本実施形態において、ＳＰＳデータがネットワークデバイスと端末デバイスとの間で伝送されるとき、使用される時間周波数リソースはシンボルレベルである。したがって、本願の本実施形態における技術的解決策では、ＳＰＳデータの伝送遅延は１ｍｓ未満であり、それにより、ＳＰＳデータの伝送遅延が低減できる。
【０１５７】
任意で、本願の本実施形態の具体的な実装において、処理モジュール８２０は具体的に、シンボル情報及びＳＰＳアクティブ化コマンドに基づいて、第１の時間周波数リソースのリソース位置を決定し、ＳＰＳ周期長と第１の時間周波数リソースのリソース位置とに基づいて、ＳＰＳデータを送信又は受信するために利用可能な後の時間周波数リソースのリソース位置を決定するように構成される。
【０１５８】
任意で、本願の本実施形態の具体的な実装において、シンボル情報は、開始シンボル位置及びシンボル数を含み、あるいはショートサブフレーム数情報及びショートサブフレーム番号を含み、ショートサブフレーム数情報は、各サブフレームにおけるショートサブフレーム数を示すために使用される。
【０１５９】
任意で、本願の本実施形態の具体的な実装において、送受信機モジュール８１０は、ＳＰＳデータを送信又は受信するために利用可能な時間周波数リソース上でＳＰＳデータを送信又は受信するようにさらに構成される。
【０１６０】
任意で、本願の本実施形態の具体的な実装において、ＳＰＳ構成パラメータは第１のオフセットをさらに含み、処理モジュール８２０は、ＳＰＳデータを送信又は受信するために利用可能な時間周波数リソースが部分的又は完全に占有されているとき、第１のオフセットに基づいてオフセット時間周波数リソースを算出するようにさらに構成され、送受信機モジュール８１０は、オフセット時間周波数リソース上でＳＰＳデータを受信又は送信するようにさらに構成される。
【０１６１】
任意で、本願の本実施形態の具体的な実装において、送受信機モジュール８１０は、ＳＰＳデータを送信又は受信するために利用可能な時間周波数リソースが部分的に占有されているとき、ＳＰＳデータを送信又は受信するために利用可能な占有されていない時間周波数リソース上でＳＰＳデータを送信又は受信するようにさらに構成される。
【０１６２】
任意で、本願の本実施形態の具体的な実装において、ＳＰＳ構成パラメータはＳＰＳ優先度情報をさらに含み、処理モジュール８２０は、ＳＰＳデータを送信又は受信するために利用可能な時間周波数リソースが部分的又は完全に別のＳＰＳ時間周波数リソースに重なるとき、ＳＰＳ優先度情報に基づいて、ＳＰＳデータを送信又は受信する挙動を決定するようにさらに構成される。
【０１６３】
任意で、本願の本実施形態の具体的な実装において、ＳＰＳ構成パラメータは、キャリア情報、ビーム情報、セル情報、セルグループ情報、又は論理チャネル情報をさらに含む。処理モジュール８２０は、キャリア情報、ビーム情報、セル情報、セルグループ情報、又は論理チャネル情報に基づいて、ＳＰＳデータを送信又は受信するためのキャリア、ビーム、セル、セルグループ、又は論理チャネルを決定するようにさらに構成される。
【０１６４】
任意で、本願の本実施形態の具体的な実装において、ＳＰＳ構成パラメータは、ハイブリッド自動再送要求ＨＡＲＱ数をさらに含む。処理モジュール８２０は、さらに、ＨＡＲＱ数とＳＰＳデータを送信するために利用可能な時間周波数リソースのリソース位置とに基づいて、ＨＡＲＱ  ＩＤを決定するように構成される。
【０１６５】
任意で、本願の本実施形態の具体的な実装において、ＳＰＳ構成パラメータは、ＳＰＳ無線ネットワーク一時識別子をさらに含む。
【０１６６】
図９は、本願の一実施形態による端末デバイスの概略構成図である。端末デバイスは、前述の実施形態のいずれかにおける端末デバイスであってもよく、前述の実施形態における方法のステップを実現するように構成される。
【０１６７】
図９に示すように、端末デバイスは、プロセッサ９１０、メモリ９２０、及び送受信機モジュール９３０を含んでもよい。送受信機モジュール９３０は、受信機９３０１、送信機９３０２、及びアンテナ９３０３などのコンポーネントを含んでもよい。あるいは、端末デバイスは、より多くの又はより少ないコンポーネント、又はいくつかのコンポーネントの組み合わせ、又は別様に配置されたコンポーネントを含んでもよい。これは、本願において限定されない。
【０１６８】
プロセッサ９１０は、端末デバイスの制御センタであり、種々のインタフェース及びラインを使用することにより端末デバイス全体の全ての部分に接続される。プロセッサ９１０は、メモリ９２０に記憶されたソフトウェアプログラム及び／又はモジュールを作動又は実行し、メモリ９２０に記憶されたデータを呼び出して、端末デバイスの種々の機能を実行し、かつ／あるいはデータを処理する。プロセッサ９１０は、集積回路（integrated  circuit、ＩＣ）を含んでもよく、例えば、単一のパッケージ化されたＩＣを含んでもよく、あるいは、同じ機能又は異なる機能を有し且つ互いに接続された複数のパッケージ化されたＩＣを含んでもよい。例えば、プロセッサ９１０は、中央処理ユニット（central  processing  unit、ＣＰＵ）のみを含んでもよく、あるいは、ＧＰＵ、デジタル信号プロセッサ（digital  signal  processor、ＤＳＰ）、及び送受信機モジュール内の制御チップ（ベースバンドチップなど）の組み合わせであってもよい。本願の種々の実装において、ＣＰＵは単一の動作コアであってもよく、あるいは複数の動作コアを含んでもよい。
【０１６９】
送受信機モジュール９３０は、通信チャネルを確立するように構成され、それにより、端末デバイスは、通信チャネルを通じて受信デバイスに接続されて、端末デバイス間のデータ伝送を実現する。送受信機モジュールは、無線ローカルエリアネットワーク（wireless  local  area  network、ＷＬＡＮ）モジュール、Ｂｌｕｅｔｏｏｔｈモジュール、及びベースバンド（base  band）モジュールなどの通信モジュール、並びに通信モジュールに対応する無線周波数（radio  frequency、ＲＦ）回路を含み、無線ローカルエリアネットワーク通信、Ｂｌｕｅｔｏｏｔｈ通信、赤外線通信、及び／又はセルラー通信システム通信、例えば、広帯域符号分割多元接続（wideband  code  division  multiple  access、ＷＣＤＭＡ）及び／又は高速下りリンクパケットアクセス（high  speed  downlink  packet  access、ＨＳＤＰＡ）における通信を実行してもよい。送受信機モジュールは、端末デバイス内のコンポーネント間の通信を制御するように構成され、ダイレクトメモリアクセス（direct  memory  access）をサポートすることができる。
【０１７０】
本願の異なる実装において、送受信機モジュール９３０内の各送受信機モジュールは、通常、集積回路チップ（integrated  circuit  chip）の形式で実現され、選択的に組み合わせられてもよい。すべての送受信機モジュール及び対応するアンテナグループを含める必要はない。例えば、送受信機モジュール９３０は、セルラ通信システムにおいて通信機能を提供するために、ベースバンドチップ、無線周波数チップ、及び対応するアンテナのみを含んでもよい。端末デバイスは、送受信機モジュールにより確立される無線通信接続、例えば、無線ローカルエリアネットワークアクセス又はＷＣＤＭＡアクセスを通じて、セルラネットワーク（cellular  network）又はインターネット（internet）に接続されてもよい。本願のいくつかの任意的な実装において、送受信機モジュール内の通信モジュール、例えばベースバンドモジュールは、プロセッサに統合されてもよい。典型的な一例は、クアルコム社（Qualcomm）により提供されるＡＰＱ＋ＭＤＭシリーズプラットフォームである。無線周波数回路は、通話プロセスにおいて情報を受信及び送信し、又は信号を受信及び送信するように構成される。例えば、無線周波数回路は、ネットワークデバイスから下りリンク情報を受信し、次いで、下りリンク情報を処理のためにプロセッサに送信し、上りリンク関連データをネットワークデバイスに送信する。通常、無線周波数回路は、これらの機能を実行するように構成された周知の回路を含む。周知の回路は、これらに限られないがアンテナシステム、無線周波数送受信機、１つ以上の増幅器、チューナ、１つ以上の発振器、デジタル信号プロセッサ、コーデック（codec）チップセット、加入者識別モジュール（ＳＩＭ）カード、及びメモリを含む。さらに、無線周波数回路は、無線通信を通じてネットワーク及び別のデバイスとさらに通信してもよい。任意の通信標準又はプロトコルが無線通信に使用されてもよく、これらに限られないがグローバルシステムフォーモバイルコミュニケーションズ（Global  System  for  Mobile  communication、ＧＳＭ）、汎用パケット無線サービス（General  Packet  Radio  Service、ＧＰＲＳ）、符号分割多元接続（Code  Division  Multiple  Access、ＣＤＭＡ）、広帯域符号分割多元接続（Wideband  Code  Division  Multiple  Access、略称ＷＣＤＭＡ）、高速上りリンクパケット接続（High  Speed  Uplink  Packet  Access、ＨＳＵＰＡ）、ロングタームエボリューション（Long  Term  Evolution、ＬＴＥ）、電子メール、及びショートメッセージングサービス（Short  Messaging  Service、ＳＭＳ）を含む。
【０１７１】
本願の本実施形態において、送受信機モジュール７２０により実現される必要のある機能は、端末デバイスの送受信機モジュール９３０により実現されてもよく、あるいはプロセッサ９１０により制御される送受信機モジュール９３０により実現されてもよい。処理モジュール７１０により実現される必要のある機能は、プロセッサ９１０により実現されてもよい。
【０１７２】
図１０は、本願の一実施形態によるネットワークデバイスの概略構成図である。ネットワークデバイスは、前述の実施形態のいずれかにおけるネットワークデバイスであってもよく、前述の実施形態における方法のステップを実現するように構成される。
【０１７３】
ネットワークデバイスは、プロセッサ１０１０、メモリ１０２０、送受信機１０３０などを含んでもよい。
【０１７４】
プロセッサ１０１０は、ネットワークデバイスの制御センタであり、種々のインタフェース及びラインを使用することによりネットワークデバイス全体の全ての部分に接続される。プロセッサ１０１０は、メモリに記憶されたソフトウェアプログラム及び／又はモジュールを作動又は実行し、メモリ１０２０に記憶されたデータを呼び出して、ネットワークデバイスの様々な機能を実行し、かつ／あるいはデータを処理する。プロセッサ１０１０は、中央処理ユニット（central  processing  unit、ＣＰＵ）、ネットワークプロセッサ（network  processor、ＮＰ）、又はＣＰＵ及びＮＰの組み合わせであってもよい。プロセッサは、ハードウェアチップをさらに含んでもよい。ハードウェアチップは、特定用途向け集積回路（application-specific  integrated  circuit、ＡＳＩＣ）、プログラマブル論理デバイス（programmable  logic  device、ＰＬＤ）、又はこれらの組み合わせであってもよい。ＰＬＤは、複合プログラマブル論理デバイス（complex  programmable  logic  device、ＣＰＬＤ）、フィールドプログラマブルゲートアレイ（field-programmable  gate  array、ＦＰＧＡ）、汎用アレイ論理（generic  array  logic、略称ＧＡＬ）、又はこれらの任意の組み合わせであってもよい。
【０１７５】
メモリ１０２０は、揮発性メモリ（volatile  memory）、例えばランダムアクセスメモリ（random  access  memory、ＲＡＭ）を含んでもよく、あるいは不揮発性メモリ（non-volatile  memory）、例えばフラッシュメモリ（flash  memory）、ハードディスクドライブ（hard  disk  drive、ＨＤＤ）、又はソリッドステートドライブ（solid-state  drive、ＳＳＤ）を含んでもよい。あるいは、メモリ１０２０は、前述のタイプのメモリの組み合わせを含んでもよい。メモリは、プログラム又はコードを記憶してもよい。ネットワークデバイス内のプロセッサ１０１０は、プログラム又はコードを実行してネットワークデバイスの機能を実現する。
【０１７６】
送受信機１０３０は、データを受信又は送信するように構成されてもよい。送受信機は、プロセッサの制御下にある端末デバイス又は他のネットワークデバイスにデータを送信してもよい。送受信機は、プロセッサの制御下で、端末デバイス又は他のネットワークデバイスにより送信されたデータを受信する。
【０１７７】
本願の本実施形態において、送受信機モジュール８１０により実現される必要のある機能は、ネットワークデバイスの送受信機１０３０により実現されてもよく、あるいはプロセッサ１０１０により制御される送受信機１０３０により実現されてもよい。処理モジュール８２０により実現される必要のある機能は、プロセッサ１０１０により実現されてもよい。
【０１７８】
具体的な実装において、本願の一実施形態はコンピュータ記憶媒体をさらに提供し、コンピュータ記憶媒体はプログラムを記憶してもよく、プログラムが実行されると、本願で提供されるセミパーシステントスケジューリング方法の実施形態におけるステップの一部又は全部が実行され得る。記憶媒体は、磁気ディスク、光ディスク、読取専用メモリ（read-only  memory、ＲＯＭ）、ランダムアクセスメモリ（random  access  memory、ＲＡＭ）などであってよい。
【０１７９】
当業者は、本願の実施形態における技術が必要な汎用ハードウェアプラットフォームに加えてソフトウェアにより実現され得ることを明確に理解し得る。このような理解に基づき、本質的に本願の実施形態における技術的解決策、又は従来技術に寄与する部分は、ソフトウェアプロダクトの形式で実現されてもよい。コンピュータソフトウェアプロダクトは、ＲＯＭ／ＲＡＭ、ハードディスク、又は光ディスクなどの記憶媒体に記憶され、コンピュータデバイス（これはパーソナルコンピュータ、サーバ、ネットワークデバイスなどであってもよい）に本願の実施形態又は実施形態のいくつかの部分に記載される方法を実行するように命令するためのいくつかの命令を含む。
【０１８０】
本明細書における実施形態はすべて漸進的に記載されている。実施形態中の同一又は同様の部分については、これらの実施形態に対し相互参照がなされてよく、各実施形態は他の実施形態との差異に焦点を当てている。特に、システム及び装置の実施形態は方法の実施形態と基本的に同様であり、したがって簡潔に説明される。関連する部分については、方法の実施形態における説明を参照する。
本発明の一例に従って、本願は以下の実施形態を更に提供する。
実施形態１：
セミパーシステントスケジューリング方法であって、
ネットワークデバイスにより、セミパーシステントスケジューリングＳＰＳ構成パラメータを決定するステップであり、前記ＳＰＳ構成パラメータはＳＰＳ周期長、シンボル情報、及びＳＰＳアクティブ化コマンドを含み、前記ＳＰＳアクティブ化コマンドは、ＳＰＳデータを送信又は受信するために利用可能な第１の時間周波数リソースのシステムフレーム番号及びサブフレーム番号を示すために使用され、前記シンボル情報は、サブフレーム内にあり且つ前記ＳＰＳデータを送信又は受信するための前記時間周波数リソースにより占有されるシンボルの位置を示すために使用される、ステップと、
前記ネットワークデバイスにより、前記ＳＰＳ周期長、前記シンボル情報、及び前記ＳＰＳアクティブ化コマンドに基づいて、前記ＳＰＳデータを送信又は受信するために利用可能な時間周波数リソースのリソース位置を決定するステップと、
前記ネットワークデバイスにより、前記ＳＰＳ構成パラメータを端末デバイスに送信するステップと、
を含む方法。
実施形態２：
前記ネットワークデバイスにより、前記ＳＰＳ周期長、前記シンボル情報、及び前記ＳＰＳアクティブ化コマンドに基づいて、前記ＳＰＳデータを送信又は受信するための時間周波数リソースのリソース位置を決定するステップは、
前記ネットワークデバイスにより、前記シンボル情報及び前記ＳＰＳアクティブ化コマンドに基づいて、前記ＳＰＳデータを送信又は受信するために利用可能な前記第１の時間周波数リソースのリソース位置を決定するステップと、
前記ネットワークデバイスにより、前記ＳＰＳ周期長と、前記ＳＰＳデータを送信又は受信するために利用可能な前記第１の時間周波数リソースの前記リソース位置とに基づいて、前記ＳＰＳデータを送信又は受信するために利用可能な後の時間周波数リソースのリソース位置を決定するステップと、
を含む、実施形態１に記載の方法。
実施形態３：
前記シンボル情報は開始シンボル位置及びシンボル数を含み、あるいはショートサブフレーム数情報及びショートサブフレーム番号を含み、前記ショートサブフレーム数情報は、各サブフレーム内のショートサブフレーム数を示すために使用される、実施形態１に記載の方法。
実施形態４：
当該方法は、
前記ネットワークデバイスにより、前記ＳＰＳデータを送信又は受信するために利用可能な前記時間周波数リソース上で前記ＳＰＳデータを送信又は受信するステップ
をさらに含む実施形態１乃至３のうちいずれか１項に記載の方法。
実施形態５：
前記ＳＰＳ構成パラメータは第１のオフセットをさらに含み、当該方法は、
前記ＳＰＳデータを送信又は受信するために利用可能な前記時間周波数リソースが部分的又は完全に占有されているとき、前記ネットワークデバイスにより、前記第１のオフセットに基づいてオフセット時間周波数リソースを算出し、前記オフセット時間周波数リソース上で前記ＳＰＳデータを受信又は送信するステップ
をさらに含む実施形態１乃至３のうちいずれか１項に記載の方法。
実施形態６：
当該方法は、
前記ＳＰＳデータを送信又は受信するために利用可能な前記時間周波数リソースが部分的に占有されているとき、前記ネットワークデバイスにより、前記ＳＰＳデータを送信又は受信するために利用可能な占有されていない時間周波数リソース上で前記ＳＰＳデータを送信又は受信するステップ
をさらに含む実施形態４に記載の方法。
実施形態７：
前記ＳＰＳ構成パラメータはＳＰＳ優先度情報をさらに含み、当該方法は、
前記ＳＰＳデータを送信又は受信するために利用可能な前記時間周波数リソースが別のＳＰＳ時間周波数リソースに部分的又は完全に重なるとき、前記ネットワークデバイスにより、前記ＳＰＳ優先度情報に基づいて、前記ＳＰＳデータを送信又は受信する挙動を決定するステップ
をさらに含む実施形態１乃至６のうちいずれか１項に記載の方法。
実施形態８：
セミパーシステントスケジューリング方法であって、
端末デバイスにより、ネットワークデバイスにより送信されたセミパーシステントスケジューリングＳＰＳ構成パラメータを受信するステップであり、前記ＳＰＳ構成パラメータはＳＰＳ周期長、シンボル情報、及びＳＰＳアクティブ化コマンドを含み、前記ＳＰＳアクティブ化コマンドは、ＳＰＳデータを送信又は受信するために利用可能な第１の時間周波数リソースのシステムフレーム番号及びサブフレーム番号を示すために使用され、前記シンボル情報は、サブフレーム内にあり且つ前記ＳＰＳデータを送信又は受信するための前記時間周波数リソースにより占有されるシンボルの位置を示すために使用される、ステップと、
前記端末デバイスにより、前記ＳＰＳ周期長、前記シンボル情報、及び前記ＳＰＳアクティブ化コマンドに基づいて、前記ＳＰＳデータを送信又は受信するために利用可能な時間周波数リソースのリソース位置を決定するステップと、
を含む方法。
実施形態９：
前記端末デバイスにより、前記ＳＰＳ周期長、前記シンボル情報、及び前記ＳＰＳアクティブ化コマンドに基づいて、前記ＳＰＳデータを送信又は受信するために利用可能な時間周波数リソースのリソース位置を決定するステップは、
前記端末デバイスにより、前記シンボル情報及び前記ＳＰＳアクティブ化コマンドに基づいて、前記ＳＰＳデータを送信又は受信するために利用可能な前記第１の時間周波数リソースのリソース位置を決定するステップと、
前記端末デバイスにより、前記ＳＰＳ周期長と、前記ＳＰＳデータを送信又は受信するために利用可能な前記第１の時間周波数リソースの前記リソース位置とに基づいて、前記ＳＰＳデータを送信又は受信するために利用可能な後の時間周波数リソースのリソース位置を決定するステップと、
を含む、実施形態８に記載の方法。
実施形態１０：
前記シンボル情報は開始シンボル位置及びシンボル数を含み、あるいはショートサブフレーム数情報及びショートサブフレーム番号を含み、前記ショートサブフレーム数情報は、各サブフレーム内のショートサブフレーム数を示すために使用される、実施形態８に記載の方法。
実施形態１１：
当該方法は、
前記端末デバイスにより、前記ＳＰＳデータを送信又は受信するために利用可能な前記時間周波数リソース上で前記ＳＰＳデータを送信又は受信するステップ
をさらに含む実施形態８乃至１０のうちいずれか１項に記載の方法。
実施形態１２：
前記ＳＰＳ構成パラメータは第１のオフセットをさらに含み、当該方法は、
前記ＳＰＳデータを送信又は受信するために利用可能な前記時間周波数リソースが部分的又は完全に占有されているとき、前記端末デバイスにより、前記第１のオフセットに基づいてオフセット時間周波数リソースを算出し、前記オフセット時間周波数リソース上で前記ＳＰＳデータを受信又は送信するステップ
をさらに含む実施形態８乃至１０のうちいずれか１項に記載の方法。
実施形態１３：
当該方法は、
前記ＳＰＳデータを送信又は受信するために利用可能な前記時間周波数リソースが部分的に占有されているとき、前記端末デバイスにより、前記ＳＰＳデータを送信又は受信するために利用可能な占有されていない時間周波数リソース上で前記ＳＰＳデータを送信又は受信するステップ
をさらに含む実施形態１１に記載の方法。
実施形態１４：
前記ＳＰＳ構成パラメータはＳＰＳ優先度情報をさらに含み、当該方法は、
前記ＳＰＳデータを送信又は受信するために利用可能な前記時間周波数リソースが別のＳＰＳ時間周波数リソースに部分的又は完全に重なるとき、前記端末デバイスにより、前記ＳＰＳ優先度情報に基づいて、前記ＳＰＳデータを送信又は受信する挙動を決定するステップ
をさらに含む実施形態８乃至１３のうちいずれか１項に記載の方法。
実施形態１５：
ネットワークデバイスであって、
セミパーシステントスケジューリングＳＰＳ構成パラメータを決定することであり、前記ＳＰＳ構成パラメータはＳＰＳ周期長、シンボル情報、及びＳＰＳアクティブ化コマンドを含み、前記ＳＰＳアクティブ化コマンドは、ＳＰＳデータを送信又は受信するために利用可能な第１の時間周波数リソースのシステムフレーム番号及びサブフレーム番号を示すために使用され、前記シンボル情報は、サブフレーム内にあり且つ前記ＳＰＳデータを送信又は受信するための前記時間周波数リソースにより占有されるシンボルの位置を示すために使用され；前記ＳＰＳ周期長、前記シンボル情報、及び前記ＳＰＳアクティブ化コマンドに基づいて、前記ＳＰＳデータを送信又は受信するために利用可能な時間周波数リソースのリソース位置を決定するように構成された処理モジュールと、
前記ＳＰＳ構成パラメータを端末デバイスに送信するように構成された送受信機モジュールと、
を含むネットワークデバイス。
実施形態１６：
前記処理モジュールは具体的に、前記シンボル情報及び前記ＳＰＳアクティブ化コマンドに基づいて、前記ＳＰＳデータを送信又は受信するために利用可能な前記第１の時間周波数リソースのリソース位置を決定し、前記ＳＰＳ周期長と、前記ＳＰＳデータを送信又は受信するために利用可能な前記第１の時間周波数リソースの前記リソース位置とに基づいて、前記ＳＰＳデータを送信又は受信するために利用可能な後の時間周波数リソースのリソース位置を決定するように構成される、実施形態１５に記載のネットワークデバイス。
実施形態１７：
前記シンボル情報は開始シンボル位置及びシンボル数を含み、あるいはショートサブフレーム数情報及びショートサブフレーム番号を含み、前記ショートサブフレーム数情報は、各サブフレーム内のショートサブフレーム数を示すために使用される、実施形態１５に記載のネットワークデバイス。
実施形態１８：
前記送受信機モジュールは、当該ネットワークデバイスにより、前記ＳＰＳデータを送信又は受信するために利用可能な前記時間周波数リソース上で前記ＳＰＳデータを送信又は受信するようにさらに構成される、実施形態１５乃至１７のうちいずれか１項に記載のネットワークデバイス。
実施形態１９：
前記ＳＰＳ構成パラメータは第１のオフセットをさらに含み、前記処理モジュールは、前記ＳＰＳデータを送信又は受信するために利用可能な前記時間周波数リソースが部分的又は完全に占有されているとき、前記第１のオフセットに基づいてオフセット時間周波数リソースを算出するようにさらに構成され、前記送受信機モジュールは、前記オフセット時間周波数リソース上で前記ＳＰＳデータを受信又は送信するようにさらに構成される、実施形態１５乃至１７のうちいずれか１項に記載のネットワークデバイス。
実施形態２０：
前記送受信機モジュールは、前記ＳＰＳデータを送信又は受信するために利用可能な前記時間周波数リソースが部分的に占有されているとき、前記ＳＰＳデータを送信又は受信するために利用可能な占有されていない時間周波数リソース上で前記ＳＰＳデータを送信又は受信するようにさらに構成される、実施形態１８に記載のネットワークデバイス。
実施形態２１：
前記ＳＰＳ構成パラメータはＳＰＳ優先度情報をさらに含み、前記処理モジュールは、前記ＳＰＳデータを送信又は受信するために利用可能な前記時間周波数リソースが別のＳＰＳ時間周波数リソースに部分的又は完全に重なるとき、前記ＳＰＳ優先度情報に基づいて、前記ＳＰＳデータを送信又は受信する挙動を決定するようにさらに構成される、実施形態１５乃至２０のうちいずれか１項に記載のネットワークデバイス。
実施形態２２：
端末デバイスであって、
ネットワークデバイスにより送信されたセミパーシステントスケジューリングＳＰＳ構成パラメータを受信することであり、前記ＳＰＳ構成パラメータはＳＰＳ周期長、シンボル情報、及びＳＰＳアクティブ化コマンドを含み、前記ＳＰＳアクティブ化コマンドは、ＳＰＳデータを送信又は受信するために利用可能な第１の時間周波数リソースのシステムフレーム番号及びサブフレーム番号を示すために使用され、前記シンボル情報は、サブフレーム内にあり且つ前記ＳＰＳデータを送信又は受信するための前記時間周波数リソースにより占有されるシンボルの位置を示すために使用される、ように構成された送受信機モジュールと、
前記ＳＰＳ周期長、前記シンボル情報、及びＳＰＳアクティブ化コマンドに基づいて、前記ＳＰＳデータを送信又は受信するために利用可能な時間周波数リソースのリソース位置を決定するように構成された処理モジュールと、
を含む端末デバイス。
実施形態２３：
前記処理モジュールは具体的に、前記シンボル情報及び前記ＳＰＳアクティブ化コマンドに基づいて、前記ＳＰＳデータを送信又は受信するために利用可能な前記第１の時間周波数リソースのリソース位置を決定し、前記ＳＰＳ周期長と、前記ＳＰＳデータを送信又は受信するために利用可能な前記第１の時間周波数リソースの前記リソース位置とに基づいて、前記ＳＰＳデータを送信又は受信するために利用可能な後の時間周波数リソースのリソース位置を決定するように構成される、実施形態２２に記載の端末デバイス。
実施形態２４：
前記シンボル情報は開始シンボル位置及びシンボル数を含み、あるいはショートサブフレーム数情報及びショートサブフレーム番号を含み、前記ショートサブフレーム数情報は、各サブフレーム内のショートサブフレーム数を示すために使用される、実施形態２２に記載の端末デバイス。
実施形態２５：
前記送受信機モジュールは、前記ＳＰＳデータを送信又は受信するために利用可能な前記時間周波数リソース上で前記ＳＰＳデータを送信又は受信するようにさらに構成される、実施形態２２乃至２４のうちいずれか１項に記載の端末デバイス。
実施形態２６：
前記ＳＰＳ構成パラメータは第１のオフセットをさらに含み、前記処理モジュールは、前記ＳＰＳデータを送信又は受信するために利用可能な前記時間周波数リソースが部分的又は完全に占有されているとき、前記第１のオフセットに基づいてオフセット時間周波数リソースを算出するようにさらに構成され、前記送受信機モジュールは、前記オフセット時間周波数リソース上で前記ＳＰＳデータを受信又は送信するようにさらに構成される、実施形態２２乃至２４のうちいずれか１項に記載の端末デバイス。
実施形態２７：
前記送受信機モジュールは、前記ＳＰＳデータを送信又は受信するために利用可能な前記時間周波数リソースが部分的に占有されているとき、前記ＳＰＳデータを送信又は受信するために利用可能な占有されていない時間周波数リソース上で前記ＳＰＳデータを送信又は受信するようにさらに構成される、実施形態２５に記載の端末デバイス。
実施形態２８：
前記ＳＰＳ構成パラメータはＳＰＳ優先度情報をさらに含み、前記処理モジュールは、前記ＳＰＳデータを送信又は受信するために利用可能な前記時間周波数リソースが別のＳＰＳ時間周波数リソースに部分的又は完全に重なるとき、前記ＳＰＳ優先度情報に基づいて、前記ＳＰＳデータを送信又は受信する挙動を決定するようにさらに構成される、実施形態２２乃至２７のうちいずれか１項に記載の端末デバイス。
実施形態２９：
命令を含むコンピュータ読取可能記憶媒体であって、前記命令がコンピュータ上で実行すると、前記コンピュータは実施形態１乃至７のうちいずれか１項に記載の方法を実行することを可能にされ、あるいは前記コンピュータは実施形態８乃至１４のうちいずれか１項に記載の方法を実行することを可能にされる、コンピュータ読取可能記憶媒体。
実施形態３０：
コンピュータプログラムプロダクトであって、コンピュータ上で実行すると、前記コンピュータは実施形態１乃至７のうちいずれか１項に記載の方法を実行することを可能にされ、あるいは前記コンピュータは実施形態８乃至１４のうちいずれか１項に記載の方法を実行することを可能にされる、コンピュータプログラムプロダクト。
実施形態３１：
メモリ、プロセッサ、及びコンピュータプログラムを含む通信デバイスであって、前記コンピュータプログラムは前記メモリに記憶され、前記プロセッサ上で実行でき、前記プロセッサは前記プログラムを実行すると、実施形態１乃至７のうちいずれか１項に記載の方法を実現し、あるいは実施形態８乃至１４のうちいずれか１項に記載の方法を実現する、通信デバイス。
実施形態３２：
プロセッサを含む装置であって、前記プロセッサは、メモリに結合され、前記メモリ内の命令を読み出し、前記命令に従って実施形態１乃至１４のうちいずれか１項に記載の方法を実行するように構成される、装置。
【国際調査報告】
2020507984.tif 000013
2020507984.tif 000014
2020507984.tif 000015
2020507984.tif 000016